(57)【要約】【課題】損失の増大を招くことなしに回路規模の縮小を図ることを可能とする。【解決手段】利得可変ＬＮＡでは、PDC800システムの信号およびcdmaOne800システムの信号をそれぞれ異なる増幅回路６ｃ，６ｇに入力する。増幅回路６ｃ，６ｇは、バイアス回路６ｄ，６ｈから供給されるバイアス電流により能動状態となる。増幅回路６ｃ，６ｇの出力信号は、いずれも電流−電圧変換回路６ｉで電流−電圧変換する。電流−電圧変換回路６ｉの出力信号は、増幅回路６ｊ，６ｐに入力する。増幅回路６ｊ，６ｐは、バイアス回路６ｋ，６ｑから供給されるバイアス電流により能動状態となる。ロジック回路６ｕは、PDC800モード時にバイアス回路６ｄ，６ｋを能動状態とし、cdmaOne800モード時にバイアス回路６ｈ，６ｑを能動状態とする。【選択図】    図２
2004201011.tif 000002
【特許請求の範囲】
【請求項１】
第１の無線周波数帯域を用いる第１の無線通信システムに対応する第１の無線周波数信号および前記第１の無線周波数帯域とは異なる第２の無線周波数帯域を用いる第２の無線通信システムに対応する第２の無線周波数信号を受信するアンテナ部と、
前記アンテナ部から入力された信号から前記第１の無線周波数信号を抽出する第１の抽出部と、
前記アンテナ部から入力された信号から前記第２の無線周波数信号を抽出する第２の抽出部と、
前記第１の抽出部により抽出された前記第１の無線周波数信号が入力され、第１の入力側バイアス電流が供給されたときに前記第１の無線周波数信号を増幅する第１の入力側増幅回路と、
前記第２の抽出部により抽出された前記第２の無線周波数信号が入力され、第２の入力側バイアス電流が供給されたときに前記第２の無線周波数信号を増幅する第２の入力側増幅回路と、
前記第１の入力側バイアス電流の供給を指示する第１の入力側制御信号が供給されたときに前記第１の入力側増幅回路に前記第１の入力側バイアス電流を供給する第１の入力側バイアス回路と、
前記第２の入力側バイアス電流の供給を指示する第２の入力側制御信号が供給されたときに前記第２の入力側増幅回路に前記第２の入力側バイアス電流を供給する第２の入力側バイアス回路と、
前記第１および前記第２の入力側増幅回路に対して共通に設けられ、前記第１および前記第２の入力側増幅回路の出力信号を電流−電圧変換し、この電流−電圧変換した信号を出力する第１の電流−電圧変換回路と、
前記第１の電流−電圧変換回路の出力信号が入力され、第１の出力側バイアス電流が供給されたときにこの出力信号を増幅する第１の出力側増幅回路と、
前記第１の電流−電圧変換回路の出力信号が入力され、第２の出力側バイアス電流が供給されたときにこの出力信号を増幅する第２の出力側増幅回路と、
前記第１の出力側バイアス電流の供給を指示する第１の出力側制御信号が供給されたときに前記第１の出力側増幅回路に前記第１の出力側バイアス電流を供給する第１の出力側バイアス回路と、
前記第２の出力側バイアス電流の供給を指示する第２の出力側制御信号が供給されたときに前記第２の出力側増幅回路に前記第２の出力側バイアス電流を供給する第２の出力側バイアス回路と、
入力された前記第１および前記第２の無線通信システムのうちの１つを指定する指定信号に対応して、前記第１の入力側バイアス回路に前記第１の入力側制御信号、または前記第２の入力側バイアス回路に前記第２の入力側制御信号を供給する第１の入力側制御回路と、
入力された前記指定信号に対応して、前記第１の出力側バイアス回路に前記第１の出力側制御信号、または前記第２の出力側バイアス回路に前記第２の出力側制御信号を供給する出力側制御回路とを具備したことを特徴とするマルチモード受信機。
【請求項２】
使用する無線周波数帯域が同一である第１および第２の無線通信システムにそれぞれ対応する第１および第２の無線周波数信号を受信するアンテナ部と、
入力側バイアス電流が供給されたときに前記アンテナ部から入力された信号を増幅する入力側増幅回路と、
前記入力側増幅回路に前記入力側バイアス電流を供給する入力側バイアス回路と、
前記第１の入力側増幅回路の出力信号を電流−電圧変換し、この電流−電圧変換した信号を出力する第１の電流−電圧変換回路と、
前記第１の電流−電圧変換回路の出力信号が入力され、第１の出力側バイアス電流が供給されたときにこの出力信号を増幅する第１の出力側増幅回路と、
前記第１の電流−電圧変換回路の出力信号が入力され、第２の出力側バイアス電流が供給されたときにこの出力信号を増幅する第２の出力側増幅回路と、
前記第１の出力側バイアス電流の供給を指示する第１の出力側制御信号が供給されたときに前記第１の出力側増幅回路に前記第１の出力側バイアス電流を供給する第１の出力側バイアス回路と、
前記第２の出力側バイアス電流の供給を指示する第２の出力側制御信号が供給されたときに前記第２の出力側増幅回路に前記第２の出力側バイアス電流を供給する第２の出力側バイアス回路と、
入力された前記第１および前記第２の無線通信システムのうちの１つを指定する指定信号に対応して、前記第１の出力側バイアス回路に前記第１の出力側制御信号、または前記第２の出力側バイアス回路に前記第２の出力側制御信号を供給する出力側制御回路とを具備したことを特徴とするマルチモード受信機。
【請求項３】
前記第１の出力側増幅回路の出力信号が入力され、第３の入力側バイアス電流が供給されたときにこの出力信号を増幅する第３の入力側増幅回路と、
前記第１の出力側増幅回路の出力信号が入力され、第４の入力側バイアス電流が供給されたときにこの出力信号を増幅する第４の入力側増幅回路と、
前記第３の入力側バイアス電流の供給を指示する第３の入力側制御信号が供給されたときに前記第３の入力側増幅回路に前記第３の入力側バイアス電流を供給する第３の入力側バイアス回路と、
前記第４の入力側バイアス電流の供給を指示する第４の入力側制御信号が供給されたときに前記第４の入力側増幅回路に前記第４の入力側バイアス電流を供給する第４の入力側バイアス回路と、
前記第３および第４の入力側増幅回路に対して共通に設けられ、前記第３および第４の入力側増幅回路の出力信号を電流−電圧変換し、この電流−電圧変換した信号を出力する第２の電流−電圧変換回路と、
前記第２の電流−電圧変換回路の出力信号が入力され、第１のローカル信号をこの出力信号にミキシングする第１のミキサと、
前記第２の電流−電圧変換回路の出力信号が入力され、前記第１のローカル信号と９０°の位相差を持つ第２のローカル信号をこの出力信号にミキシングする第２のミキサと、
入力された前記指定信号に対応して前記第３の入力側バイアス回路に前記第３の入力側制御信号、または前記第４の入力側バイアス回路に前記第４の入力側制御信号を供給する第２の入力側制御回路とを具備したことを特徴とする請求項１または請求項２に記載のマルチモード無線機。
【請求項４】
直交復調器と、
前記２つのミキサからの出力信号および前記直交復調器の出力信号に対して共通に設けられ、これらの出力信号を増幅する増幅器と、
前記増幅器の出力信号をデジタル化するアナログデジタル変換器とを具備したことを特徴とする請求項３に記載のマルチモード受信機。
【請求項５】
第１の無線周波数帯域を用いる第１の無線通信システムに対応する第１の無線周波数信号および前記第１の無線周波数帯域とは異なる第２の無線周波数帯域を用いる第２の無線通信システムに対応する第２の無線周波数信号を受信するアンテナ部と、
前記アンテナ部から入力された信号から前記第１の無線周波数信号を抽出する第１の抽出部と、
前記アンテナ部から入力された信号から前記第２の無線周波数信号を抽出する第２の抽出部と、
前記第１の抽出部により抽出された前記第１の無線周波数信号が入力され、第１の入力側バイアス電流が供給されたときに前記第１の無線周波数信号を増幅する第１の入力側増幅回路と、
前記第２の抽出部により抽出された前記第２の無線周波数信号が入力され、第２の入力側バイアス電流が供給されたときに前記第２の無線周波数信号を増幅する第２の入力側増幅回路と、
前記第１の入力側バイアス電流の供給を指示する第１の入力側制御信号が供給されたときに前記第１の入力側増幅回路に前記第１の入力側バイアス電流を供給する第１の入力側バイアス回路と、
前記第２の入力側バイアス電流の供給を指示する第２の入力側制御信号が供給されたときに前記第２の入力側増幅回路に前記第２の入力側バイアス電流を供給する第２の入力側バイアス回路と、
前記第１および前記第２の入力側増幅回路に対して共通に設けられ、前記第１および前記第２の入力側増幅回路の出力信号を電流−電圧変換し、この電流−電圧変換した信号を出力する第１の電流−電圧変換回路と、
前記第１の電流−電圧変換回路の出力信号が入力され、第１の出力側バイアス電流が供給されたときにこの出力信号を増幅する第１の出力側増幅回路と、
前記第１の出力側増幅回路に前記第１の出力側バイアス電流を供給する出力側バイアス回路と、
入力された前記第１および前記第２の無線通信システムのうちの１つを指定する指定信号に対応して、前記第１の入力側バイアス回路に前記第１の入力側制御信号、または前記第２の入力側バイアス回路に前記第２の入力側制御信号を供給する入力側制御回路とを具備したことを特徴とするマルチモード受信機。
【請求項６】
第１の無線周波数帯域を用いる第１の無線通信システムに対応する第１の無線周波数信号および前記第１の無線周波数帯域とは異なる第２の無線周波数帯域を用いる第２の無線通信システムに対応する第２の無線周波数信号を受信するアンテナ部と、
前記アンテナ部から入力された信号から前記第１の無線周波数信号を抽出する第１の抽出部と、
前記アンテナ部から入力された信号から前記第２の無線周波数信号を抽出する第２の抽出部と、
前記第１の抽出部により抽出された前記第１の無線周波数信号が入力され、前記第１の無線周波数信号を増幅する第１の増幅器と、
前記第２の抽出部により抽出された前記第２の無線周波数信号が入力され、前記第２の無線周波数信号を増幅する第２の増幅器と、
前記第１の増幅器の出力信号が入力され、第１のバイアス電流が供給されたときにこの出力信号を増幅する第１の増幅回路と、
前記第２の増幅器の出力信号が入力され、第２のイアス電流が供給されたときにこの出力信号を増幅する第２の増幅回路と、
前記第１のバイアス電流の供給を指示する第１の制御信号が供給されたときに前記第１の増幅回路に前記第１のバイアス電流を供給する第１のバイアス回路と、
前記第２のバイアス電流の供給を指示する第２の制御信号が供給されたときに前記第２の増幅回路に前記第２のバイアス電流を供給する第２のバイアス回路と、
前記第１および第２の増幅回路に対して共通に設けられ、前記第１および第２の増幅回路の出力信号を電流−電圧変換し、この電流−電圧変換した信号を出力する電流−電圧変換回路と、
前記電流−電圧変換回路の出力信号が入力され、第１のローカル信号をこの出力信号にミキシングする第１のミキサと、
前記第２の電流−電圧変換回路の出力信号が入力され、前記第１のローカル信号と９０°の位相差を持つ第２のローカル信号をこの出力信号にミキシングする第２のミキサと、
入力された前記第１および前記第２の無線通信システムのうちの１つを指定する指定信号に対応して、前記第１のバイアス回路に前記第１の制御信号、または前記第２のバイアス回路に前記第２の制御信号を供給する制御回路とを具備したことを特徴とするマルチモード無線機。
【請求項７】
第１の無線周波数帯域を用いる第１の無線通信システムに対応する第１の無線周波数信号が入力され、前記第１の無線周波数信号を増幅する第１の増幅器と、
前記第１の無線周波数帯域とは異なる第２の無線周波数帯域を用いる第２の無線通信システムに対応する第２の無線周波数信号が入力され、前記第２の無線周波数信号を増幅する第２の増幅器と、
前記第１の増幅器の出力信号が入力され、第１のバイアス電流が供給されたときにこの出力信号を増幅する第１の増幅回路と、
前記第２の増幅器の出力信号が入力され、第２のバイアス電流が供給されたときにこの出力信号を増幅する第２の増幅回路と、
前記第１のバイアス電流の供給を指示する第１の制御信号が供給されたときに前記第１の増幅回路に前記第１のバイアス電流を供給する第１のバイアス回路と、
前記第２のバイアス電流の供給を指示する第２の制御信号が供給されたときに前記第２の増幅回路に前記第２のバイアス電流を供給する第２のバイアス回路と、
前記第１および第２の増幅回路に対して共通に設けられ、前記第１および第２の増幅回路の出力信号を電流−電圧変換し、この電流−電圧変換した信号を出力する電流−電圧変換回路と、
前記電流−電圧変換回路の出力信号が入力され、第１のローカル信号をこの出力信号にミキシングする第１のミキサと、
前記第２の電流−電圧変換回路の出力信号が入力され、前記第１のローカル信号と９０°の位相差を持つ第２のローカル信号をこの出力信号にミキシングする第２のミキサと、
入力された前記第１および前記第２の無線通信システムのうちの１つを指定する指定信号に対応して、前記第１のバイアス回路に前記第１の制御信号、または前記第２のバイアス回路に前記第２の制御信号を供給する制御回路と、
前記第１および第２の無線通信システムとは異なる第３の無線通信システムに対応する第３の無線周波数信号が入力されて、前記第３の無線周波数信号を直交復調する直交復調器と、
前記第１および第２のミキサの出力信号および前記直交復調器の出力信号に対して共通に設けられ、前記各出力信号を増幅する増幅器と、
前記増幅器の出力信号をデジタル化するアナログデジタル変換器とを具備したことを特徴とするマルチモード受信機。
【請求項８】
等しい周波数間隔で隣接した３つのチャネルのうちの中央のチャネルの信号からＩ系列ベースバンド信号およびＱ系列ベースバンド信号を復調する直交復調器と、
前記Ｉ系列ベースバンド信号および前記Ｑ系列ベースバンド信号をそれぞれデジタル化するアナログデジタル変換器と、
前記アナログデジタル変換器から出力されるＩ系列デジタル信号と前記周波数間隔に等しい周波数を持つ第１のローカル信号とを乗算する第１の乗算器と、
前記アナログデジタル変換器から出力されるＱ系列デジタル信号と前記第１のローカル信号と周波数が同一で位相が９０°異なる第２のローカル信号とを乗算する第２の乗算器と、
前記第１の乗算器の出力信号から前記第２の乗算器の出力信号を減算する第１の減算器と、
前記第１の乗算器の出力信号と前記第２の乗算器の出力信号とを加算する第１の加算器と、
前記Ｑ系列デジタル信号と前記第１のローカル信号とを乗算する第３の乗算器と、
前記Ｉ系列デジタル信号と前記第２のローカル信号とを乗算する第４の乗算器と、
前記第３の乗算器の出力信号から前記第４の乗算器の出力信号を減算する第２の減算器と、
前記第３の乗算器の出力信号と前記第４の乗算器の出力信号とを加算する第２の加算器とを具備したことを特徴とするマルチモード受信機。
【発明の詳細な説明】
【０００１】
【発明の属する技術分野】
本発明は、無線通信システムで用いられる無線受信機に関し、特に複数の無線通信システムに対応したマルチモード受信機に関する。
【０００２】
【従来の技術】
近年、世界中で携帯電話利用者が増加し、また様々な無線通信システムが利用されている中で、１つの無線機で複数の無線通信システムに対応できる、いわゆるマルチモード無線機の需要が高まってきている。
【０００３】
マルチモード無線機を実現する場合、複数の無線通信システムのそれぞれに専用の無線機をそれぞれ並列に用意したのでは、非常に回路規模が大きくなり、無線機の大型化、重量化を招いてしまう。
【０００４】
そこで、無線機を構成する低雑音増幅器（以下、ＬＮＡと称する）や直交復調器といった構成要素を、複数の無線通信システムが使用する無線周波数帯に対応できるようなマルチバンド特性または広帯域特性を持つように設計することにより、複数の無線通信システムにおいて１つの構成要素を共用化することが考えられる（例えば特許文献１を参照）。
【０００５】
しかし、誘電体フィルタ、ＳＡＷフィルタおよびデュプレクサといったパッシブ部品に関しては、ＬＮＡおよび直交復調器などのアクティブ部品とは異なり、上記のようなマルチバンド特性および広帯域特性を持つように設計し、使用する無線通信システムに応じて適応的に特性を変化させることが難しい。
【０００６】
このため、ＬＮＡおよび直交復調器などの共用化を図ったとしても、その他の構成要素のために信号経路の切り替えが必要となる。例えばＬＮＡと直交復調器との間に誘電体フィルタを必要とする無線通信システムＡと、上記誘電体フィルタを必要としない無線通信システムＢとの双方に対応する無線機を実現しようとした場合、ＬＮＡの出力信号を誘電体フィルタを介して直交復調器に入力する経路と、ＬＮＡの出力信号を誘電体フィルタを介さずに直接的に直交復調器に入力する経路との切り替えが必要となる。
【０００７】
そしてこのような経路切り替えのためには、スイッチ等の信号経路切り替え手段を挿入することとなる。この場合、信号切り替え手段における損失が発生してしまうため、受信特性の劣化を生じる。このような受信特性の劣化が問題となる場合には、上記の特許文献１に示されるような技術は適用できず、ＬＮＡおよび直交復調器を別々に用意する必要がある。
【０００８】
【特許文献１】
特開平10-93475号公報
【０００９】
【発明が解決しようとする課題】
このように従来のマルチモード受信機では、無駄な損失を生じることなしに構成要素を共用化することが困難であった。このために、受信特性の向上を図ったマルチモード受信機においては、構成要素の増大による回路規模の増大を招き、大型化、重量化してしまう傾向があった。
【００１０】
本発明はこのような事情を考慮してなされたものであり、その目的とするところは、損失の増大を招くことなしに回路規模の縮小を図り得るマルチモード受信機を提供することにある。
【００１１】
【課題を解決するための手段】
以上の目的を達成するために本発明は、第１の無線周波数帯域を用いる第１の無線通信システムに対応する第１の無線周波数信号および前記第１の無線周波数帯域とは異なる第２の無線周波数帯域を用いる第２の無線通信システムに対応する第２の無線周波数信号を受信するアンテナ部と、前記アンテナ部から入力された信号から前記第１の無線周波数信号を抽出する第１の抽出部と、前記アンテナ部から入力された信号から前記第２の無線周波数信号を抽出する第２の抽出部と、前記第１の抽出部により抽出された前記第１の無線周波数信号が入力され、第１の入力側バイアス電流が供給されたときに前記第１の無線周波数信号を増幅する第１の入力側増幅回路と、前記第２の抽出部により抽出された前記第２の無線周波数信号が入力され、第２の入力側バイアス電流が供給されたときに前記第２の無線周波数信号を増幅する第２の入力側増幅回路と、前記第１の入力側バイアス電流の供給を指示する第１の入力側制御信号が供給されたときに前記第１の入力側増幅回路に前記第１の入力側バイアス電流を供給する第１の入力側バイアス回路と、前記第２の入力側バイアス電流の供給を指示する第２の入力側制御信号が供給されたときに前記第２の入力側増幅回路に前記第２の入力側バイアス電流を供給する第２の入力側バイアス回路と、前記第１および前記第２の入力側増幅回路に対して共通に設けられ、前記第１および前記第２の入力側増幅回路の出力信号を電流−電圧変換し、この電流−電圧変換した信号を出力する第１の電流−電圧変換回路と、前記第１の電流−電圧変換回路の出力信号が入力され、第１の出力側バイアス電流が供給されたときにこの出力信号を増幅する第１の出力側増幅回路と、前記第１の電流−電圧変換回路の出力信号が入力され、第２の出力側バイアス電流が供給されたときにこの出力信号を増幅する第２の出力側増幅回路と、前記第１の出力側バイアス電流の供給を指示する第１の出力側制御信号が供給されたときに前記第１の出力側増幅回路に前記第１の出力側バイアス電流を供給する第１の出力側バイアス回路と、前記第２の出力側バイアス電流の供給を指示する第２の出力側制御信号が供給されたときに前記第２の出力側増幅回路に前記第２の出力側バイアス電流を供給する第２の出力側バイアス回路と、入力された前記第１および前記第２の無線通信システムのうちの１つを指定する指定信号に対応して、前記第１の入力側バイアス回路に前記第１の入力側制御信号、または前記第２の入力側バイアス回路に前記第２の入力側制御信号を供給する第１の入力側制御回路と、入力された前記指定信号に対応して、前記第１の出力側バイアス回路に前記第１の出力側制御信号、または前記第２の出力側バイアス回路に前記第２の出力側制御信号を供給する出力側制御回路とを備えた。
【００１２】
このような手段を講じたことにより、抽出部で抽出された各無線周波数帯域の無線周波信号は、それぞれ第１および第２の入力側増幅回路に入力される。第１および第２の入力側増幅回路は、入力側制御回路により第１または第２の入力側制御信号が供給されたもののみが能動状態となる。そして能動状態である入力側増幅回路は、上記入力される信号を増幅する。第１または第２の入力側増幅回路の出力信号は、共通に設けられた電流−電圧変換回路で電流−電圧変換がなされる。電流−電圧変換回路の出力信号は、第１および第２の出力側増幅回路のそれぞれに入力される。第１および第２の出力側増幅回路は、出力側制御回路により第１または第２の出力側制御信号が供給されたもの鑿が能動状態となる。そして能動状態である出力側増幅回路は、上記入力される信号を増幅する。従って、第１および第２の入力側バイアス回路と、第１および第２の出力側バイアス回路の選択状況に応じて増幅がなされる信号の経路は複数が形成し得る。そしてこれら複数の経路のいずれにおいても電流−電圧変換回路は含まれる。
【００１３】
【発明の実施の形態】
以下、図面を参照して本発明の実施形態につき説明する。
（第１の実施形態）
図１は第１の実施形態に係るマルチモード無線機のブロック図である。
この第１の実施形態のマルチモード無線機は、日本で用いられるPDC800システム、cdmaOne800システム、PDC1500システム、cdma2000システムおよびUMTS-FDDシステムの５つの無線通信システムに対応したマルチモード無線機である。すなわち、第１の実施形態のマルチモード無線機は、日本で使用することを想定している。なお、PDC800システムとは、PDC（Personal Digital Cellular）方式を採用し、かつ使用無線周波数帯域が800MHz帯である無線通信システムを指す。cdmaOne800システムとは、cdmaOne方式を採用し、かつ使用無線周波数帯域が800MHz帯である無線通信システムを指す。PDC1500システムとは、PDC方式を採用し、かつ使用無線周波数帯域が1500MHzである無線通信システムを指す。cdma2000システムとは、cdma2000式を採用する無線通信システムを指す。UMTS-FDDシステムとは、UMTS-FDD（Universal Mobile Telecommunication System-Frequency Division Duplex）方式を採用する無線通信システムを指す。
【００１４】
図１に示すように第１の実施形態のマルチモード無線機は、アンテナ１、アンテナスイッチ２、ＲＦフィルタ３、デュプレクサ４，１７、入力端子５，１８、利得可変低雑音増幅器（以下、利得可変ＬＮＡと称する）６，１１，１９、ＲＦフィルタ７，１０，２０、直交復調器８，１２，２１、シンセサイザ９、ベースバンドローパスフィルタ１３，１４，２２、ベースバンド利得可変増幅器（以下、ベースバンドＶＧＡと称する）１５，２３、アナログデジタル変換器（以下、ＡＤＣと称する）１６，２４、マルチキャリア信号分割用ミキサ部２５、シンセサイザ２６およびベースバンド部２７を含む。
【００１５】
アンテナ１にて受信された受信信号は、アンテナスイッチ２に入力される。アンテナスイッチ２は、ベースバンド部２７から入力される制御信号に基づいてＲＦフィルタ３、デュプレクサ４、ＲＦフィルタ１０およびデュプレクサ１７のうちの１つを選択し、受信信号を与える。
【００１６】
ＲＦフィルタ３は、入力される受信信号からPDC800システムで不要な信号成分を減衰させる。すなわちＲＦフィルタ３は、PDC800システムの使用無線周波数である810.05〜827.95MHzおよび870.03〜884.95MHzの周波数成分を減衰させることなく通過させ、これ以外の周波数成分を減衰させるという特性を有する。かくしてＲＦフィルタ３は、PDC800システムに関する受信信号を抽出する。
【００１７】
デュプレクサ４は、入力される受信信号からcdmaOne800システムで不要な信号成分を減衰させる。すなわちデュプレクサ４は、cdmaOne800システムの使用無線周波数である832.75〜869.25MHzの信号は減衰させることなく通過させ、これ以外の周波数成分は減衰させるという特性を有する。かくしてデュプレクサ４は、cdmaOne800システムに関する受信信号を抽出する。なおcdmaOne800システムは、ＦＤＤ（Frequency Division Duplex）方式を利用する無線通信システムである。このためデュプレクサ４は、入力端子５から入力される送信信号から不要周波数成分を減衰させた上でアンテナスイッチ２へと与える機能も有する。ただし、本発明の特徴は受信に関するものであるので、送信信号の振る舞いに関する説明は省略する。
【００１８】
利得可変ＬＮＡ６は、第１および第２の２つの入力端子を有する。そして第１の入力端子にはＲＦフィルタ３の出力信号が入力され、第２の入力端子にはデュプレクサ４の出力信号が入力される。利得可変ＬＮＡ６は、これらの２つの入力端子に入力される信号のいずれかをベースバンド部２７から入力される制御信号に基づいて選択する。利得可変ＬＮＡ６は、上記選択した信号を所望のレベルに増幅する。利得可変ＬＮＡ６は、信号増幅の際の利得を上記制御信号に応じて可変設定する。さらに利得可変ＬＮＡ６は、第１および第２の２つの出力端子を有する。利得可変ＬＮＡ６は、これら２つの出力端子のいずれかを上記制御信号に基づいて選択し、この選択した出力端子から増幅後の信号を出力する。
【００１９】
ＲＦフィルタ７には、利得可変ＬＮＡ６の第２の出力端子の出力信号が入力される。ＲＦフィルタ７は、入力される信号からcdmaOne800システムで不要な周波数成分を減衰させる。すなわちＲＦフィルタ７は、cdmaOne800システムの使用無線周波数である832.75〜869.25MHzの信号は減衰させることなく通過させ、これ以外の周波数成分は減衰させるという特性を有する。
【００２０】
直交復調器８は、第１および第２の２つの入力端子を有する。そして第１の入力端子には利得可変ＬＮＡ６の第１の出力端子の出力信号が入力され、第２の入力端子にはＲＦフィルタ７の出力信号が入力される。直交復調器８は、これらの２つの入力端子に入力される信号のいずれかをベースバンド部２７から入力される制御信号に基づいて選択する。直交復調器８は、シンセサイザ９が発生するローカル信号を使用して上記選択した信号を直交復調する。直交復調器８は、直交復調の結果として得られるＩ系列およびＱ系列の２系列のベースバンド信号をそれぞれ出力する。
【００２１】
シンセサイザ９は、直交復調器８，１２，２１で使用するためのローカル信号を発生する。シンセサイザ９は、上記ローカル信号の周波数をベースバンド部２７から入力される制御信号で指示される周波数とする。
【００２２】
ＲＦフィルタ１０は、入力される受信信号からPDC1500システムで不要な信号成分を減衰させる。すなわち、ＲＦフィルタ１０はPDC1500システムの使用無線周波数である1477.05〜1500.95MHzの信号は減衰させることなく通過させ、これ以外の周波数成分は減衰させるという特性を有する。かくしてＲＦフィルタ１０は、PDC1500システムに関する受信信号を抽出する。
【００２３】
利得可変ＬＮＡ１１へは、ＲＦフィルタ１０の出力信号が入力される。利得可変ＬＮＡ１１は、入力される信号を所望のレベルに増幅する。利得可変ＬＮＡ１１は、信号増幅の際の利得を上記制御信号に応じて可変設定する。利得可変ＬＮＡ１１は、周知の構成のものであって良い。
【００２４】
直交復調器１２へは、利得可変ＬＮＡ１１の出力信号が入力される。直交復調器１２は、シンセサイザ９が発生するローカル信号を使用して上記入力される信号を直交復調する。直交復調器１２は、直交復調の結果として得られるＩ系列およびＱ系列の２系列のベースバンド信号をそれぞれ出力する。直交復調器１２は、周知の構成のものであって良い。
【００２５】
なお、直交復調器８および直交復調器１２は、ベースバンド部２７から入力される制御信号に基づいて排他的に動作する。すなわち直交復調器８および直交復調器１２は、いずれか一方が信号を出力する際には、他方は信号を出力しない。
【００２６】
ベースバンドローパスフィルタ１３へは、直交復調器８および直交復調器１２の出力信号が入力される。ベースバンドローパスフィルタ１３は、PDC800システムおよびPDC1500システムにおけるベースバンドである0〜10.5kHzの成分は減衰させることなく通過させ、これ以外の不要な周波数成分を減衰させるという特性を有する。なお、ベースバンドローパスフィルタ１３に必要とされる性能は、ベースバンド部２７の性能に依存して異なってくるため、ここでは詳細な検討は省略する。
【００２７】
ベースバンドローパスフィルタ１４へは、直交復調器８および直交復調器１２の出力信号が入力される。ベースバンドローパスフィルタ１４は、cdmaOne800システムにおけるベースバンドである0〜614.4kHzの成分は減衰させることなく通過させ、これ以外の不要な周波数成分を減衰させるという特性を有する。なお、ベースバンドローパスフィルタ１４に必要とされる性能は、ベースバンド部２７の性能に依存して異なってくるため、ここでは詳細な検討は省略する。
【００２８】
なおベースバンドローパスフィルタ１３，１４は、ベースバンド部２７から入力される制御信号に基づいて排他的に能動状態となる。すなわちベースバンドローパスフィルタ１３およびベースバンドローパスフィルタ１４は、いずれか一方が信号を出力する際には、他方は信号を出力しない。
【００２９】
ところで、当該明細書の全体を通して「能動状態」とは、各部が所期の機能を実現し、信号を出力するような動作状態を指すこととする。これに対して「非能動状態」とは、各部が信号出力を行わない状態を指すこととする。
【００３０】
ベースバンドＶＧＡ１５へは、ベースバンドローパスフィルタ１３，１４の出力信号が入力される。ベースバンドＶＧＡ１５は、上記の入力信号を所望のレベルに増幅する。ベースバンドＶＧＡ１５は、ベースバンド部２７から入力される制御信号により、入力された信号が所望のレベルに増幅されるように利得を設定する。
【００３１】
ＡＤＣ１６へは、ベースバンドＶＧＡ１５の出力信号が入力される。ＡＤＣ１６は、入力信号をデジタル信号に変換する。ＡＤＣ１６は、ベースバンド部２７から入力される制御信号に応じて、サンプリング速度とビット数とを可変設定する。なおＡＤＣ１６の所要性能は、ベースバンド部２７の性能に依存して異なってくるため、ここでは詳細な検討は省略する。
【００３２】
デュプレクサ１７は、アンテナスイッチ２を介して入力される受信信号からcdma2000システムおよびUMTS-FDDで不要な信号成分を減衰させる。すなわちデュプレクサ１７は、cdma2000システムおよびUMTS-FDDの使用無線周波数である2110〜2170MHzの信号は減衰させることなく通過させ、これ以外の周波数成分は減衰させるという特性を有する。かくしてデュプレクサ１７は、cdma2000システムおよびUMTS-FDDに関する受信信号を抽出する。なおcdma2000システムおよびUMTS-FDDは、ＦＤＤ方式を利用する無線通信システムである。このため、デュプレクサ１７は、入力端子１８から入力される送信信号から不要周波数成分を減衰させた上でアンテナスイッチ２へと与える機能も有する。しかし、本発明の特徴は受信に関するものであるため、ここでは送信信号の振る舞いに関する説明は省略する。
【００３３】
利得可変ＬＮＡ１９へは、デュプレクサ１７の出力信号が入力される。利得可変ＬＮＡ１９は、入力される信号を所望のレベルに増幅する。利得可変ＬＮＡ１９は、信号増幅の際の利得をベースバンド部２７から入力される制御信号に応じて可変設定する。利得可変ＬＮＡ１９は、周知の構成のものであって良い。
【００３４】
ＲＦフィルタ２０へは、利得可変ＬＮＡ１９の出力信号が入力される。ＲＦフィルタ２０は、入力信号からcdma2000システムおよびUMTS-FDDシステムで不要な周波数成分を減衰させる。すなわち、ＲＦフィルタ２０はcdma2000システムおよびUMTS-FDDシステムの使用無線周波数である2110〜2170MHzの信号は減衰させることなく通過させ、これ以外の周波数成分は減衰させるという特性を有する。
【００３５】
直交復調器２１へは、ＲＦフィルタ２０の出力信号が入力される。直交復調器２１は、シンセサイザ９が発生するローカル信号を使用して上記入力される信号を直交復調する。直交復調器２１は、直交復調の結果として得られるＩ系列およびＱ系列の２系列のベースバンド信号をそれぞれ出力する。直交復調器２１は、周知の構成のものであって良い。
【００３６】
なお、直交復調器２１は、ベースバンド部２７から入力される制御信号に基づいて、直交復調器８，１２の動作状態とは無関係に能動状態となる。すなわち直交復調器２１は、直交復調器８，１２と同時に能動状態になり得る。
【００３７】
ベースバンドローパスフィルタ２２へは、直交復調器２１の出力信号が入力される。ベースバンドローパスフィルタ２２は、cdma2000シングルモード、cdma2000マルチモードおよびUMTSモードの３つの動作モードを有する。ベースバンドローパスフィルタ２２は、ベースバンド部２７から入力される制御信号に基づいて上記の３つの動作モードのうちの１つを選択する。cdma2000シングルモードにおいてベースバンドローパスフィルタ２２は、cdma2000システムにおけるシングルキャリアのベースバンドである0〜614.4kHzの成分は減衰させることなく通過させ、それ以外の不要な周波数成分を減衰させるという特性を有する。cdma2000マルチモードにおいてベースバンドローパスフィルタ２２は、cdma2000システムにおけるマルチキャリアのベースバンドである0〜1.8432MHzの成分は減衰させることなく通過させ、これ以外の不要な周波数成分を減衰させるという特性を有する。UMTS-FDDモードにおいてベースバンドローパスフィルタ２２は、UMTS-FDDシステムのベースバンドである0〜1.92MHzの成分は減衰させることなく通過させ、これ以外の不要な周波数成分を減衰させるという特性を有する。なお、ベースバンドローパスフィルタ２２に必要とされる性能は、ベースバンド部２７の性能に依存して異なってくるため、ここでは詳細な検討は省略する。
【００３８】
なおベースバンドローパスフィルタ２２は、ベースバンド部２７から入力される制御信号に基づいて、ベースバンドローパスフィルタ１３，１４の動作状態とは無関係に能動状態となる。すなわちベースバンドローパスフィルタ２２は、ベースバンドローパスフィルタ１３，１４と同時に能動状態になり得る。
【００３９】
ベースバンドＶＧＡ２３へは、ベースバンドローパスフィルタ２２の出力信号が入力される。ベースバンドＶＧＡ２３は、上記の入力信号を所望のレベルに増幅する。ベースバンドＶＧＡ２３は、ベースバンド部２７から入力される制御信号により、入力された信号が所望のレベルに増幅されるように利得を設定する。
【００４０】
なおベースバンドＶＧＡ１５およびベースバンドＶＧＡ２３は、ベースバンド部２７から入力される制御信号に基づいて、おのおの独立して動作状態が制御される。すなわちベースバンドＶＧＡ１５およびベースバンドＶＧＡ２３は同時に能動状態になり得る。
【００４１】
ＡＤＣ２４へは、ベースバンドＶＧＡ２３の出力信号が入力される。ＡＤＣ２４は、入力信号をデジタル信号に変換する。ＡＤＣ２４は、ベースバンド部２７から入力される制御信号に応じて、サンプリング速度とビット数とを可変設定する。なおＡＤＣ２４の所要性能は、ベースバンド部２７の性能に依存して異なってくるため、ここでは詳細な検討は省略する。
【００４２】
なおＡＤＣ１６およびＡＤＣ２４は、ベースバンド部２７から入力される制御信号に基づいて、おのおの独立して動作状態が制御される。すなわちＡＤＣ１６およびＡＤＣ２４は同時に能動状態になり得る。
【００４３】
マルチキャリア信号分割用ミキサ部２５へは、ＡＤＣ２４の出力信号が入力される。マルチキャリア信号分割用ミキサ部２５は図１に示すように、乗算器２５ａ，２５ｂ，２５ｃ，２５ｄ、移相器２５ｅおよび加算器２５ｆ，２５ｇ，２５ｈ，２５ｉを含む。そしてＡＤＣ２４の出力信号のうちの一方の系列が乗算器２５ａおよび乗算器２５ｄにそれぞれ入力され、他方の系列が乗算器２５ｂおよび乗算器２５ｃにそれぞれ入力される。
【００４４】
乗算器２５ａへは、シンセサイザ２６が発生するローカル信号が入力される。乗算器２５ａは、２つの入力信号を乗算する。乗算器２５ｂへは、上記ローカル信号を移相器２５ｅで９０°移相した信号が入力される。乗算器２５ｂは、２つの入力信号を乗算する。加算器２５ｆへは、乗算器２５ａの出力信号および乗算器２５ｂの出力信号がそれぞれ入力される。加算器２５ｆは、乗算器２５ａの出力信号と乗算器２５ｂの出力信号を符号反転させた信号とを加算する。すなわち加算器２５ｆは、乗算器２５ａの出力信号から乗算器２５ｂの出力信号を減算する。加算器２５ｇへは、乗算器２５ａの出力信号および乗算器２５ｂの出力信号がそれぞれ入力される。加算器２５ｇは、乗算器２５ａの出力信号に乗算器２５ｂの出力信号を加算する。
【００４５】
乗算器２５ｃへは、シンセサイザ２６が発生するローカル信号が入力される。乗算器２５ｃは、２つの入力信号を乗算する。乗算器２５ｄへは、上記ローカル信号を移相器２５ｅで９０°移相した信号が入力される。乗算器２５ｄは、２つの入力信号を乗算する。加算器２５ｈへは、乗算器２５ｃの出力信号および乗算器２５ｄの出力信号がそれぞれ入力される。加算器２５ｈは、乗算器２５ｃの出力信号と乗算器２５ｄの出力信号を符号反転させた信号とを加算する。すなわち加算器２５ｈは、乗算器２５ｃの出力信号から乗算器２５ｄの出力信号を減算する。加算器２５ｉへは、乗算器２５ｃの出力信号および乗算器２５ｄの出力信号がそれぞれ入力される。加算器２５ｉは、乗算器２５ｃの出力信号に乗算器２５ｄの出力信号を加算する。
【００４６】
このような構成によりマルチキャリア信号分割用ミキサ部２５は、cdma2000システムのマルチキャリア信号に含まれた３つのチャネルの信号のうちの第１チャネルおよび第３チャネルの信号をそれぞれ分離する。
【００４７】
なおマルチキャリア信号分割用ミキサ部２５は、ベースバンド部２７から入力される制御信号により任意に能動状態とされる。
【００４８】
ベースバンド部２７へは、ＡＤＣ１６、ＡＤＣ２４およびマルチキャリア信号分割用ミキサ部２５の出力信号がそれぞれ入力される。ベースバンド部２７は、これらの入力信号に対して、各無線通信システムに応じた周知のベースバンド処理を施す。またベースバンド部２７は、いずれの無線通信システムの信号の受信を行うかに応じて、前述の各部の動作状態を制御する。なお、いずれの無線通信システムの信号の受信を行うかは、ユーザからの指示に応じて決定しても良いし、あるいは所定の条件に基づいて自動的に決定しても良い。
【００４９】
図２は利得可変ＬＮＡ６の回路図である。
図２に示すように利得可変ＬＮＡ６は、入力端子６ａ，６ｅ、整合回路６ｂ，６ｆ，６ｍ，６ｒ、増幅回路６ｃ，６ｇ，６ｊ，６ｐ、バイアス回路６ｄ，６ｈ，６ｋ，６ｑ、電流−電圧変換回路６ｉ、出力端子６ｎ，６ｓ、制御信号端子６ｔおよびロジック回路６ｕを含む。
【００５０】
整合回路６ｂへは、ＲＦフィルタ３の出力信号が入力端子６ａを介して入力される。整合回路６ｂは、ＲＦフィルタ３の通過周波数、すなわちPDC800システムの使用無線周波数である810.05〜827.95MHzおよび870.03〜884.95MHzを効率的に入力するために整合をとる。増幅回路６ｃは、バイアス回路６ｄが出力するバイアス電流を受けて能動状態となる。増幅回路６ｃは能動状態にあっては、整合回路６ｂの出力信号を増幅する。
【００５１】
整合回路６ｆへは、デュプレクサ４の出力信号が入力端子６ｅを介して入力される。整合回路６ｆは、デュプレクサ４の通過周波数、すなわちcdmaOne800システムの使用無線周波数である832.75〜869.25MHzを効率的に入力するために整合をとる。増幅回路６ｇは、バイアス回路６ｈが出力するバイアス電流を受けて能動状態となる。増幅回路６ｇは能動状態にあっては、整合回路６ｆの出力信号を増幅する。
【００５２】
なお、バイアス回路６ｄとバイアス回路６ｈとは、ロジック回路６ｕから入力される制御信号に基づいて排他的に能動状態となる。すなわちバイアス回路６ｄ，６ｈは、いずれか一方がバイアス電流を出力するとき、他方はバイアス電流を出力しない。従って、増幅回路６ｃと増幅回路６ｇとは、排他的に能動状態となる。
【００５３】
電流−電圧変換回路６ｉへは、増幅回路６ｃおよび増幅回路６ｇの出力信号が入力される。電流−電圧変換回路６ｉは、入力される信号の電流値に応じた電圧値を持つ信号を出力する。
【００５４】
増幅回路６ｊへは、電流−電圧変換回路６ｉの出力信号が入力される。増幅回路６ｊは、バイアス回路６ｋが出力するバイアス電流を受けて能動状態となる。増幅回路６ｊは能動状態にあっては、電流−電圧変換回路６ｉの出力信号を増幅する。整合回路６ｍは、PDC800システムの使用無線周波数である810.05〜827.95MHzおよび870.03〜884.95MHzを効率的に出力するために整合をとる。整合回路６ｍの出力信号は、出力端子６ｎを介して直交復調器８へと与えられる。
【００５５】
増幅回路６ｐへは、電流−電圧変換回路６ｉの出力信号が入力される。増幅回路６ｐは、バイアス回路６ｑが出力するバイアス電流を受けて能動状態となる。増幅回路６ｐは能動状態にあっては、電流−電圧変換回路６ｉの出力信号を増幅する。整合回路６ｒは、cdmaOne800システムの使用無線周波数である832.75〜869.25MHzを効率的に出力するために整合をとる。整合回路６ｒの出力信号は、出力端子６ｓを介してＲＦフィルタ７へと与えられる。
【００５６】
なお、バイアス回路６ｋとバイアス回路６ｑとは、ロジック回路６ｕから入力される制御信号に基づいて排他的に能動状態となる。すなわちバイアス回路６ｋ，６ｑは、いずれか一方がバイアス電流を出力するとき、他方はバイアス電流を出力しない。従って、増幅回路６ｊと増幅回路６ｐとは、排他的に能動状態となる。
【００５７】
ところで、説明の簡略化のために図示を省略しているが、増幅回路６ｃ，６ｆおよび増幅回路６ｊ，６ｐの少なくともいずれか一方は、周知の手段により利得を変化させる機能を備える。
【００５８】
ロジック回路６ｕへは、ベースバンド部２７から入力される制御信号が制御信号端子６ｔを介して入力される。ロジック回路６ｕは、上記制御信号によりPDC800モードが指示されたことに応じて、バイアス回路６ｄおよびバイアス回路６ｋをそれぞれ能動状態とする制御信号を出力する。またロジック回路６ｕは、上記制御信号によりcdmaOne800モードが指示されたことに応じて、バイアス回路６ｈおよびバイアス回路６ｑをそれぞれ能動状態とする制御信号を出力する。
【００５９】
図３はバイアス回路６ｄ，６ｈ，６ｋ，６ｑがそれぞれ有する電流源の回路図である。
この図３に示すように電流源は、抵抗器Ｒ１およびトランジスタＴｒ１，Ｔｒ２を含む。
【００６０】
この電流源では、トランジスタＴｒ２のコレクタに生じる電流として出力電流が得られる。この出力電流の電流値Iは、抵抗器Ｒ１の抵抗値をR、トランジスタＴｒ１のベース−エミッタ間電圧をVbe、電源電圧をVccとそれぞれ表わすならば、以下の式により定まる。
Vcc＝I×R＋Vbe
I＝(Vcc-Vbe)／R
図４は直交復調器８の回路図である。
図４に示すように直交復調器８は、入力端子８ａ，８ｅ、整合回路８ｂ，８ｆ、増幅回路８ｃ，８ｇ、バイアス回路８ｄ，８ｈ、電流−電圧変換回路８ｉ、ミキサ８ｊ，８ｎ、ローカル信号端子８ｋ、出力端子８ｍ，８ｑ、移相器８ｐ、制御信号端子８ｒおよびロジック回路８ｓを含む。
【００６１】
整合回路８ｂへは、利得可変ＬＮＡ６の出力端子６ｎの出力信号が入力端子８ａを介して入力される。整合回路８ｂは、利得可変ＬＮＡ６の出力端子６ｎから出力される信号の周波数、すなわちPDC800システムの使用無線周波数である810.05〜827.95MHzおよび870.03〜884.95MHzを効率的に入力するために整合をとる。増幅回路８ｃは、バイアス回路８ｄが出力するバイアス電流を受けて能動状態となる。増幅回路８ｃは能動状態にあっては、整合回路８ｂの出力信号を増幅する。
【００６２】
整合回路８ｆへは、ＲＦフィルタ７の出力信号が入力端子８ｅを介して入力される。整合回路８ｆは、ＲＦフィルタ７の通過周波数、すなわちcdmaOne800システムの使用無線周波数である832.75〜869.25MHzを効率的に入力するために整合をとる。増幅回路８ｇは、バイアス回路８ｈが出力するバイアス電流を受けて能動状態となる。増幅回路８ｇは能動状態にあっては、整合回路８ｆの出力信号を増幅する。
【００６３】
なお、バイアス回路８ｄとバイアス回路８ｈとは、ロジック回路８ｓから入力される制御信号に基づいて排他的に能動状態となる。すなわちバイアス回路８ｄ，８ｈは、いずれか一方がバイアス電流を出力するとき、他方はバイアス電流を出力しない。従って、増幅回路８ｃと増幅回路８ｇとは、排他的に能動状態となる。
【００６４】
電流−電圧変換回路８ｉへは、増幅回路８ｃおよび増幅回路８ｇの出力信号が入力される。電流−電圧変換回路８ｉは、入力される信号の電流値に応じた電圧値を持つ信号を出力する。
【００６５】
ミキサ８ｊへは、電流−電圧変換回路８ｉの出力信号が入力される。またミキサ８ｊへは、シンセサイザ９から出力されたローカル信号がローカル信号端子８ｋを介して入力される。ミキサ８ｊは、電流−電圧変換回路８ｉの出力信号と上記ローカル信号とをミキシングすることで、Ｉ系列のベースバンド信号を取り出す。ミキサ８ｊは、このように取り出したＩ系列のベースバンド信号を出力端子８ｍを介してベースバンドローパスフィルタ１３，１４へ出力する。
【００６６】
ミキサ８ｎへは、電流−電圧変換回路８ｉの出力信号が入力される。またミキサ８ｎへは、シンセサイザ９から出力されたローカル信号が、移相器８ｐにより９０°移相された上で入力される。ミキサ８ｎは、電流−電圧変換回路８ｉの出力信号と上記ローカル信号とをミキシングすることで、Ｑ系列のベースバンド信号を取り出す。ミキサ８ｎは、このように取り出したＱ系列のベースバンド信号を出力端子８ｑを介してベースバンドローパスフィルタ１３，１４へ出力する。
【００６７】
ロジック回路８ｓへは、ベースバンド部２７から入力される制御信号が制御信号端子８ｒを介して入力される。ロジック回路８ｓは、上記制御信号によりPDC800モードが指示されたことに応じて、バイアス回路８ｄを能動状態とする制御信号を出力する。またロジック回路８ｓは、上記制御信号によりcdmaOne800モードが指示されたことに応じて、バイアス回路８ｈを能動状態とする制御信号を出力する。
【００６８】
直交復調器８に含まれるバイアス回路８ｄ，８ｈもそれぞれ電流源を有するが、その回路構成は利得可変ＬＡＮ６に含まれるバイアス回路６ｄ，６ｈ，６ｋ，６ｑが有するものと同一である。
【００６９】
次に以上のように構成されたマルチモード無線機の動作につき説明する。
【００７０】
＜PDC800モード＞
PDC800モードは、PDC800システム用無線機として動作するモードである。
【００７１】
このPDC800モードを選択した場合にベースバンド部２７は、各種の制御信号により各部を以下のような状態に制御する。
アンテナスイッチ２：ＲＦフィルタ３を選択。
利得可変ＬＮＡ６：バイアス回路６ｄ，６ｋが能動状態。
直交復調器８：バイアス回路８ｄが能動状態。
シンセサイザ９：PDC800システム用のローカル周波数を発振。
直交復調器１２：非能動状態。
ベースバンドローパスフィルタ１３：能動状態。
ベースバンドローパスフィルタ１４：非能動状態。
ベースバンドＶＧＡ１５：能動状態。
ＡＤＣ１６：能動状態。
【００７２】
さて、アンテナ１にて受信された受信信号は、アンテナスイッチ２によりＲＦフィルタ３へ入力される。ＲＦフィルタ３では、受信信号からPDC800システムの使用無線周波数である810.05〜827.95MHzおよび870.03〜884.95MHzの周波数成分が抽出される。つまりＲＦフィルタ３では、種々の周波数成分が混在した受信信号から、PDC800システムの信号が抽出される。
【００７３】
ＲＦフィルタ３の出力信号は、入力端子６ａから利得可変ＬＮＡ６へ入力される。入力端子６ａから入力された信号は、整合回路６ｂで入力整合がとられた上で増幅回路６ｃへ入力される。このとき、バイアス回路６ｄが能動状態であるから、バイアス回路６ｄからバイアス電流を受けて増幅回路６ｃは能動状態となっている。従って整合回路６ｂの出力信号は、増幅回路６ｃにより増幅される。そして増幅回路６ｃの出力信号は、電流−電圧変換回路６ｉへ入力される。
【００７４】
電流−電圧変換回路６ｉへは、増幅回路６ｇの出力信号も入力されるようになっている。しかし、増幅回路６ｃが能動状態であるときに増幅回路６ｇは非能動状態とされるため、電流−電圧変換回路６ｉへは増幅回路６ｃの出力信号のみが入力される。電流−電圧変換回路６ｉでは、増幅回路６ｃの出力信号の電流値に応じた電圧値を持つ信号を出力する。
【００７５】
電流−電圧変換回路６ｉの出力信号は増幅回路６ｊおよび増幅回路６ｐの双方に入力される。このとき、バイアス回路６ｋが能動状態であるから、バイアス回路６ｋからバイアス電流を受けて増幅回路６ｊは能動状態となっている。また、バイアス回路６ｑは非能動状態であるから、バイアス回路６ｑからバイアス電流を受けることができずに増幅回路６ｐは非能動状態となっている。かくして電流−電圧変換回路６ｉの出力信号は、増幅回路６ｊのみによって増幅される。増幅回路６ｊの出力信号は、整合回路６ｍで出力整合がとられた上で、出力端子６ｎを介して出力される。
【００７６】
このように利得可変ＬＮＡ６では、入力端子６ａから整合回路６ｂ、増幅回路６ｃ、電流−電圧変換回路６ｉ、増幅回路６ｊおよび整合回路６ｍを経由して出力端子６ｎへと至る経路のみが有効となっている。そしてこの経路により信号が所望のレベルに増幅される。
【００７７】
利得可変ＬＮＡ６の出力端子６ｎの出力信号は、入力端子８ａから直交復調器８へ入力される。入力端子８ａから入力された信号は、整合回路８ｂで入力整合がとられた上で増幅回路８ｃへ入力される。このとき、バイアス回路８ｄが能動状態であるから、バイアス回路８ｄからバイアス電流を受けて増幅回路８ｃは能動状態となっている。従って整合回路８ｂの出力信号は、増幅回路８ｃにより増幅される。そして増幅回路８ｃの出力信号は、電流−電圧変換回路８ｉへ入力される。
【００７８】
電流−電圧変換回路８ｉへは、増幅回路８ｇの出力信号も入力されるようになっている。しかし、増幅回路８ｃが能動状態であるとき、増幅回路８ｇは非能動状態とされるため、電流−電圧変換回路８ｉへは増幅回路８ｃの出力信号のみが入力される。電流−電圧変換回路８ｉでは、増幅回路８ｃの出力信号の電流値に応じた電圧値を持つ信号を出力する。
【００７９】
電流−電圧変換回路８ｉの出力信号はミキサ８ｊおよびミキサ８ｎの双方に入力される。ミキサ８ｊでは、シンセサイザ９から出力されたPDC800システム用のローカル信号がそのままの位相で電流−電圧変換回路８ｉの出力信号とミキシングされる。そしてこの結果としてミキサ８ｊでは、Ｉ系列のベースバンド信号が取り出される。またミキサ８ｎでは、移相器８ｐを介して与えられるPDC800システム用のローカル信号、すなわちミキサ８ｊが使用するローカル信号に対して９０°の位相差を持つPDC800システム用のローカル信号が電流−電圧変換回路８ｉの出力信号とミキシングされる。この結果ミキサ８ｎでは、Ｑ系列のベースバンド信号が取り出される。なお、ミキサ８ｊ，８ｎでそれぞれ取り出されたベースバンド信号は、PDC800システムでのベースバンドである0〜10.5kHzの周波数帯域を持つ。
【００８０】
直交復調器８の出力信号は、ベースバンドローパスフィルタ１３およびバースバンドローパスフィルタ１４の双方に入力される。しかし、ベースバンドローパスフィルタ１４は非能動状態であるので、直交復調器８の出力信号は、実質的にはベースバンドローパスフィルタ１３のみに入力される。ベースバンドローパスフィルタ１３には、直交復調器１２の出力信号も入力されるようになっている。しかし、直交復調器１２は非能動状態であるので、ベースバンドローパスフィルタ１３には直交復調器８の出力信号のみが入力される。かくして、直交復調器８，１２およびベースバンドローパスフィルタ１３，１４の間では、直交復調器８からベースバンドローパスフィルタ１３への信号経路のみが有効となっている。
【００８１】
ベースバンドローパスフィルタ１３では、直交復調器８の出力信号から、PDC800システムのベースバンド外である不要な周波数成分が除去される。ベースバンドＶＧＡ１５では、ベースバンドローパスフィルタ１３の出力信号が所望のレベルに増幅される。ＡＤＣ１６では、ベースバンドＶＧＡ１５の出力信号がデジタル信号に変換される。そしてＡＤＣ１６の出力信号がベースバンド部２７へ入力される。なお、ベースバンドＶＧＡ１５へはベースバンドローパスフィルタ１４の出力信号も入力されるようになっているが、ベースバンドローパスフィルタ１４は非能動状態であるので、ベースバンドＶＧＡ１５へはベースバンドローパスフィルタ１３の出力信号のみが入力される。
【００８２】
以上のようにPDC800モードでは、ＲＦフィルタ３、利得可変ＬＮＡ６、直交復調器８、ベースバンドローパスフィルタ１３、ベースバンドＶＧＡ１５およびＡＤＣ１６よりなる経路によりPDC800システムに適応した受信処理が行われる。
【００８３】
＜cdmaOne800モード＞
cdmaOne800モードは、cdmaOne800システム用無線機として動作するモードである。
【００８４】
このcdmaOne800モードを選択した場合にベースバンド部２７は、各種の制御信号により各部を以下のような状態に制御する。
アンテナスイッチ２：デュプレクサ４を選択。
利得可変ＬＮＡ６：バイアス回路６ｈ，６ｑが能動状態。
直交復調器８：バイアス回路８ｈが能動状態。
シンセサイザ９：cdmaOne800システム用のローカル周波数を発振。
直交復調器１２：非能動状態。
ベースバンドローパスフィルタ１３：非能動状態。
ベースバンドローパスフィルタ１４：能動状態。
ベースバンドＶＧＡ１５：能動状態。
ＡＤＣ１６：能動状態。
【００８５】
さて、アンテナ１にて受信された受信信号は、アンテナスイッチ２によりデュプレクサ４へ入力される。デュプレクサ４では、受信信号からcdmaOne800システムの使用無線周波数である832.75〜869.25MHzの周波数成分が抽出される。つまりデュプレクサ４では、種々の周波数成分が混在した受信信号から、cdmaOne800システムの信号が抽出される。
【００８６】
デュプレクサ４の出力信号は、入力端子６ｅから利得可変ＬＮＡ６へ入力される。入力端子６ｅから入力された信号は、整合回路６ｆで入力整合がとられた上で増幅回路６ｇへ入力される。このとき、バイアス回路６ｈが能動状態であるから、バイアス回路６ｈからバイアス電流を受けて増幅回路６ｇは能動状態となっている。従って整合回路６ｆの出力信号は、増幅回路６ｇにより増幅される。そして増幅回路６ｇの出力信号は、電流−電圧変換回路６ｉへ入力される。
【００８７】
電流−電圧変換回路６ｉへは、増幅回路６ｃの出力信号も入力されるようになっている。しかし、増幅回路６ｇが能動状態であるとき、増幅回路６ｃは非能動状態とされるため、電流−電圧変換回路６ｉへは増幅回路６ｇの出力信号のみが入力される。電流−電圧変換回路６ｉでは、増幅回路６ｇの出力信号の電流値に応じた電圧値を持つ信号を出力する。
【００８８】
電流−電圧変換回路６ｉの出力信号は増幅回路６ｊおよび増幅回路６ｐの双方に入力される。このとき、バイアス回路６ｑが能動状態であるから、バイアス回路６ｑからバイアス電流を受けて増幅回路６ｐは能動状態となっている。また、バイアス回路６ｋは非能動状態であるから、バイアス回路６ｋからバイアス電流を受けることができずに増幅回路６ｊは非能動状態となっている。かくして電流−電圧変換回路６ｉの出力信号は、増幅回路６ｐのみによって増幅される。増幅回路６ｐの出力信号は、整合回路６ｒで出力整合がとられた上で、出力端子６ｓを介して出力される。
【００８９】
このように利得可変ＬＮＡ６では、入力端子６ｅから整合回路６ｆ、増幅回路６ｇ、電流−電圧変換回路６ｉ、増幅回路６ｐおよび整合回路６ｒを経由して出力端子６ｓへと至る経路のみが有効となっている。そしてこの経路により信号が所望のレベルに増幅される。
【００９０】
利得可変ＬＮＡ６の出力端子６ｓの出力信号は、入力端子８ｅから直交復調器８へ入力される。入力端子８ｅから入力された信号は、整合回路８ｆで入力整合がとられた上で増幅回路８ｇへ入力される。このとき、バイアス回路８ｈが能動状態であるから、バイアス回路８ｈからバイアス電流を受けて増幅回路８ｇは能動状態となっている。従って整合回路８ｆの出力信号は、増幅回路８ｇにより増幅される。そして増幅回路８ｇの出力信号は、電流−電圧変換回路８ｉへ入力される。
【００９１】
電流−電圧変換回路８ｉへは、増幅回路８ｃの出力信号も入力されるようになっている。しかし、増幅回路８ｇが能動状態であるときに増幅回路８ｃは非能動状態とされるため、電流−電圧変換回路８ｉへは増幅回路８ｇの出力信号のみが入力される。電流−電圧変換回路８ｉでは、増幅回路８ｇの出力信号の電流値に応じた電圧値を持つ信号を出力する。
【００９２】
電流−電圧変換回路８ｉの出力信号はミキサ８ｊおよびミキサ８ｎの双方に入力される。ミキサ８ｊでは、シンセサイザ９から出力されたcdmaOne800システム用のローカル信号がそのままの位相で電流−電圧変換回路８ｉの出力信号とミキシングされる。そしてこの結果としてミキサ８ｊでは、Ｉ系列のベースバンド信号が取り出される。またミキサ８ｎでは、移相器８ｐを介して与えられるcdmaOne800システム用のローカル信号、すなわちミキサ８ｊが使用するローカル信号に対して９０°の位相差を持つcdmaOne800システム用のローカル信号が電流−電圧変換回路８ｉの出力信号とミキシングされる。そしてこの結果としてミキサ８ｎでは、Ｑ系列のベースバンド信号が取り出される。なお、ミキサ８ｊ，８ｎでそれぞれ取り出されたベースバンド信号は、cdmaOne800システムでのベースバンドである0〜614.4kHzの周波数帯域を持つ。
【００９３】
直交復調器８の出力信号は、ベースバンドローパスフィルタ１３およびバースバンドローパスフィルタ１４の双方に入力される。しかし、ベースバンドローパスフィルタ１３は非能動状態であるので、直交復調器８の出力信号は、実質的にはベースバンドローパスフィルタ１４のみに入力される。ベースバンドローパスフィルタ１４には、直交復調器１２の出力信号も入力されるようになっている。しかし、直交復調器１２は非能動状態であるので、ベースバンドローパスフィルタ１４には直交復調器８の出力信号のみが入力される。かくして、直交復調器８，１２およびベースバンドローパスフィルタ１３，１４の間では、直交復調器８からベースバンドローパスフィルタ１４への信号経路のみが有効となっている。
【００９４】
ベースバンドローパスフィルタ１４では、直交復調器８の出力信号から、cdmaOne800システムのベースバンド外である不要な周波数成分が除去される。ベースバンドＶＧＡ１５では、ベースバンドローパスフィルタ１４の出力信号が所望のレベルに増幅される。ＡＤＣ１６では、ベースバンドＶＧＡ１５の出力信号がデジタル信号に変換される。そしてＡＤＣ１６の出力信号がベースバンド部２７へ入力される。なお、ベースバンドＶＧＡ１５へはベースバンドローパスフィルタ１３の出力信号も入力されるようになっているが、ベースバンドローパスフィルタ１３は非能動状態であるので、ベースバンドＶＧＡ１５へはベースバンドローパスフィルタ１４の出力信号のみが入力される。
【００９５】
以上のようにcdmaOne800モードでは、デュプレクサ４、利得可変ＬＮＡ６、直交復調器８、ベースバンドローパスフィルタ１４、ベースバンドＶＧＡ１５およびＡＤＣ１６よりなる経路によりcdmaOne800システムに適応した受信処理が行われる。
【００９６】
＜PDC1500モード＞
PDC1500モードは、PDC1500システム用無線機として動作するモードである。
【００９７】
このPDC1500モードを選択した場合にベースバンド部２７は、各種の制御信号により各部を以下のような状態に制御する。
アンテナスイッチ２：ＲＦフィルタ１０を選択。
直交復調器８：非能動状態。
シンセサイザ９：PDC1500システム用のローカル周波数を発振。
直交復調器１２：能動状態。
ベースバンドローパスフィルタ１３：能動状態。
ベースバンドローパスフィルタ１４：非能動状態。
ベースバンドＶＧＡ１５：能動状態。
ＡＤＣ１６：能動状態。
【００９８】
さて、アンテナ１にて受信された受信信号は、アンテナスイッチ２によりＲＦフィルタ１０へ入力される。ＲＦフィルタ１０では、受信信号からPDC1500システムの使用無線周波数である1477.05〜1500.95MHzの周波数成分が抽出される。つまりＲＦフィルタ１０では、種々の周波数成分が混在した受信信号から、PDC1500システムの信号が抽出される。
【００９９】
利得可変ＬＮＡ１１では、ＲＦフィルタ１０の出力信号が所望のレベルに増幅される。直交復調器１２では、利得可変ＬＮＡ１１の出力信号が、シンセサイザ９から出力されたPDC1500システム用のローカル信号を使用して直交復調される。この直交復調により取り出されるＩ系列およびＱ系列のそれぞれのベースバンド信号は、PDC1500システムでのベースバンドである0〜10.5kHzの周波数帯域を持つ。
【０１００】
直交復調器１２の出力信号は、ベースバンドローパスフィルタ１３およびバースバンドローパスフィルタ１４の双方に入力される。しかし、ベースバンドローパスフィルタ１４は非能動状態であるので、直交復調器１２の出力信号は、実質的にはベースバンドローパスフィルタ１３のみに入力される。ベースバンドローパスフィルタ１３には、直交復調器８の出力信号も入力されるようになっている。しかし、直交復調器８は非能動状態であるので、ベースバンドローパスフィルタ１３には直交復調器１２の出力信号のみが入力される。かくして、直交復調器８，１２およびベースバンドローパスフィルタ１３，１４の間では、直交復調器１２からベースバンドローパスフィルタ１３への信号経路のみが有効となっている。
【０１０１】
ベースバンドローパスフィルタ１３では、直交復調器８の出力信号から、PDC1500システムのベースバンド外である不要な周波数成分が除去される。ベースバンドＶＧＡ１５では、ベースバンドローパスフィルタ１３の出力信号が所望のレベルに増幅される。ＡＤＣ１６では、ベースバンドＶＧＡ１５の出力信号がデジタル信号に変換される。そしてＡＤＣ１６の出力信号がベースバンド部２７へ入力される。なお、ベースバンドＶＧＡ１５へはベースバンドローパスフィルタ１４の出力信号も入力されるようになっているが、ベースバンドローパスフィルタ１４は非能動状態であるので、ベースバンドＶＧＡ１５へはベースバンドローパスフィルタ１３の出力信号のみが入力される。
【０１０２】
以上のようにPDC1500モードでは、ＲＦフィルタ１０、利得可変ＬＮＡ１１、直交復調器１２、ベースバンドローパスフィルタ１３、ベースバンドＶＧＡ１５およびＡＤＣ１６よりなる経路によりPDC1500システムに適応した受信処理が行われる。
【０１０３】
＜cdma2000シングルモード＞
cdma2000シングルモードは、cdma2000システム用無線機として動作し、かつcdma2000システムのシングルキャリア信号を受信するモードである。
【０１０４】
このcdma2000シングルモードを選択した場合にベースバンド部２７は、各種の制御信号により各部を以下のような状態に制御する。
アンテナスイッチ２：デュプレクサ１７を選択。
直交復調器２１：能動状態。
シンセサイザ９：cdma2000システム用のローカル周波数を発振。
ベースバンドローパスフィルタ２２：能動状態。cdma2000シングルモード。
ベースバンドＶＧＡ２３：能動状態。
ＡＤＣ２４：能動状態。
マルチキャリア信号分割用ミキサ部２５：非能動状態
さて、アンテナ１にて受信された受信信号は、アンテナスイッチ２によりデュプレクサ１７へ入力される。デュプレクサ１７では、受信信号からcdma2000システムの使用無線周波数である2110〜2170MHzの周波数成分が抽出される。つまりデュプレクサ１７では、種々の周波数成分が混在した受信信号から、cdma2000システムの信号が抽出される。
【０１０５】
利得可変ＬＮＡ１９では、デュプレクサ１７の出力信号が所望のレベルに増幅される。ＲＦフィルタ２０では、利得可変ＬＮＡ１９の出力信号からcdma2000システムの使用無線周波数の帯域外である不要な周波数成分が除去される。直交復調器２１では、ＲＦフィルタ２０の出力信号が、シンセサイザ９から出力されたcdma2000システム用のローカル信号を使用して直交復調される。この直交復調により取り出されるＩ系列およびＱ系列のそれぞれのベースバンド信号は、cdma2000システムでのシングルキャリア信号のベースバンドである0〜614.4kHzの周波数帯域を持つ。
【０１０６】
ベースバンドローパスフィルタ２２では、直交復調器２１の出力信号からcdma2000システムのシングルキャリア信号のベースバンド外である不要な周波数成分が除去される。ベースバンドＶＧＡ２３では、ベースバンドローパスフィルタ２２の出力信号が所望のレベルに増幅される。ＡＤＣ２４では、ベースバンドＶＧＡ２３の出力信号がデジタル信号に変換される。そしてＡＤＣ２４の出力信号がベースバンド部２７へ入力される。なお、ＡＤＣ２４の出力信号はマルチキャリア信号分割用ミキサ部２５にも入力されるようになっているが、マルチキャリア信号分割用ミキサ部２５は非能動状態となっている。
【０１０７】
以上のようにcdma2000シングルモードでは、デュプレクサ１７、利得可変ＬＮＡ１９、ＲＦフィルタ２０、直交復調器２１、ベースバンドローパスフィルタ２２、ベースバンドＶＧＡ２３およびＡＤＣ２４よりなる経路によりcdma2000システムのシングルキャリア信号に適応した受信処理が行われる。
【０１０８】
＜cdma2000マルチモード＞
cdma2000マルチモードは、cdma2000システム用無線機として動作し、かつcdma2000システムのマルチキャリア信号を受信するモードである。
【０１０９】
このcdma2000マルチモードを選択した場合にベースバンド部２７は、各種の制御信号により各部を以下のような状態に制御する。
アンテナスイッチ２：デュプレクサ１７を選択。
直交復調器２１：能動状態。
シンセサイザ９：cdma2000システム用のローカル周波数を発振。
ベースバンドローパスフィルタ２２：能動状態。cdma2000マルチモード。
ベースバンドＶＧＡ２３：能動状態。
ＡＤＣ２４：能動状態。
マルチキャリア信号分割用ミキサ部２５：能動状態
さて、アンテナ１にて受信された受信信号は、アンテナスイッチ２によりデュプレクサ１７へ入力される。デュプレクサ１７では、受信信号からcdma2000システムの使用無線周波数である2110〜2170MHzの周波数成分が抽出される。つまりデュプレクサ１７では、種々の周波数成分が混在した受信信号から、cdma2000システムの信号が抽出される。
【０１１０】
利得可変ＬＮＡ１９では、デュプレクサ１７の出力信号が所望のレベルに増幅される。ＲＦフィルタ２０では、利得可変ＬＮＡ１９の出力信号からcdma2000システムの使用無線周波数の帯域外である不要な周波数成分が除去される。直交復調器２１では、ＲＦフィルタ２０の出力信号が、シンセサイザ９から出力されたcdma2000システム用のローカル信号を使用して直交復調される。この直交復調により取り出されるＩ系列およびＱ系列のそれぞれのベースバンド信号は、cdma2000システムでのマルチキャリア信号のベースバンドである0〜1.8432MHzの周波数帯域を持つ。
【０１１１】
ベースバンドローパスフィルタ２２では、直交復調器２１の出力信号からcdma2000システムのマルチキャリア信号のベースバンド外である不要な周波数成分が除去される。ベースバンドＶＧＡ２３では、ベースバンドローパスフィルタ２２の出力信号が所望のレベルに増幅される。ＡＤＣ２４では、ベースバンドＶＧＡ２３の出力信号がデジタル信号に変換される。そしてＡＤＣ２４の出力信号がベースバンド部２７へ入力される。
【０１１２】
cdma2000マルチモードにおいては、cdma2000シングルモードと異なり、マルチキャリア信号分割用ミキサ部２５は能動状態となっている。従って、ＡＤＣ２４の出力信号がマルチキャリア信号分割用ミキサ部２５で処理される。
【０１１３】
ところでcdma2000マルチモードは、３つの隣り合うチャネルを同時に用いて高容量なデータ通信を行うモードである。従ってマルチキャリア信号には、図５に示すような３つのチャネルの信号が含まれる。これら第１乃至第３のチャネルは、それぞれ異なる周波数帯域が割り当てられている。各チャネルに割り当てられた周波数の中心周波数をそれぞれf1，f2，f3と示すとき、これらの各周波数は以下の関係を満たす。
【０１１４】
f1＝f2−Δf
f3＝f2＋Δf
このようなマルチキャリア信号の受信時には、ＡＤＣ２４の出力信号には、第２チャネルch2の信号と同時に第１チャネルch1および第３チャネルch3の信号が含まれている状態となる。第２チャネルch2の信号については、ＡＤＣ２４の出力信号として取り出すことができる。第１チャネルch1および第３チャネルch3の信号は、以下のようにしてマルチキャリア信号分割用ミキサ部２５により取り出される。
【０１１５】
マルチキャリア信号の受信時におけるマルチキャリア信号分割用ミキサ部２５への入力信号入力信号SRF(t)は、下記の式(1)により表わされる。
【０１１６】
SRF(t)＝A1×cos(w1×t＋x1)＋A2×cos(w2×t＋x2)
＋A3×cos(w3×t＋x3)        …(1)
なお、上記の式(1)において、A1は第１チャネルch1の受信信号の振幅成分を示す。A2は第２チャネルch2の受信信号の振幅成分を示す。A3は第３チャネルch3の受信信号の振幅成分を示す。w1は第１チャネルch1の受信信号のキャリア角周波数を示す。w2は第２チャネルch2の受信信号のキャリア角周波数を示す。w3は第３チャネルch3の受信信号のキャリア角周波数を示す。x1は第１チャネルch1の受信信号の角周波数成分を示す。x2は第２チャネルch2の受信信号の角周波数成分を示す。x3は第３チャネルch3の受信信号の角周波数成分を示す。
【０１１７】
シンセサイザ９から出力されるローカル信号Li(t)と、それを９０°移相したローカル信号Lq(t)とを下記の式(2)および式(3)により表わす。
Li(t)＝B×cos(w2×t)                …(2)
Lq(t)＝B×cos(w2×t)                …(3)
シンセサイザ２６から出力されるローカル信号Mi(t)と、それを９０°移相したローカル信号Mq(t)とを下記の式(4)および式(5)により表わす。
Mi(t)＝C×cos(dw×t)                …(4)
Mq(t)＝C×cos(dw×t)                …(5)
ただし、dw＝w2−w1＝w3−w2である。
【０１１８】
そうすると、マルチキャリア信号分割用ミキサ部２５で取り出される４つの信号は、それぞれ下記の式(6)〜式(9)により表わされる。
T1i(t)＝(A1×B×C／2)×cos(x1)      …(6)
T1q(t)＝−(A1×B×C／2)×sin(x1)    …(7)
T3i(t)＝(A3×B×C／2)×cos(x3)      …(8)
T3q(t)＝−(A3×B×C／2)×sin(x3)    …(9)
かくして、上記のT1i(t)として第１チャネルch1に関するＩ系列のベースバンド信号が取り出される。上記のT1q(t)として第１チャネルch1に関するＱ系列のベースバンド信号が取り出される。上記のT3i(t)として第３チャネルch1に関するＩ系列のベースバンド信号が取り出される。上記のT3q(t)として第３チャネルch1に関するＱ系列のベースバンド信号が取り出される。
【０１１９】
なお、第２チャネルch2に関するＩ系列のベースバンド信号T2i(t)およびＱ系列のベースバンド信号T2q(t)は、ＡＤＣ２４の出力において下記の式(10)および式(11)のように取り出される。
T2i(t)＝(A2×B／2)×cos(x2)        …(10)
T2q(t)＝−(A2×B／2)×sin(x2)      …(11)
以上のようにcdma2000マルチモードでは、デュプレクサ１７、利得可変ＬＮＡ１９、ＲＦフィルタ２０、直交復調器２１、ベースバンドローパスフィルタ２２、ベースバンドＶＧＡ２３およびＡＤＣ２４よりなる経路と、さらにマルチキャリア信号分割用ミキサ部２５を加えてなる経路とによりcdma2000システムのマルチキャリア信号に適応した受信処理が行われる。
【０１２０】
＜UMTS-FDDモード＞
UMTS-FDDモードは、UMTS-FDDシステム用無線機として動作するモードである。
【０１２１】
このUMTS-FDDモードを選択した場合にベースバンド部２７は、各種の制御信号により各部を以下のような状態に制御する。
アンテナスイッチ２：デュプレクサ１７を選択。
直交復調器２１：能動状態。
シンセサイザ９：UMTS-FDDシステム用のローカル周波数を発振。
ベースバンドローパスフィルタ２２：能動状態。UMTSモード。
ベースバンドＶＧＡ２３：能動状態。
ＡＤＣ２４：能動状態。
マルチキャリア信号分割用ミキサ部２５：非能動状態
さて、アンテナ１にて受信された受信信号は、アンテナスイッチ２によりデュプレクサ１７へ入力される。デュプレクサ１７では、受信信号からUMTS-FDDシステムの使用無線周波数である2110〜2170MHzの周波数成分が抽出される。つまりデュプレクサ１７では、種々の周波数成分が混在した受信信号から、UMTS-FDDシステムの信号が抽出される。
【０１２２】
利得可変ＬＮＡ１９では、デュプレクサ１７の出力信号が所望のレベルに増幅される。ＲＦフィルタ２０では、利得可変ＬＮＡ１９の出力信号からUMTS-FDDシステムの使用無線周波数の帯域外である不要な周波数成分が除去される。直交復調器２１では、ＲＦフィルタ２０の出力信号が、シンセサイザ９から出力されたUMTS-FDDシステム用のローカル信号を使用して直交復調される。この直交復調により取り出されるＩ系列およびＱ系列のそれぞれのベースバンド信号は、UMTS-FDDシステムのベースバンドである0〜1.92MHzの周波数帯域を持つ。
【０１２３】
ベースバンドローパスフィルタ２２では、直交復調器２１の出力信号からUMTS-FDDシステムのベースバンド外である不要な周波数成分が除去される。ベースバンドＶＧＡ２３では、ベースバンドローパスフィルタ２２の出力信号が所望のレベルに増幅される。ＡＤＣ２４では、ベースバンドＶＧＡ２３の出力信号がデジタル信号に変換される。そしてＡＤＣ２４の出力信号がベースバンド部２７へ入力される。なお、ＡＤＣ２４の出力信号はマルチキャリア信号分割用ミキサ部２５にも入力されるようになっているが、マルチキャリア信号分割用ミキサ部２５は非能動状態となっている。
【０１２４】
以上のようにUMTS-FDDモードでは、デュプレクサ１７、利得可変ＬＮＡ１９、ＲＦフィルタ２０、直交復調器２１、ベースバンドローパスフィルタ２２、ベースバンドＶＧＡ２３およびＡＤＣ２４よりなる経路によりUMTS-FDDシステムに適応した受信処理が行われる。
【０１２５】
なお、PDC800モード、cdmaOne800モードおよびPDC1500モードのいずれか１つと、cdma2000シングルモード、cdma2000マルチモードおよびUMTS-FDDモードのいずれか１つとは、並列的に使用することも可能である。すなわち、PDC800システム、cdmaOne800システムおよびPDC1500システムのうちのいずれか１つのシステムの信号の受信と、cdma2000のシングルキャリア信号、マルチキャリア信号およびUMTS-FDDシステムの信号のいずれかの受信とを同時に行うことが可能である。
【０１２６】
このように第１の実施形態のマルチモード無線機によれば、PDC800システム用無線機、cdmaOne800システム用無線機、PDC1500システム用無線機、cdma2000システム用無線機およびUMTS-FDDシステム用無線機のいずれとしても機能する。
【０１２７】
そして第１の実施形態によれば、利得可変ＬＮＡ６では、PDC800システムおよびcdmaOne800システムのそれぞれに関する信号の電流−電圧変換を共通の電流−電圧変換回路６ｉにより行うので、回路規模が抑えられる。しかも利得可変ＬＮＡ６での２つの信号経路の切り替えは、バイアス回路６ｄ，６ｈ，６ｋ，６ｑの動作状態を制御して増幅回路６ｃ，６ｇ，６ｊ，６ｐの動作状態を切り替えることにより行う。このため、信号経路中にスイッチ等の信号経路切り替え手段を新たに挿入することはなく、信号の損失が増大してしまうこともない。
【０１２８】
また第１の実施形態によれば、直交復調器８では、PDC800システムの信号とcdmaOne800システムの信号とそれぞれ直交復調することが可能であるから、個別の直交復調器を備える場合に比べて回路規模が縮小される。なお、PDC800システムの信号とcdmaOne800システムの信号とでは、直交復調器８に至る信号経路がそれぞれ異なっているが、それらの信号の選択は、PDC800システム用の増幅回路８ｃおよびバイアス回路８ｄとcdmaOne800システム用の増幅回路８ｇおよびバイアス回路８ｈとを個別に設け、バイアス回路８ｄ，８ｈの動作状態を制御して増幅回路８ｃ，８ｇを排他的に能動状態とすることにより行う。このため、信号経路中にスイッチ等の信号経路切り替え手段を新たに挿入することはなく、信号の損失が増大してしまうこともない。
【０１２９】
ところで、ある周波数範囲の最大周波数をfmax、最小周波数をfminと表わす場合に、その周波数範囲の比帯域幅および中心周波数は下記の式(12)および式(13)により求められる。
比帯域幅＝(fmax−fmin)／{(fmax×fmin)^0.5}      …(12)
中心周波数＝(fmax×fmin)^0.5                    …(13)
第１の実施形態において、整合回路６ｂ，６ｍおよび整合回路８ｂを通す信号はPDC800システムの信号であり、その周波数範囲は810.05〜827.95MHzおよび832.75〜869.25MHzである。従って、整合回路６ｂ，６ｍおよび整合回路８ｂを通す信号の比帯域幅および中心周波数はそれぞれ約0.09および約846.67MHzとなる。
【０１３０】
また、整合回路６ｇ，６ｐおよび整合回路８ｆを通す信号はcdmaOne800システムの信号であり、その周波数範囲は832.75〜869.25MHzである。従って、整合回路６ｇ，６ｑおよび整合回路８ｆを通す信号の比帯域幅および中心周波数はそれぞれ約0.04および約850.80MHzとなる。
【０１３１】
上記の式(12)により算出される比帯域幅は、大きいほど周波数範囲が広くなることを意味する。一般的に、この周波数範囲が広くなると、全ての周波数成分に関して所望の整合をとることが困難となる。現状では、比帯域幅が0.3以上となるような広い周波数範囲で所望の整合の取れる整合回路を実現することは困難である。
【０１３２】
しかし第１の実施形態によれば、上述のように整合回路６ｂ，６ｍおよび整合回路８ｂは約0.09の比帯域幅の信号について、また整合回路６ｆ，６ｒおよび整合回路８ｆは約0.04の比帯域幅の信号についてそれぞれ整合をとれば良いから、各整合回路６ｂ，６ｆ，６ｍ，６ｒおよび整合回路８ｂ，８ｆは容易に実現することができる。
【０１３３】
また第１の実施形態によれば、ベースバンドＶＧＡ１５およびＡＤＣ１６は、PDC800システム、cdmaOne800システムおよびPDC1500システムで、またベースバンドＶＧＡ２３およびＡＤＣ２４は、cdma2000システムおよびUMTS-FDDシステムでそれぞれ共用としているので、これらを個々に設ける場合に比べて回路規模が縮小できる。
【０１３４】
また第１の実施形態によれば、マルチキャリア信号分割用ミキサ部２５を備え、ＡＤＣ２４の出力信号から第１チャネルch1および第３チャネルch3のベースバンド信号を取り出すことができるので、利得可変ＬＮＡ１９、ＲＦフィルタ２０、直交復調器２１、ベースバンドローパスフィルタ２２、ベースバンドＶＧＡ２３およびＡＤＣ２４はcdma2000システムのシングルキャリア信号およびマルチキャリア信号のそれぞれの処理のために共用することが可能となっており、これらを個々に設ける場合に比べて回路規模が縮小できる。
【０１３５】
（第２の実施形態）
図６は第２の実施形態に係るマルチモード無線機のブロック図である。なお、図６において図１と同一部分には同一符号を付し、その詳細な説明は省略する。
【０１３６】
この第２の実施形態のマルチモード無線機は、欧州で用いられるGSM900システム、GSM1800システム、UMTS-FDDシステムおよびUMTS-TDDシステムの４つの無線通信システムに対応したマルチモード無線機である。すなわち、第２の実施形態のマルチモード無線機は、欧州で使用することを想定している。なお、GSM900システムとは、GSM（Global System for Mobile communications）方式を採用し、かつ使用無線数端数帯域が900MHz帯である無線通信システムを指す。GSM1800システムとは、GSM方式を採用し、かつ使用無線数端数帯域が1800MHz帯である無線通信システムを指す。UMTS-TDDシステムとは、UMTS-TDD（Universal Mobile Telecommunication System-Time Division Duplex）方式を採用する無線通信システムを指す。
【０１３７】
図６に示すように第２の実施形態のマルチモード無線機は、アンテナ１、デュプレクサ１７、入力端子１８、ＲＦフィルタ２０、ベースバンドＶＧＡ２３，３９、ＡＤＣ２４，４０、アンテナスイッチ３０、ＲＦフィルタ３１，３５、利得可変ＬＮＡ３２，３６、直交復調器３３，３７，４２、シンセサイザ３４、ベースバンドローパスフィルタ３８，４３、利得可変ＬＮＡ４１およびベースバンド部４４を含む。
【０１３８】
アンテナ１にて受信された受信信号は、アンテナスイッチ３０に入力される。アンテナスイッチ３０は、ベースバンド部４４から入力される制御信号に基づいてＲＦフィルタ３１、ＲＦフィルタ３５およびデュプレクサ１７のうちの１つを選択し、受信信号を与える。
【０１３９】
ＲＦフィルタ３１は、入力される受信信号からGSM900システムで不要な信号成分を減衰させる。すなわちＲＦフィルタ３１は、GSM900システムの使用無線周波数である925〜960MHzの周波数成分を減衰させることなく通過させ、これ以外の周波数成分を減衰させるという特性を有する。かくしてＲＦフィルタ３１は、GSM900システムに関する受信信号を抽出する。
【０１４０】
利得可変ＬＮＡ３２へは、ＲＦフィルタ３１の出力信号が入力される。利得可変ＬＮＡ３２は、入力される信号を所望のレベルに増幅する。利得可変ＬＮＡ３２は、信号増幅の際の利得をベースバンド部４４から入力される制御信号に応じて可変設定する。利得可変ＬＮＡ３２は、周知の構成のものであって良い。
【０１４１】
直交復調器３３へは、利得可変ＬＮＡ３２の出力信号が入力される。直交復調器３３は、シンセサイザ３４が発生するローカル信号を使用して上記入力される信号を直交復調する。直交復調器３３は、直交復調の結果として得られるＩ系列およびＱ系列の２系列のベースバンド信号をそれぞれ出力する。直交復調器３３は、周知の構成のものであって良い。
【０１４２】
シンセサイザ３４は、直交復調器３３，３７，４２で使用するためのローカル信号を発生する。シンセサイザ３４は、上記ローカル信号の周波数をベースバンド部４４から入力される制御信号で指示される周波数とする。
【０１４３】
ＲＦフィルタ３５は、入力される受信信号からGSM1800システムで不要な信号成分を減衰させる。すなわち、ＲＦフィルタ３５はGSM1800システムの使用無線周波数である1805〜1880MHzの信号は減衰させることなく通過させ、これ以外の周波数成分は減衰させるという特性を有する。かくしてＲＦフィルタ３５は、GSM1800システムに関する受信信号を抽出する。
【０１４４】
利得可変ＬＮＡ３６へは、ＲＦフィルタ３５の出力信号が入力される。利得可変ＬＮＡ３６は、入力される信号を所望のレベルに増幅する。利得可変ＬＮＡ３６は、信号増幅の際の利得を上記制御信号に応じて可変設定する。利得可変ＬＮＡ３６は、周知の構成のものであって良い。
【０１４５】
直交復調器３７へは、利得可変ＬＮＡ３６の出力信号が入力される。直交復調器３７は、シンセサイザ３４が発生するローカル信号を使用して上記入力される信号を直交復調する。直交復調器３７は、直交復調の結果として得られるＩ系列およびＱ系列の２系列のベースバンド信号をそれぞれ出力する。直交復調器３７は、周知の構成のものであって良い。
【０１４６】
なお、直交復調器３３および直交復調器３７は、ベースバンド部４４から入力される制御信号に基づいて排他的に動作する。すなわち直交復調器３３および直交復調器３７は、いずれか一方が信号を出力する際には、他方は信号を出力しない。
【０１４７】
ベースバンドローパスフィルタ３８へは、直交復調器３３および直交復調器３７の出力信号が入力される。ベースバンドローパスフィルタ３８は、GSM900システムおよびGSM1800システムにおけるベースバンドである0〜100kHzの成分は減衰させることなく通過させ、これ以外の不要な周波数成分を減衰させるという特性を有する。なお、ベースバンドローパスフィルタ３８に必要とされる性能は、ベースバンド部４４の性能に依存して異なってくるため、ここでは詳細な検討は省略する。
【０１４８】
ベースバンドＶＧＡ３９へは、ベースバンドローパスフィルタ３８の出力信号が入力される。ベースバンドＶＧＡ３９は、上記の入力信号を所望のレベルに増幅する。ベースバンドＶＧＡ３９は、ベースバンド部４４から入力される制御信号により、入力された信号が所望のレベルに増幅されるように利得を設定する。
【０１４９】
ＡＤＣ４０へは、ベースバンドＶＧＡ３９の出力信号が入力される。ＡＤＣ４０は、入力信号をデジタル信号に変換する。ＡＤＣ４０は、ベースバンド部４４から入力される制御信号に応じて、サンプリング速度とビット数とを可変設定する。なおＡＤＣ４０の所要性能は、ベースバンド部４４の性能に依存して異なってくるため、ここでは詳細な検討は省略する。
【０１５０】
利得可変ＬＮＡ４１へは、デュプレクサ１７の出力信号が入力される。利得可変ＬＮＡ４１は、入力される信号を所望のレベルに増幅する。利得可変ＬＮＡ４１は、第１および第２の２つの出力端子を有する。利得可変ＬＮＡ４１は、ベースバンド部４４から入力される制御信号に応じてこれらの出力端子のいずれかを選択する。利得可変ＬＮＡ４１は、選択している出力端子から増幅後の信号を出力する。上記第２の出力端子は、ＲＦフィルタ２０に接続される。
【０１５１】
直交復調器４２は、第１および第２の２つの入力端子を有する。そして第１の入力端子には利得可変ＬＮＡ４１の第１の出力端子の出力信号が入力され、第２の入力端子にはＲＦフィルタ２０の出力信号が入力される。直交復調器４２は、これらの２つの入力端子に入力される信号のいずれかをベースバンド部４４から入力される制御信号に基づいて選択する。直交復調器４２は、シンセサイザ３４が発生するローカル信号を使用して上記選択した信号を直交復調する。直交復調器４２は、直交復調の結果として得られるＩ系列およびＱ系列の２系列のベースバンド信号をそれぞれ出力する。この直交復調器４２の回路構成は、直交復調器８と同様であり、図４に示すものである。ただし直交復調器４２における整合回路８ｂ，８ｆは、UMTSシステムやcdma200システムの使用無線周波数帯である1930〜2170MHzに適応する特性とする。
【０１５２】
なお、直交復調器４２は、ベースバンド部４４から入力される制御信号に基づいて、直交復調器３３，３７の動作状態とは無関係に能動状態となる。すなわち直交復調器４２は、直交復調器３３，３８と同時に能動状態になり得る。
【０１５３】
ベースバンドローパスフィルタ４３へは、直交復調器４２の出力信号が入力される。ベースバンドローパスフィルタ４３は、UMTS-FDDシステムおよびUMTS-TDDシステムのベースバンドである0〜1.92MHzの成分は減衰させることなく通過させ、これ以外の不要な周波数成分を減衰させるという特性を有する。そしてこのベースバンドローパスフィルタ４３の出力信号は、ベースバンドＶＧＡ２３へ入力される。なお、ベースバンドローパスフィルタ４３に必要とされる性能は、ベースバンド部４４の性能に依存して異なってくるため、ここでは詳細な検討は省略する。
【０１５４】
なおベースバンドローパスフィルタ４３は、ベースバンド部４４から入力される制御信号に基づいて、ベースバンドローパスフィルタ３８，１４の動作状態とは無関係に能動状態となる。すなわちベースバンドローパスフィルタ４３は、ベースバンドローパスフィルタ３８と同時に能動状態になり得る。
【０１５５】
ベースバンド部４４へは、ＡＤＣ４０およびＡＤＣ２４の出力信号がそれぞれ入力される。ベースバンド部４４は、これらの入力信号に対して、各無線通信システムに応じた周知のベースバンド処理を施す。またベースバンド部４４へは、いずれの無線通信システムの信号の受信を行うかに応じて、前述の各部の動作状態を制御する。なお、いずれの無線通信システムの信号の受信を行うかは、ユーザからの指示に応じて決定しても良いし、あるいは所定の条件に基づいて自動的に決定しても良い。
【０１５６】
図７は利得可変ＬＮＡ４１の回路図である。なお、図２と同一部分には同一符号を付し、その詳細な説明は省略する
図７に示すように利得可変ＬＮＡ４１は、入力端子６ａ、整合回路６ｂ，６ｍ，６ｒ、増幅回路６ｃ，６ｊ，６ｐ、バイアス回路６ｄ，６ｋ，６ｑ、電流−電圧変換回路６ｉ、出力端子６ｎ，６ｓ、制御信号端子６ｔおよびロジック回路４１ａを含む。
【０１５７】
すなわち利得可変ＬＮＡ４１は、第１の実施形態における利得可変ＬＮＡ６に類似した構成を有する。ただし利得可変ＬＮＡ４１は、利得可変ＬＮＡ６に含まれていた入力端子６ｅ、整合回路６ｆ、増幅回路６ｇおよびバイアス回路６ｈを除去し、入力側を１系統のみとしている。
【０１５８】
なお、利得可変ＬＮＡ４１における整合回路６ｂ，６ｍ，６ｒは、UMTSシステムやcdma200システムの使用無線周波数帯である1930〜2170MHzに適応する特性とする。
【０１５９】
ロジック回路４１ａへは、ベースバンド部４４から入力される制御信号が制御信号端子６ｔを介して入力される。ロジック回路４１ａは、上記制御信号によりUMTS-TDDモードが指示されたことに応じて、バイアス回路６ｋを能動状態とする制御信号を出力する。またロジック回路４１ａは、上記制御信号によりUMTS-FDDモードが指示されたことに応じて、バイアス回路６ｑを能動状態とする制御信号を出力する。
【０１６０】
次に以上のように構成されたマルチモード無線機の動作につき説明する。
【０１６１】
＜GSM900モード＞
GSM900モードは、GSM900システム用無線機として動作するモードである。
【０１６２】
このGSM900モードを選択した場合にベースバンド部４４は、各種の制御信号により各部を以下のような状態に制御する。
アンテナスイッチ３０：ＲＦフィルタ３１を選択。
直交復調器３３：能動状態。
シンセサイザ３４：GSM900システム用のローカル周波数を発振。
直交復調器３７：非能動状態。
ベースバンドローパスフィルタ３８：能動状態。
ベースバンドＶＧＡ３９：能動状態。
ＡＤＣ４０：能動状態。
【０１６３】
さて、アンテナ１にて受信された受信信号は、アンテナスイッチ３０によりＲＦフィルタ３１へ入力される。ＲＦフィルタ３１では、受信信号からGSM900システムの使用無線周波数である925〜960MHzの周波数成分が抽出される。つまりＲＦフィルタ３１では、種々の周波数成分が混在した受信信号から、GSM900システムの信号が抽出される。
【０１６４】
利得可変ＬＮＡ３２では、ＲＦフィルタ３１の出力信号が所望のレベルに増幅される。直交復調器３３では、利得可変ＬＮＡ３２の出力信号が、シンセサイザ３４から出力されたGSM900システム用のローカル信号を使用して直交復調される。この直交復調により取り出されるＩ系列およびＱ系列のそれぞれのベースバンド信号は、GSM900システムでのベースバンドである0〜100kHzの周波数帯域を持つ。
【０１６５】
ベースバンドローパスフィルタ３８では、直交復調器３３の出力信号から、GSM900システムのベースバンド外である不要な周波数成分が除去される。なおベースバンドローパスフィルタ３８へは、直交復調器３７の出力信号も入力されるようになっているが、直交復調器３７は非能動状態であるので、ベースバンドローパスフィルタ３８へは直交復調器３３の出力信号のみが入力される。ベースバンドＶＧＡ３９では、ベースバンドローパスフィルタ３８の出力信号が所望のレベルに増幅される。ＡＤＣ４０では、ベースバンドＶＧＡ３９の出力信号がデジタル信号に変換される。そしてＡＤＣ３９の出力信号がベースバンド部４４へ入力される。
【０１６６】
以上のようにGSM900モードでは、ＲＦフィルタ３１、利得可変ＬＮＡ３２、直交復調器３３、ベースバンドローパスフィルタ３８、ベースバンドＶＧＡ３９およびＡＤＣ４０よりなる経路によりGSM900システムに適応した受信処理が行われる。
【０１６７】
＜GSM1800モード＞
GSM1800モードは、GSM1800システム用無線機として動作するモードである。
【０１６８】
このGSM1800モードを選択した場合にベースバンド部４４は、各種の制御信号により各部を以下のような状態に制御する。
アンテナスイッチ３０：ＲＦフィルタ３５を選択。
直交復調器３３：非能動状態。
シンセサイザ３４：GSM1800システム用のローカル周波数を発振。
直交復調器３７：能動状態。
ベースバンドローパスフィルタ３８：能動状態。
ベースバンドＶＧＡ３９：能動状態。
ＡＤＣ４０：能動状態。
【０１６９】
さて、アンテナ１にて受信された受信信号は、アンテナスイッチ３０によりＲＦフィルタ３５へ入力される。ＲＦフィルタ３５では、受信信号からGSM1800システムの使用無線周波数である1805〜1880MHzの周波数成分が抽出される。つまりＲＦフィルタ３５では、種々の周波数成分が混在した受信信号から、GSM1800システムの信号が抽出される。
【０１７０】
利得可変ＬＮＡ３６では、ＲＦフィルタ３５の出力信号が所望のレベルに増幅される。直交復調器３７では、利得可変ＬＮＡ３６の出力信号が、シンセサイザ３４から出力されたGSM1800システム用のローカル信号を使用して直交復調される。この直交復調により取り出されるＩ系列およびＱ系列のそれぞれのベースバンド信号は、GSM1800システムでのベースバンドである0〜100kHzの周波数帯域を持つ。
【０１７１】
ベースバンドローパスフィルタ３８では、直交復調器３７の出力信号から、GSM1800システムのベースバンド外である不要な周波数成分が除去される。なおベースバンドローパスフィルタ３８へは、直交復調器３３の出力信号も入力されるようになっているが、直交復調器３３は非能動状態であるので、ベースバンドローパスフィルタ３８へは直交復調器３７の出力信号のみが入力される。ベースバンドＶＧＡ３９では、ベースバンドローパスフィルタ３８の出力信号が所望のレベルに増幅される。ＡＤＣ４０では、ベースバンドＶＧＡ３９の出力信号がデジタル信号に変換される。そしてＡＤＣ３９の出力信号がベースバンド部４４へ入力される。
【０１７２】
以上のようにGSM1800モードでは、ＲＦフィルタ３５、利得可変ＬＮＡ３６、直交復調器３７、ベースバンドローパスフィルタ３８、ベースバンドＶＧＡ３９およびＡＤＣ４０よりなる経路によりGSM1800システムに適応した受信処理が行われる。
【０１７３】
＜UMTS-FDDモード＞
UMTS-FDDモードは、UMTS-FDDシステム用無線機として動作するモードである。
【０１７４】
このUMTS-FDDモードを選択した場合にベースバンド部４４は、各種の制御信号により各部を以下のような状態に制御する。
アンテナスイッチ３０：デュプレクサ１７を選択。
シンセサイザ３４：UMTSシステム用のローカル周波数を発振。
利得可変ＬＮＡ４１：バイアス回路６ｑが能動状態。
【０１７５】
直交復調器４２：バイアス回路８ｈが能動状態。
ベースバンドローパスフィルタ４３：能動状態。
ベースバンドＶＧＡ２３：能動状態。
ＡＤＣ２４：能動状態。
さて、アンテナ１にて受信された受信信号は、アンテナスイッチ３０によりデュプレクサ１７へ入力される。デュプレクサ１７では、受信信号からUMTS-FDDシステムの使用無線周波数である2110〜2170MHzの周波数成分が抽出される。つまりデュプレクサ１７では、種々の周波数成分が混在した受信信号から、UMTS-FDDシステムの信号が抽出される。
【０１７６】
デュプレクサ４の出力信号は、入力端子６ａから利得可変ＬＮＡ４１へ入力される。利得可変ＬＮＡ４１では、増幅回路６ｃはバイアス回路６ｄからバイアス電流を受けて能動状態となっている。またバイアス回路６ｑが能動状態であるから、バイアス回路６ｑからバイアス電流を受けて増幅回路６ｐは能動状態となっている。すなわち利得可変ＬＮＡ４１では、入力端子６ａから整合回路６ｂ、増幅回路６ｃ、電流−電圧変換回路６ｉ、増幅回路６ｐおよび整合回路６ｒを経由して出力端子６ｓへと至る経路のみが有効となっている。そしてこの経路により、デュプレクサ４の出力信号が所望のレベルに増幅される。
【０１７７】
利得可変ＬＮＡ４１の出力端子６ｓの出力信号は、ＲＦフィルタ２０に入力される。ＲＦフィルタ２０では、利得可変ＬＮＡ４１の出力信号からUMTS-FDDシステムの使用無線周波数の帯域外である不要な周波数成分が除去される。ＲＦフィルタ２０の出力信号は、入力端子８ｅから直交復調器４２へ入力される。直交復調器４２では、バイアス回路８ｈが能動状態であるから、バイアス回路８ｈからバイアス電流を受けて増幅回路８ｇは能動状態となっている。このため、直交復調器４２では、入力端子８ｅ、整合回路８ｆ、増幅回路８ｇおよび電流−電圧変換回路８ｉを介してミキサ８ｊ，８ｎへと至る経路が有効となっている。従って、直交復調器４２では、ＲＦフィルタ２０の出力信号が、シンセサイザ９から出力されたUMTSシステム用のローカル信号を用いて直交復調される。この直交復調により取り出されるＩ系列およびＱ系列のそれぞれのベースバンド信号は、UMTS-FDDシステムでのベースバンドである0〜1.92MHzの周波数帯域を持つ。
【０１７８】
ベースバンドローパスフィルタ４３では、直交復調器４２の出力信号からUMTS-FDDシステムのベースバンド外である不要な周波数成分が除去される。ベースバンドＶＧＡ２３では、ベースバンドローパスフィルタ４３の出力信号が所望のレベルに増幅される。ＡＤＣ２４では、ベースバンドＶＧＡ２３の出力信号がデジタル信号に変換される。そしてＡＤＣ２４の出力信号がベースバンド部４４へ入力される。
【０１７９】
以上のようにUMTS-FDDモードでは、デュプレクサ１７、利得可変ＬＮＡ４１、ＲＦフィルタ２０、直交復調器４２、ベースバンドローパスフィルタ４３、ベースバンドＶＧＡ２３およびＡＤＣ２４よりなる経路によりUMTS-FDDシステムに適応した受信処理が行われる。
【０１８０】
＜UMTS-TDDモード＞
UMTS-TDDモードは、UMTS-TDDシステム用無線機として動作するモードである。
【０１８１】
このUMTS-TDDモードを選択した場合にベースバンド部４４は、各種の制御信号により各部を以下のような状態に制御する。
アンテナスイッチ３０：デュプレクサ１７を選択。
シンセサイザ３４：UMTSシステム用のローカル周波数を発振。
利得可変ＬＮＡ４１：バイアス回路６ｋが能動状態。
【０１８２】
直交復調器４２：バイアス回路８ｄが能動状態。
ベースバンドローパスフィルタ４３：能動状態。
ベースバンドＶＧＡ２３：能動状態。
ＡＤＣ２４：能動状態。
さて、アンテナ１にて受信された受信信号は、アンテナスイッチ３０によりデュプレクサ１７へ入力される。デュプレクサ１７では、受信信号からUMTS-TDDシステムの使用無線周波数である2110〜2170MHzの周波数成分が抽出される。つまりデュプレクサ１７では、種々の周波数成分が混在した受信信号から、UMTS-TDDシステムの信号が抽出される。
【０１８３】
デュプレクサ４の出力信号は、入力端子６ａから利得可変ＬＮＡ４１へ入力される。利得可変ＬＮＡ４１では、増幅回路６ｃはバイアス回路６ｄからバイアス電流を受けて能動状態となっている。またバイアス回路６ｋが能動状態であるから、バイアス回路６ｋからバイアス電流を受けて増幅回路６ｊは能動状態となっている。すなわち利得可変ＬＮＡ４１では、入力端子６ａから整合回路６ｂ、増幅回路６ｃ、電流−電圧変換回路６ｉ、増幅回路６ｊおよび整合回路６ｍを経由して出力端子６ｎへと至る経路のみが有効となっている。そしてこの経路により、デュプレクサ４の出力信号が所望のレベルに増幅される。
【０１８４】
利得可変ＬＮＡ４１の出力端子６ｎの出力信号は、入力端子８ａから直交復調器４２へ入力される。直交復調器４２では、バイアス回路８ｄが能動状態であるから、バイアス回路８ｄからバイアス電流を受けて増幅回路８ｃは能動状態となっている。このため、直交復調器４２では、入力端子８ａ、整合回路８ｂ、増幅回路８ｃおよび電流−電圧変換回路８ｉを介してミキサ８ｊ，８ｎへと至る経路が有効となっている。従って、直交復調器４２では、利得可変ＬＮＡ４１の出力端子６ｎの出力信号が、シンセサイザ９から出力されたUMTSシステム用のローカル信号を用いて直交復調される。この直交復調により取り出されるＩ系列およびＱ系列のそれぞれのベースバンド信号は、UMTS-TDDシステムでのベースバンドである0〜1.92MHzの周波数帯域を持つ。
【０１８５】
ベースバンドローパスフィルタ４３では、直交復調器４２の出力信号からUMTS-TDDシステムのベースバンド外である不要な周波数成分が除去される。ベースバンドＶＧＡ２３では、ベースバンドローパスフィルタ４３の出力信号が所望のレベルに増幅される。ＡＤＣ２４では、ベースバンドＶＧＡ２３の出力信号がデジタル信号に変換される。そしてＡＤＣ２４の出力信号がベースバンド部４４へ入力される。
【０１８６】
以上のようにUMTS-TDDモードでは、デュプレクサ１７、利得可変ＬＮＡ４１、直交復調器４２、ベースバンドローパスフィルタ４３、ベースバンドＶＧＡ２３およびＡＤＣ２４よりなる経路によりUMTS-TDDシステムに適応した受信処理が行われる。
【０１８７】
なお、GSM900モードおよびGSM1800モードのいずれかと、UMTS-FDDモードおよびUMTS-TDDモードのいずれか１つとは、並列的に使用することも可能である。すなわち、GSM900システムおよびGSM1800システムのうちのいずれかのシステムの信号の受信と、UMTS-FDDシステムおよびUMTS-TDDシステムのうちのいずれかのシステムの信号の受信とを同時に行うことが可能である。
【０１８８】
このように第２の実施形態のマルチモード無線機によれば、GSM900システム用無線機、GSM1800システム用無線機、UMTS-FDDシステム用無線機およびUMTS-FDDシステム用無線機のいずれとしても機能する。
【０１８９】
そして第２の実施形態によれば、利得可変ＬＮＡ４１では、UMTS-FDDシステムおよびUMTS-TDDシステムのそれぞれに関する信号の電流−電圧変換を共通の電流−電圧変換回路６ｉにより行うので、回路規模が抑えられる。しかも利得可変ＬＮＡ４１での２つの信号経路の切り替えは、バイアス回路６ｋ，６ｑの動作状態を制御して増幅回路６ｊ，６ｐの動作状態を切り替えることにより行う。このため、信号経路中にスイッチ等の信号経路切り替え手段を新たに挿入することはなく、信号の損失が増大してしまうこともない。
【０１９０】
また第２の実施形態によれば、直交復調器４２では、UMTS-FDDシステムの信号およびUMTS-TDDシステムの信号とそれぞれ直交復調することが可能であるから、個別の直交復調器を備える場合に比べて回路規模が縮小される。なお、UMTS-FDDシステムの信号およびUMTS-TDDシステムの信号とでは、直交復調器４２に至る信号経路がそれぞれ異なっているが、それらの信号の選択は、UMTS-TDDシステム用の増幅回路８ｃおよびバイアス回路８ｄとUMTS-FDDシステム用の増幅回路８ｇおよびバイアス回路８ｈとを個別に設け、バイアス回路８ｄ，８ｈの動作状態を制御して増幅回路８ｃ，８ｇを排他的に能動状態とすることにより行う。このため、信号経路中にスイッチ等の信号経路切り替え手段を新たに挿入することはなく、信号の損失が増大してしまうこともない。
【０１９１】
第２の実施形態において、利得可変ＬＮＡ４１の整合回路６ｂ，６ｇ，６ｍ，６ｐおよび直交復調器４２の整合回路８ｂ，８ｆを通す信号はUMTS-TDDシステムおよびUMTS-FDDシステムの信号であり、その周波数範囲は2110〜2170MHzである。従って、整合回路６ｂ，６ｇ，６ｍ，６ｐおよび整合回路８ｂ，８ｆを通す信号の比帯域幅および中心周波数はそれぞれ約0.03および約2140MHzとなる。
【０１９２】
このように第２の実施形態によれば、各整合回路６ｂ，６ｆ，６ｍ，６ｒおよび整合回路８ｂ，８ｆは、いずれも0.3以下の比帯域幅に適応できれれば良いから、容易に実現することができる。
【０１９３】
また第２の実施形態によれば、ベースバンドローパスフィルタ３８、ベースバンドＶＧＡ３９およびＡＤＣ４０は、GSM800システムおよびGSM1800システムで共用としているので、それらを個々に設ける場合に比べて回路規模が縮小できる。
【０１９４】
（第３の実施形態）
図８は第３の実施形態に係るマルチモード無線機のブロック図である。なお、図１と同一部分には同一符号を付し、その詳細な説明は省略する。
この第３の実施形態のマルチモード無線機は、北米で用いられるcdmaOne800システム、cdmaOne1900システム、GSM1900システムおよびcdma2000システムの４つの無線通信システムに対応したマルチモード無線機である。すなわち、第３の実施形態のマルチモード無線機は、北米で使用することを想定している。なおcdmaOne1900システムとは、cdmaOne方式を採用し、かつ使用無線周波数帯域が1900MHz帯である無線通信システムを指す。GSM1900システムとは、GSM方式を採用し、かつ使用無線周波数帯域が1900MHz帯である無線通信システムを指す。
【０１９５】
図８に示すように第３の実施形態のマルチモード無線機は、アンテナ１、デュプレクサ４，５１、入力端子５、ＲＦフィルタ７，５４、デュプレクサ１７、入力端子１８，５２、利得可変ＬＮＡ１９，５３，５７、ＲＦフィルタ２０、直交復調器２１，５５，５８、ベースバンドＶＧＡ２３，６０、ＡＤＣ２４，６１、マルチキャリア信号分割用ミキサ部２５、シンセサイザ２６，５６、アンテナスイッチ５０、ベースバンドローパスフィルタ５９，６２およびベースバンド部６３を含む。
【０１９６】
アンテナ１にて受信された受信信号は、アンテナスイッチ５０に入力される。アンテナスイッチ５０は、ベースバンド部６３から入力される制御信号に基づいてデュプレクサ４，１７，５１のうちの１つを選択し、受信信号を与える。
【０１９７】
デュプレクサ５１は、入力される受信信号からcdmaOne1900システムおよびGSM1900システムで不要な信号成分を減衰させる。すなわちデュプレクサ５１は、cdmaOne1900システムおよびGSM1900システムの使用無線周波数である1930〜1990MHzの信号は減衰させることなく通過させ、これ以外の周波数成分は減衰させるという特性を有する。かくしてデュプレクサ５１は、cdmaOne1900システムに関する受信信号およびGSM1900システムに関する信号を抽出する。なおcdmaOne1900システムは、ＦＤＤ（Frequency Division Duplex）方式を利用する無線通信システムである。このためデュプレクサ５１は、入力端子５２から入力される送信信号を不要周波数成分を減衰させた上でアンテナスイッチ５０へと与える機能も有する。ただし、本発明の特徴は受信に関するものであるので、送信信号の振る舞いに関する説明は省略する。
【０１９８】
利得可変ＬＮＡ５３へは、デュプレクサ５１の出力信号が入力される。利得可変ＬＮＡ５３は、入力される信号を所望のレベルに増幅する。利得可変ＬＮＡ５３は、第１および第２の２つの出力端子を有する。利得可変ＬＮＡ５３は、ベースバンド部６３から入力される制御信号に応じてこれらの出力端子のいずれかを選択する。利得可変ＬＮＡ５３は、選択している出力端子から増幅後の信号を出力する。この利得可変ＬＮＡ５３の回路構成は、前記第２の実施形態における利得可変ＬＮＡ４１と同様であり、図７に示す通りである。なお、利得可変ＬＮＡ５３における整合回路６ｂ，６ｍ，６ｒは、cdmaOne1900システムおよびGSM1900システムの使用無線周波数帯である1930〜1990MHzに適応する特性とする。
【０１９９】
ＲＦフィルタ５４へは、利得可変ＬＮＡ５３の第２の出力端子からの出力信号が入力される。ＲＦフィルタ５４は、入力される信号からcdmaOne1900システムで不要な周波数成分を減衰させる。すなわちＲＦフィルタ５４は、cdmaOne1900システムの使用無線周波数である1930〜1990MHzの信号は減衰させることなく通過させ、これ以外の周波数成分は減衰させるという特性を有する。
【０２００】
直交復調器５５は、第１および第２の２つの入力端子を有する。そして第１の入力端子には利得可変ＬＮＡ５３の第１の出力端子からの出力信号が入力され、第２の入力端子にはＲＦフィルタ５４の出力信号が入力される。直交復調器５５は、ベースバンド部６３から入力される制御信号に基づいてこれらの２つの入力端子に入力される信号のいずれかを選択する。直交復調器５５は、シンセサイザ５６が発生するローカル信号を使用して上記選択した信号を直交復調する。直交復調器５５は、直交復調の結果として得られるＩ系列およびＱ系列の２系列のベースバンド信号をそれぞれ出力する。この直交復調器５５の回路構成は、直交復調器８と同様であり、図４に示すものである。なお、直交復調器５５における整合回路８ｂ，８ｆは、cdmaOne1900システムおよびGSM1900システムの使用無線周波数帯である1930〜1990MHzに適応する特性とする。
【０２０１】
シンセサイザ５６は、直交復調器２１，５５，５８で使用するためのローカル信号を発生する。シンセサイザ５６は、上記ローカル信号の周波数をベースバンド部６３から入力される制御信号で指示される周波数とする。
【０２０２】
利得可変ＬＮＡ５７へは、デュプレクサ４の出力信号、すなわちcdmaOne800システムの信号が入力される。利得可変ＬＮＡ５７は、入力される信号を所望のレベルに増幅する。利得可変ＬＮＡ５７は、信号増幅の際の利得を上記制御信号に応じて可変設定する。利得可変ＬＮＡ５７は、周知の構成のものであって良い。利得可変ＬＮＡ５７の出力信号はＲＦフィルタ７へ入力される。
【０２０３】
直交復調器５８へは、ＲＦフィルタ７の出力信号が入力される。直交復調器５８は、シンセサイザ５６が発生するローカル信号を使用して上記入力される信号を直交復調する。直交復調器５８は、直交復調の結果として得られるＩ系列およびＱ系列の２系列のベースバンド信号をそれぞれ出力する。直交復調器５８は、周知の構成のものであって良い。
【０２０４】
なお、直交復調器５５および直交復調器５８は、ベースバンド部６３から入力される制御信号に基づいて排他的に動作する。すなわち直交復調器５５および直交復調器５８は、いずれか一方が信号を出力する際には、他方は信号を出力しない。
【０２０５】
ベースバンドローパスフィルタ５９へは、直交復調器５５および直交復調器５８の出力信号が入力される。ベースバンドローパスフィルタ５９は、GSMモードおよびcdmaOneモードの２つの動作モードを有する。ベースバンドローパスフィルタ５９は、ベースバンド部６３から入力される制御信号に基づいて上記の２つの動作モードのうちの１つを選択する。GSMモードにおいてベースバンドローパスフィルタ５９は、GSM1900システムのベースバンドである0〜100KHzの成分は減衰させることなく通過させ、これ以外の不要な周波数成分を減衰させるという特性を有する。cdmaOneモードにおいてベースバンドローパスフィルタ５９は、cdmaOne1900システムおよびcdmaOne800システムのベースバンドである0〜614.4KHzの成分は減衰させることなく通過させ、これ以外の不要な周波数成分を減衰させるという特性を有する。なお、ベースバンドローパスフィルタ５９に必要とされる性能は、ベースバンド部６３の性能に依存して異なってくるため、ここでは詳細な検討は省略する。
【０２０６】
ベースバンドＶＧＡ６０へは、ベースバンドローパスフィルタ５９の出力信号が入力される。ベースバンドＶＧＡ６０は、上記の入力信号を所望のレベルに増幅する。ベースバンドＶＧＡ６０は、ベースバンド部６３から入力される制御信号により、入力された信号が所望のレベルに増幅されるように利得を設定する。
【０２０７】
ＡＤＣ６１へは、ベースバンドＶＧＡ６０の出力信号が入力される。ＡＤＣ６１は、入力信号をデジタル信号に変換する。ＡＤＣ６１は、ベースバンド部６３から入力される制御信号に応じて、サンプリング速度とビット数とを可変設定する。なおＡＤＣ６１の所要性能は、ベースバンド部６３の性能に依存して異なってくるため、ここでは詳細な検討は省略する。
【０２０８】
ベースバンドローパスフィルタ６２へは、直交復調器２１の出力信号が入力される。ベースバンドローパスフィルタ６２は、cdma2000シングルモードおよびcdma2000マルチモードの２つの動作モードを有する。ベースバンドローパスフィルタ６２は、ベースバンド部６３から入力される制御信号に基づいて上記の２つの動作モードのうちの１つを選択する。cdma2000シングルモードにおいてベースバンドローパスフィルタ６２は、cdma2000システムにおけるシングルキャリアのベースバンドである0〜614.4kHzの成分は減衰させることなく通過させ、これ以外の不要な周波数成分を減衰させるという特性を有する。cdma2000マルチモードにおいてベースバンドローパスフィルタ６２は、cdma2000システムにおけるマルチキャリアのベースバンドである0〜1.8432MHzの成分は減衰させることなく通過させ、これ以外の不要な周波数成分を減衰させるという特性を有する。ベースバンドローパスフィルタ６２の出力信号は、ベースバンドＶＧＡ２３へ入力される。ベースバンドローパスフィルタ６２に必要とされる性能は、ベースバンド部６３の性能に依存して異なってくるため、ここでは詳細な検討は省略する。
【０２０９】
なおベースバンドローパスフィルタ６２は、ベースバンド部６３から入力される制御信号に基づいて、ベースバンドローパスフィルタ５９の動作状態とは無関係に能動状態となる。すなわちベースバンドローパスフィルタ６２は、ベースバンドローパスフィルタ５９と同時に能動状態になり得る。
【０２１０】
なおベースバンドＶＧＡ６０およびベースバンドＶＧＡ２３、あるいはＡＤＣ６１およびＡＤＣ２４は、ベースバンド部６３から入力される制御信号に基づいて、おのおの独立して動作状態が制御される。すなわちベースバンドＶＧＡ６０およびベースバンドＶＧＡ２３、あるいはＡＤＣ６１およびＡＤＣ２４は、それぞれ同時に能動状態になり得る。
【０２１１】
ベースバンド部６３へは、ＡＤＣ２４、マルチキャリア信号分割用ミキサ部２５およびＡＤＣ６１の出力信号がそれぞれ入力される。ベースバンド部６３は、これらの入力信号に対して、各無線通信システムに応じた周知のベースバンド処理を施す。またベースバンド部６３は、いずれの無線通信システムの信号の受信を行うかに応じて、前述の各部の動作状態を制御する。なお、いずれの無線通信システムの信号の受信を行うかは、ユーザからの指示に応じて決定しても良いし、あるいは所定の条件に基づいて自動的に決定しても良い。
【０２１２】
次に以上のように構成されたマルチモード無線機の動作につき説明する。
【０２１３】
＜GSM1900モード＞
GSM1900モードは、GSM1900システム用無線機として動作するモードである。
【０２１４】
このGSM1900モードを選択した場合にベースバンド部６３は、各種の制御信号により各部を以下のような状態に制御する。
アンテナスイッチ５０：デュプレクサ５１を選択。
利得可変ＬＮＡ５３：バイアス回路６ｋが能動状態。
【０２１５】
シンセサイザ５６：GSM1900システム用のローカル周波数を発振。
直交復調器５５：バイアス回路８ｄが能動状態。
直交復調器５８：非能動状態。
ベースバンドローパスフィルタ５９：能動状態。GSMモード。
ベースバンドＶＧＡ６０：能動状態。
ＡＤＣ６１：能動状態。
さて、アンテナ１にて受信された受信信号は、アンテナスイッチ５０によりデュプレクサ５１へ入力される。デュプレクサ５１では、受信信号からGSM1900システムの使用無線周波数である1930〜1990MHzの周波数成分が抽出される。つまりデュプレクサ５１では、種々の周波数成分が混在した受信信号から、GSM1900システムの信号が抽出される。
【０２１６】
デュプレクサ５１の出力信号は、入力端子６ａから利得可変ＬＮＡ５３へ入力される。利得可変ＬＮＡ５３では、増幅回路６ｃはバイアス回路６ｄからバイアス電流を受けて能動状態となっている。またバイアス回路６ｋが能動状態であるから、バイアス回路６ｋからバイアス電流を受けて増幅回路６ｊは能動状態となっている。すなわち利得可変ＬＮＡ５３では、入力端子６ａから整合回路６ｂ、増幅回路６ｃ、電流−電圧変換回路６ｉ、増幅回路６ｊおよび整合回路６ｍを経由して出力端子６ｎへと至る経路のみが有効となっている。そしてこの経路により、デュプレクサ５１の出力信号が所望のレベルに増幅される。
【０２１７】
利得可変ＬＮＡ５３の出力端子６ｎの出力信号は、入力端子８ａから直交復調器５５へ入力される。直交復調器５５では、バイアス回路８ｄが能動状態であるから、バイアス回路８ｄからバイアス電流を受けて増幅回路８ｃは能動状態となっている。このため、直交復調器５５では、入力端子８ａ、整合回路８ｂ、増幅回路８ｃおよび電流−電圧変換回路８ｉを介してミキサ８ｊ，８ｎへと至る経路が有効となっている。従って、直交復調器５５では、利得可変ＬＮＡ５３の出力端子６ｎの出力信号が、シンセサイザ５６から出力されたGSM1900システム用のローカル信号を用いて直交復調される。この直交復調により取り出されるＩ系列およびＱ系列のそれぞれのベースバンド信号は、GSM1900システムでのベースバンドである0〜100kHzの周波数帯域を持つ。
【０２１８】
ベースバンドローパスフィルタ５９では、直交復調器５５の出力信号からGSM1900システムのベースバンド外である不要な周波数成分が除去される。なお、ベースバンドローパスフィルタ５９へは、直交復調器５８の出力信号も入力されるようになっているが、直交復調器５８は非能動状態であるので、直交復調器５５の出力信号のみがベースバンドローパスフィルタ５９へ入力される。
【０２１９】
ベースバンドＶＧＡ６０では、ベースバンドローパスフィルタ５９の出力信号が所望のレベルに増幅される。ＡＤＣ６１では、ベースバンドＶＧＡ６０の出力信号がデジタル信号に変換される。そしてＡＤＣ６１の出力信号がベースバンド部６３へ入力される。
【０２２０】
以上のようにGSM1900モードでは、デュプレクサ５１、利得可変ＬＮＡ５３、直交復調器５５、ベースバンドローパスフィルタ５９、ベースバンドＶＧＡ６０およびＡＤＣ６１よりなる経路によりGSM1900システムに適応した受信処理が行われる。
【０２２１】
＜cdmaOne1900モード＞
cdmaOne1900モードは、cdmaOne1900システム用無線機として動作するモードである。
【０２２２】
このcdmaOne1900モードを選択した場合にベースバンド部６３は、各種の制御信号により各部を以下のような状態に制御する。
アンテナスイッチ５０：デュプレクサ５１を選択。
利得可変ＬＮＡ５３：バイアス回路６ｑが能動状態。
【０２２３】
シンセサイザ５６：cdmaOne1900システム用のローカル周波数を発振。
直交復調器５５：バイアス回路８ｈが能動状態。
直交復調器５８：非能動状態。
ベースバンドローパスフィルタ５９：能動状態。cdmaOneモード。
ベースバンドＶＧＡ６０：能動状態。
ＡＤＣ６１：能動状態。
さて、アンテナ１にて受信された受信信号は、アンテナスイッチ５０によりデュプレクサ５１へ入力される。デュプレクサ５１では、受信信号からcdmaOne1900システムの使用無線周波数である1930〜1990MHzの周波数成分が抽出される。つまりデュプレクサ５１では、種々の周波数成分が混在した受信信号から、cdmaOne1900システムの信号が抽出される。
【０２２４】
デュプレクサ５１の出力信号は、入力端子６ａから利得可変ＬＮＡ５３へ入力される。利得可変ＬＮＡ５３では、増幅回路６ｃはバイアス回路６ｄからバイアス電流を受けて能動状態となっている。またバイアス回路６ｑが能動状態であるから、バイアス回路６ｑからバイアス電流を受けて増幅回路６ｐは能動状態となっている。すなわち利得可変ＬＮＡ５３では、入力端子６ａから整合回路６ｂ、増幅回路６ｃ、電流−電圧変換回路６ｉ、増幅回路６ｐおよび整合回路６ｒを経由して出力端子６ｓへと至る経路のみが有効となっている。そしてこの経路により、デュプレクサ５１の出力信号が所望のレベルに増幅される。
【０２２５】
利得可変ＬＮＡ５３の出力端子６ｓの出力信号は、ＲＦフィルタ５４へ入力される。ＲＦフィルタ５４では、利得可変ＬＮＡ５３の出力信号からcdmaOne1900システムの使用無線周波数の帯域外である不要な周波数成分が除去される。ＲＦフィルタ５４の出力信号は、入力端子８ｅから直交復調器５５へ入力される。直交復調器５５では、バイアス回路８ｈが能動状態であるから、バイアス回路８ｈからバイアス電流を受けて増幅回路８ｇは能動状態となっている。このため、直交復調器５５では、入力端子８ｅ、整合回路８ｆ、増幅回路８ｇおよび電流−電圧変換回路８ｉを介してミキサ８ｊ，８ｎへと至る経路が有効となっている。従って、直交復調器５５では、ＲＦフィルタ５４の出力信号が、シンセサイザ５６から出力されたcdmaOne1900システム用のローカル信号を用いて直交復調される。この直交復調により取り出されるＩ系列およびＱ系列のそれぞれのベースバンド信号は、cdmaOne1900システムでのベースバンドである0〜614.4kHzの周波数帯域を持つ。
【０２２６】
ベースバンドローパスフィルタ５９は、直交復調器５５の出力信号からcdmaOne1900システムのベースバンド外である不要な周波数成分が除去される。なお、ベースバンドローパスフィルタ５９へは、直交復調器５８の出力信号も入力されるようになっているが、直交復調器５８は非能動状態であるので、直交復調器５５の出力信号のみがベースバンドローパスフィルタ５９へ入力される。
【０２２７】
ベースバンドＶＧＡ６０では、ベースバンドローパスフィルタ５９の出力信号が所望のレベルに増幅される。ＡＤＣ６１では、ベースバンドＶＧＡ６０の出力信号がデジタル信号に変換される。そしてＡＤＣ６１の出力信号がベースバンド部６３へ入力される。
【０２２８】
以上のようにcdmaOne1900モードでは、デュプレクサ５１、利得可変ＬＮＡ５３、ＲＦフィルタ５４、直交復調器５５、ベースバンドローパスフィルタ５９、ベースバンドＶＧＡ６０およびＡＤＣ６１よりなる経路によりcdmaOne1900システムに適応した受信処理が行われる。
【０２２９】
＜cdmaOne800モード＞
cdmaOne800モードは、cdmaOne800システム用無線機として動作するモードである。
【０２３０】
このcdmaOne800モードを選択した場合にベースバンド部６３は、各種の制御信号により各部を以下のような状態に制御する。
アンテナスイッチ５０：デュプレクサ４を選択。
直交復調器５５：非能動状態。
シンセサイザ５６：cdmaOne800システム用のローカル周波数を発振。
直交復調器５８：能動状態。
ベースバンドローパスフィルタ５９：能動状態。cdmaOneモード。
ベースバンドＶＧＡ６０：能動状態。
ＡＤＣ６１：能動状態。
【０２３１】
この結果としてcdmaOne800モードでは、デュプレクサ４、利得可変ＬＮＡ５７、ＲＦフィルタ７、直交復調器５８、ベースバンドローパスフィルタ５９、ベースバンドＶＧＡ６０およびＡＤＣ６１よりなる経路により、第１の実施形態にて説明したのと同様にしてcdmaOne800システムに適応した受信処理が行われる。
【０２３２】
＜cdma2000シングルモード＞
cdma2000シングルモードは、cdma2000システム用無線機として動作し、かつcdma2000システムのシングルキャリア信号を受信するモードである。
【０２３３】
このcdma2000シングルモードを選択した場合にベースバンド部６３は、各種の制御信号により各部を以下のような状態に制御する。
アンテナスイッチ５０：デュプレクサ１７を選択。
直交復調器２１：能動状態。
シンセサイザ５６：cdma2000システム用のローカル周波数を発振。
ベースバンドローパスフィルタ６２：能動状態。cdma2000シングルモード。
ベースバンドＶＧＡ２３：能動状態。
ＡＤＣ２４：能動状態。
マルチキャリア信号分割用ミキサ部２５：非能動状態
この結果としてcdma2000シングルモードでは、デュプレクサ１７、利得可変ＬＮＡ１９、ＲＦフィルタ２０、直交復調器２１、ベースバンドローパスフィルタ６２、ベースバンドＶＧＡ２３およびＡＤＣ２４よりなる経路により、第１の実施形態にて説明したのと同様にしてcdma2000システムのシングルキャリア信号に適応した受信処理が行われる。
【０２３４】
＜cdma2000マルチモード＞
cdma2000マルチモードは、cdma2000システム用無線機として動作し、かつcdma2000システムのマルチキャリア信号を受信するモードである。
【０２３５】
このcdma2000マルチモードを選択した場合にベースバンド部６３は、各種の制御信号により各部を以下のような状態に制御する。
アンテナスイッチ５０：デュプレクサ１７を選択。
直交復調器２１：能動状態。
シンセサイザ５６：cdma2000システム用のローカル周波数を発振。
ベースバンドローパスフィルタ６２：能動状態。cdma2000マルチモード。
【０２３６】
ベースバンドＶＧＡ２３：能動状態。
ＡＤＣ２４：能動状態。
マルチキャリア信号分割用ミキサ部２５：能動状態
この結果としてcdma2000マルチモードでは、デュプレクサ１７、利得可変ＬＮＡ１９、ＲＦフィルタ２０、直交復調器２１、ベースバンドローパスフィルタ６２、ベースバンドＶＧＡ２３およびＡＤＣ２４よりなる経路と、さらにマルチキャリア信号分割用ミキサ部２５を加えてなる経路とにより、第１の実施形態にて説明したのと同様にしてcdma2000システムのマルチキャリア信号に適応した受信処理が行われる。
【０２３７】
なお、GSM1900モード、cdmaOne1900モードおよびcdmaOne800モードのいずれか１つと、cdma2000シングルモードおよびcdma2000マルチモードのいずれか１つとは、並列的に使用することも可能である。すなわち、GSM1900システム、cdmaOne1900システムおよびcdmaOne800システムのうちのいずれか１つのシステムの信号の受信と、cdma2000のシングルキャリア信号およびマルチキャリア信号のいずれかの受信とを同時に行うことが可能である。
【０２３８】
このように第３の実施形態のマルチモード無線機によれば、GSM1900システム用無線機、cdmaOne1900システム用無線機、cdmaOne800システム用無線機およびcdma2000システム用無線機のいずれとしても機能する。
【０２３９】
そして第３の実施形態によれば、利得可変ＬＮＡ５３では、GSM1900システムおよびcdmaOne1900システムのそれぞれに関する信号の電流−電圧変換を共通の電流−電圧変換回路６ｉにより行うので、回路規模が抑えられる。しかも利得可変ＬＮＡ５３での２つの信号経路の切り替えは、バイアス回路６ｋ，６ｑの動作状態を制御して増幅回路６ｊ，６ｐの動作状態を切り替えることにより行う。このため、信号経路中にスイッチ等の信号経路切り替え手段を新たに挿入することはなく、信号の損失が増大してしまうこともない。
【０２４０】
また第３の実施形態によれば、直交復調器５５では、GSM1900システムの信号およびcdmaOne1900システムの信号とそれぞれ直交復調することが可能であるから、個別の直交復調器を備える場合に比べて回路規模が縮小される。なお、GSM1900システムの信号およびcdmaOne1900システムの信号とでは、直交復調器５５に至る信号経路がそれぞれ異なっているが、それらの信号の選択は、GSM1900システム用の増幅回路８ｃおよびバイアス回路８ｄとcdmaOne1900システム用の増幅回路８ｇおよびバイアス回路８ｈとを個別に設け、バイアス回路８ｄ，８ｈの動作状態を制御して増幅回路８ｃ，８ｇを排他的に能動状態とすることにより行う。このため、信号経路中にスイッチ等の信号経路切り替え手段を新たに挿入することはなく、信号の損失が増大してしまうこともない。
【０２４１】
第３の実施形態において、利得可変ＬＮＡ５３の整合回路６ｂを通す信号はGSM1900システムおよびcdmaOne1900システムの信号であり、その周波数範囲は1930〜1990MHzである。また、利得可変ＬＮＡ５３の整合回路６ｍおよび直交復調器５５の整合回路８ｂを通す信号はGSM1900システムの信号であり、その周波数範囲は1930〜1990MHzである。また利得可変ＬＮＡ５３の整合回路６ｍおよび直交復調器５５の整合回路８ｂを通す信号はcdmaOne1900システムの信号であり、その周波数範囲は1930〜1990MHzである。従って、整合回路６ｂ，６ｍ，６ｒおよび整合回路８ｂ，８ｆを通す信号の比帯域幅および中心周波数はそれぞれ約0.03および約1960MHzとなる。
【０２４２】
このように第３の実施形態によれば、整合回路６ｂ，６ｍ，６ｒおよび整合回路８ｂ，８ｆは、いずれも0.3以下の比帯域幅に適応できれれば良いから、容易に実現することができる。
【０２４３】
また第３の実施形態によれば、ベースバンドＶＧＡ６０およびＡＤＣ６１は、GSM1900システム、cdmaOne1900システムおよびcdmaOne800システムでそれぞれ共用としているので、それらを個々に設ける場合に比べて回路規模が縮小できる。
【０２４４】
（第４の実施形態）
図９は第４の実施形態に係るマルチモード無線機のブロック図である。なお、図９において図１、図６ならびに図８と同一部分には同一符号を付し、その詳細な説明は省略する。
【０２４５】
この第４の実施形態のマルチモード無線機は、GSM900システム、GSM1800システム、GSM1900システム、cdma2000システム、UMTS-FDDシステムおよびUMTS-TDDシステムの６つの無線通信システムに対応したマルチモード無線機である。すなわち、第４の実施形態のマルチモード無線機は、日本、米国および欧州で使用することを想定している。
【０２４６】
図９に示すように第４の実施形態のマルチモード無線機は、アンテナ１、デュプレクサ１７，５１、入力端子１８，５２、ＲＦフィルタ２０，３１，３５、ベースバンドローパスフィルタ２２，３８、ベースバンドＶＧＡ２３，３９、ＡＤＣ２４，４０、マルチキャリア信号分割用ミキサ部２５、シンセサイザ２６，３４、利得可変ＬＮＡ３２，４１，７１、直交復調器３３，３７，４２、アンテナスイッチ７０およびベースバンド部７２を含む。
【０２４７】
アンテナ１にて受信された受信信号は、アンテナスイッチ７０に入力される。アンテナスイッチ７０は、ベースバンド部７２から入力される制御信号に基づいてデュプレクサ１７、ＲＦフィルタ３１、ＲＦフィルタ３５およびデュプレクサ５１のうちの１つを選択し、受信信号を与える。
【０２４８】
利得可変ＬＮＡ７１は、第１および第２の２つの入力端子を有する。そして第１の入力端子にはＲＦフィルタ３５の出力信号が入力され、第２の入力端子にはデュプレクサ５１の出力信号が入力される。利得可変ＬＮＡ７１は、ベースバンド部７２から入力される制御信号に基づいてこれらの２つの入力端子に入力される信号のいずれかを選択する。利得可変ＬＮＡ７１は、上記選択した信号を所望のレベルに増幅する。利得可変ＬＮＡ７１は、信号増幅の際の利得を上記制御信号に応じて可変設定する。利得可変ＬＮＡ７１の出力信号は、直交復調器３７へ入力される。
【０２４９】
ベースバンド部７２へは、ＡＤＣ２４、ＡＤＣ４０およびマルチキャリア信号分割用ミキサ部２５の出力信号がそれぞれ入力される。ベースバンド部７２は、これらの入力信号に対して、各無線通信システムに応じた周知のベースバンド処理を施す。またベースバンド部７２は、いずれの無線通信システムの信号の受信を行うかに応じて、前述の各部の動作状態を制御する。なお、いずれの無線通信システムの信号の受信を行うかは、ユーザからの指示に応じて決定しても良いし、あるいは所定の条件に基づいて自動的に決定しても良い。
【０２５０】
図１０は利得可変ＬＮＡ７１の回路図である。なお、図２と同一部分には同一符号を付し、その詳細な説明は省略する  図１０に示すように利得可変ＬＮＡ７１は、入力端子６ａ，６ｅ、整合回路６ｂ，６ｆ，６ｍ、増幅回路６ｃ，６ｇ，６ｊ、バイアス回路６ｄ，６ｈ，６ｋ、電流−電圧変換回路６ｉ、制御信号端子６ｔおよびロジック回路７１ａを含む。
【０２５１】
すなわち利得可変ＬＮＡ７１は、第１の実施形態における利得可変ＬＮＡ６に類似した構成を有する。ただし利得可変ＬＮＡ７１は、利得可変ＬＮＡ６に含まれていた増幅回路６ｐ、バイアス回路６ｑ、整合回路６ｒおよび出力端子６ｓを除去し、出力側を１系統のみとしている。
【０２５２】
なお、利得可変ＬＮＡ７１における整合回路６ｂは、GSM1800システムの使用無線周波数帯である1805〜1880MHzに適応する特性とする。整合回路６ｆは、GSM1900システムの使用周波数帯域である1930〜1990MHzに適応する特性とする。整合回路６ｍは、GSM1800システムおよびGSM1900システムの使用無線周波数帯である1805〜1880MHzおよび1930〜1990MHzに適応する特性とする。
【０２５３】
ロジック回路７１ａへは、ベースバンド部７２から入力される制御信号が制御信号端子６ｔを介して入力される。ロジック回路７１ａは、上記制御信号によりGSM1800モードが指示されたことに応じて、バイアス回路６ｄを能動状態とする制御信号を出力する。またロジック回路７１ａは、上記制御信号によりGSM1900モードが指示されたことに応じて、バイアス回路６ｈを能動状態とする制御信号を出力する。
【０２５４】
次に以上のように構成されたマルチモード無線機の動作につき説明する。
【０２５５】
＜GSM900モード＞
GSM900モードは、GSM900システム用無線機として動作するモードである。
【０２５６】
このGSM900モードを選択した場合にベースバンド部７２は、各種の制御信号により各部を以下のような状態に制御する。
アンテナスイッチ７０：ＲＦフィルタ３１を選択。
直交復調器３３：能動状態。
シンセサイザ３４：GSM900システム用のローカル周波数を発振。
直交復調器３７：非能動状態。
ベースバンドローパスフィルタ３８：能動状態。
ベースバンドＶＧＡ３９：能動状態。
ＡＤＣ４０：能動状態。
【０２５７】
この結果としてGSM900モードでは、ＲＦフィルタ３１、利得可変ＬＮＡ３２、直交復調器３３、ベースバンドローパスフィルタ３８、ベースバンドＶＧＡ３９およびＡＤＣ４０よりなる経路により、第２の実施形態にて説明したのと同様にしてGSM900システムに適応した受信処理が行われる。
【０２５８】
＜GSM1800モード＞
GSM1800モードは、GSM1800システム用無線機として動作するモードである。
【０２５９】
このGSM1800モードを選択した場合にベースバンド部７２は、各種の制御信号により各部を以下のような状態に制御する。
アンテナスイッチ７０：ＲＦフィルタ３５を選択。
直交復調器３３：非能動状態。
シンセサイザ３４：GSM1800システム用のローカル周波数を発振。
直交復調器３７：能動状態。
ベースバンドローパスフィルタ３８：能動状態。
ベースバンドＶＧＡ３９：能動状態。
ＡＤＣ４０：能動状態。
【０２６０】
利得可変ＬＮＡ７１：バイアス回路６ｄが能動状態。
【０２６１】
さて、アンテナ１にて受信された受信信号は、アンテナスイッチ７０によりＲＦフィルタ３５へ入力される。ＲＦフィルタ３５では、受信信号からGSM1800システムの使用無線周波数である1805〜1880MHzの周波数成分が抽出される。つまりＲＦフィルタ３５では、種々の周波数成分が混在した受信信号から、GSM1800システムの信号が抽出される。
【０２６２】
ＲＦフィルタ３５の出力信号は、入力端子６ａから利得可変ＬＮＡ７１へ入力される。利得可変ＬＮＡ７１では、バイアス回路６ｄが能動状態であるから、バイアス回路６ｄからバイアス電流を受けて増幅回路６ｃは能動状態となっている。また増幅回路６ｊはバイアス回路６ｋからバイアス電流を受けて能動状態となっている。すなわち利得可変ＬＮＡ７１では、入力端子６ａから整合回路６ｂ、増幅回路６ｃ、電流−電圧変換回路６ｉ、増幅回路６ｊおよび整合回路６ｍを経由して出力端子６ｎへと至る経路のみが有効となっている。そしてこの経路により、ＲＦフィルタ３５の出力信号が所望のレベルに増幅される。利得可変ＬＮＡ７１の出力端子６ｎの出力信号は、直交復調器３７へ入力される。
【０２６３】
かくしてGSM1800モードでは、ＲＦフィルタ３５、利得可変ＬＮＡ７１、直交復調器３７、ベースバンドローパスフィルタ３８、ベースバンドＶＧＡ３９およびＡＤＣ４０よりなる経路により、第２の実施形態にて説明したのと同様にしてGSM1800システムに適応した受信処理が行われる。
【０２６４】
＜GSM1900モード＞
GSM1900モードは、GSM1900システム用無線機として動作するモードである。
【０２６５】
このGSM1900モードを選択した場合にベースバンド部７２は、各種の制御信号により各部を以下のような状態に制御する。
アンテナスイッチ７０：デュプレクサ５１を選択。
直交復調器３３：非能動状態。
シンセサイザ３４：GSM1900システム用のローカル周波数を発振。
直交復調器３７：能動状態。
ベースバンドローパスフィルタ３８：能動状態。
ベースバンドＶＧＡ３９：能動状態。
ＡＤＣ４０：能動状態。
【０２６６】
利得可変ＬＮＡ７１：バイアス回路６ｈが能動状態。
【０２６７】
さて、アンテナ１にて受信された受信信号は、アンテナスイッチ７０によりデュプレクサ５１へ入力される。デュプレクサ５１では、受信信号からGSM1900システムの使用無線周波数である1930〜1990MHzの周波数成分が抽出される。つまりデュプレクサ５１では、種々の周波数成分が混在した受信信号から、GSM1900システムの信号が抽出される。
【０２６８】
デュプレクサ５１の出力信号は、入力端子６ｅから利得可変ＬＮＡ７１へ入力される。利得可変ＬＮＡ７１では、バイアス回路６ｈが能動状態であるから、バイアス回路６ｈからバイアス電流を受けて増幅回路６ｇは能動状態となっている。また増幅回路６ｊはバイアス回路６ｋからバイアス電流を受けて能動状態となっている。すなわち利得可変ＬＮＡ７１では、入力端子６ｅから整合回路６ｆ、増幅回路６ｇ、電流−電圧変換回路６ｉ、増幅回路６ｊおよび整合回路６ｍを経由して出力端子６ｎへと至る経路のみが有効となっている。そしてこの経路により、デュプレクサ５１の出力信号が所望のレベルに増幅される。利得可変ＬＮＡ７１の出力端子６ｎの出力信号は、直交復調器３７へ入力される。
【０２６９】
かくしてGSM1900モードでは、デュプレクサ５１、利得可変ＬＮＡ７１、直交復調器３７、ベースバンドローパスフィルタ３８、ベースバンドＶＧＡ３９およびＡＤＣ４０よりなる経路により、第３の実施形態にて説明したのと同様にしてGSM1900システムに適応した受信処理が行われる。
【０２７０】
＜cdma2000シングルモード＞
cdma2000シングルモードは、cdma2000システム用無線機として動作し、かつcdma2000システムのシングルキャリア信号を受信するモードである。
【０２７１】
このcdma2000シングルモードを選択した場合にベースバンド部７２は、各種の制御信号により各部を以下のような状態に制御する。
アンテナスイッチ７０：デュプレクサ１７を選択。
シンセサイザ３４：cdma2000システム用のローカル周波数を発振。
利得可変ＬＮＡ４１：バイアス回路６ｑが能動状態。
【０２７２】
直交復調器４２：バイアス回路８ｈが能動状態。
ベースバンドローパスフィルタ２２：能動状態。cdma2000シングルモード。
ベースバンドＶＧＡ２３：能動状態。
ＡＤＣ２４：能動状態。
マルチキャリア信号分割用ミキサ部２５：非能動状態。
【０２７３】
さて、アンテナ１にて受信された受信信号は、アンテナスイッチ７０によりデュプレクサ１７へ入力される。デュプレクサ１７では、受信信号からcdma2000システムの使用無線周波数である2110〜2170MHzの周波数成分が抽出される。つまりデュプレクサ１７では、種々の周波数成分が混在した受信信号から、cdma2000システムの信号が抽出される。
【０２７４】
デュプレクサ１７の出力信号は、入力端子６ａから利得可変ＬＮＡ４１へ入力される。利得可変ＬＮＡ４１では、増幅回路６ｃはバイアス回路６ｄからバイアス電流を受けて能動状態となっている。またバイアス回路６ｑが能動状態であるから、バイアス回路６ｑからバイアス電流を受けて増幅回路６ｐは能動状態となっている。すなわち利得可変ＬＮＡ４１では、入力端子６ａから整合回路６ｂ、増幅回路６ｃ、電流−電圧変換回路６ｉ、増幅回路６ｐおよび整合回路６ｒを経由して出力端子６ｓへと至る経路のみが有効となっている。そしてこの経路により、デュプレクサ１７の出力信号が所望のレベルに増幅される。
【０２７５】
利得可変ＬＮＡ４１の出力端子６ｓの出力信号は、ＲＦフィルタ２０に入力される。ＲＦフィルタ２０では、利得可変ＬＮＡ４１の出力信号からcdma2000システムの使用無線周波数の帯域外である不要な周波数成分が除去される。ＲＦフィルタ２０の出力信号は、入力端子８ｅから直交復調器４２へ入力される。直交復調器４２では、バイアス回路８ｈが能動状態であるから、バイアス回路８ｈからバイアス電流を受けて増幅回路８ｇは能動状態となっている。このため、直交復調器４２では、入力端子８ｅ、整合回路８ｆ、増幅回路８ｇおよび電流−電圧変換回路８ｉを介してミキサ８ｊ，８ｎへと至る経路が有効となっている。従って、直交復調器４２では、ＲＦフィルタ２０の出力信号が、シンセサイザ９から出力されたcdma2000システム用のローカル信号を用いて直交復調される。この直交復調により取り出されるＩ系列およびＱ系列のそれぞれのベースバンド信号は、cdma2000システムでのシングルキャリア信号のベースバンドである0〜614.4KHzの周波数帯域を持つ。直交復調器４２の出力信号は、ベースバンドローパスフィルタ２２へ入力される。
【０２７６】
この結果として、デュプレクサ１７、利得可変ＬＮＡ４１、ＲＦフィルタ２０、直交復調器４２、ベースバンドローパスフィルタ２２、ベースバンドＶＧＡ２３およびＡＤＣ２４よりなる経路によりcdma2000システムのシングルキャリア信号に適応した受信処理が行われる。
【０２７７】
＜cdma2000マルチモード＞
cdma2000マルチモードは、cdma2000システム用無線機として動作し、かつcdma2000システムのマルチキャリア信号を受信するモードである。
【０２７８】
このcdma2000マルチモードを選択した場合にベースバンド部７２は、各種の制御信号により各部を以下のような状態に制御する。
アンテナスイッチ７０：デュプレクサ１７を選択。
シンセサイザ３４：cdma2000システム用のローカル周波数を発振。
利得可変ＬＮＡ４１：バイアス回路６ｑが能動状態。
【０２７９】
直交復調器４２：バイアス回路８ｈが能動状態。
ベースバンドローパスフィルタ２２：能動状態。cdma2000マルチモード。
【０２８０】
ベースバンドＶＧＡ２３：能動状態。
ＡＤＣ２４：能動状態。
マルチキャリア信号分割用ミキサ部２５：能動状態。
【０２８１】
この結果としてcdma2000マルチモードでは、デュプレクサ１７、利得可変ＬＮＡ４１、ＲＦフィルタ２０、直交復調器４２、ベースバンドローパスフィルタ２２、ベースバンドＶＧＡ２３およびＡＤＣ２４よりなる経路と、さらにマルチキャリア信号分割用ミキサ部２５を加えてなる経路とによりcdma2000システムのマルチキャリア信号に適応した受信処理が行われる。
【０２８２】
＜UMTS-FDDモード＞
UMTS-FDDモードは、UMTS-FDDシステム用無線機として動作するモードである。
【０２８３】
このUMTS-FDDモードを選択した場合にベースバンド部７２は、各種の制御信号により各部を以下のような状態に制御する。
アンテナスイッチ７０：デュプレクサ１７を選択。
シンセサイザ３４：UMTSシステム用のローカル周波数を発振。
利得可変ＬＮＡ４１：バイアス回路６ｑが能動状態。
【０２８４】
直交復調器４２：バイアス回路８ｈが能動状態。
ベースバンドローパスフィルタ４３：能動状態。
ベースバンドＶＧＡ２３：能動状態。
ＡＤＣ２４：能動状態。
マルチキャリア信号分割用ミキサ部２５：非能動状態。
【０２８５】
この結果としてUMTS-FDDモードでは、デュプレクサ１７、利得可変ＬＮＡ４１、ＲＦフィルタ２０、直交復調器４２、ベースバンドローパスフィルタ２２、ベースバンドＶＧＡ２３およびＡＤＣ２４よりなる経路によりUMTS-FDDシステムに適応した受信処理が行われる。
【０２８６】
＜UMTS-TDDモード＞
UMTS-TDDモードは、UMTS-TDDシステム用無線機として動作するモードである。
【０２８７】
このUMTS-TDDモードを選択した場合にベースバンド部７２は、各種の制御信号により各部を以下のような状態に制御する。
アンテナスイッチ７０：デュプレクサ１７を選択。
シンセサイザ３４：UMTSシステム用のローカル周波数を発振。
利得可変ＬＮＡ４１：バイアス回路６ｋが能動状態。
【０２８８】
直交復調器４２：バイアス回路８ｄが能動状態。
ベースバンドローパスフィルタ４３：能動状態。
ベースバンドＶＧＡ２３：能動状態。
ＡＤＣ２４：能動状態。
マルチキャリア信号分割用ミキサ部２５：非能動状態。
【０２８９】
この結果としてUMTS-TDDモードでは、デュプレクサ１７、利得可変ＬＮＡ４１、直交復調器４２、ベースバンドローパスフィルタ２２、ベースバンドＶＧＡ２３およびＡＤＣ２４よりなる経路によりUMTS-TDDシステムに適応した受信処理が行われる。
【０２９０】
なお、GSM900モード、GSM1800モードおよびGSM1900モードのいずれか１つと、cdma2000シングルモード、cdma2000マルチモード、UMTS-FDDモードおよびUMTS-TDDモードのいずれか１つとは、並列的に使用することも可能である。すなわち、GSM900システム、GSM1900システムおよびGSM1800システムのうちのいずれかのシステムの信号の受信と、cdma2000システムのシングルキャリア信号、cdma2000システムのマルチキャリア信号、UMTS-FDDシステムの信号およびUMTS-TDDシステムの信号のうちのいずれかの受信とを同時に行うことが可能である。
【０２９１】
このように第４の実施形態のマルチモード無線機によれば、GSM900システム用無線機、GSM1800システム用無線機、GSM1900システム用無線機、cdma2000システム用無線機、UMTS-FDDシステム用無線機およびUMTS-FDDシステム用無線機のいずれとしても機能する。
【０２９２】
そして第４の実施形態によれば、利得可変ＬＮＡ７１では、GSM1800システムおよびGSM1900システムのそれぞれに関する信号の電流−電圧変換を共通の電流−電圧変換回路６ｉにより行うので、回路規模が抑えられる。しかも利得可変ＬＮＡ７１での２つの信号経路の切り替えは、バイアス回路６ｄ，６ｈの動作状態を制御して増幅回路６ｃ，６ｇの動作状態を切り替えることにより行う。このため、信号経路中にスイッチ等の信号経路切り替え手段を新たに挿入することはなく、信号の損失が増大してしまうこともない。
【０２９３】
第４の実施形態において、整合回路６ｂを通す信号はGSM1800システムの信号であり、その周波数範囲は1805〜1880MHzである。従って、整合回路６ｂを通す信号の比帯域幅および中心周波数はそれぞれ約0.04および約1842MHzとなる。
【０２９４】
また、整合回路６ｆを通す信号はGSM1900システムの信号であり、その周波数範囲は1930〜1990MHzである。従って、整合回路６ｆを通す信号の比帯域幅および中心周波数はそれぞれ約0.03および約1960MHzとなる。
【０２９５】
また、整合回路６ｍを通す信号はGSM1800システムおよびGSM1900システムの信号であり、その周波数範囲は1805〜1880MHzおよび1930〜1990MHzである。従って、整合回路６ｍを通す信号の比帯域幅および中心周波数はそれぞれ約0.1および約1895MHzとなる。
【０２９６】
このように第４の実施形態によれば、各整合回路６ｂ，６ｆ，６ｍは、いずれも0.3以下の比帯域幅に適応できれれば良いから、容易に実現することができる。
【０２９７】
また第４の実施形態によれば、利得可変ＬＮＡ４１では、cdma2000システム、UMTS-FDDシステムおよびUMTS-TDDシステムのそれぞれに関する信号の電流−電圧変換を共通の電流−電圧変換回路６ｉにより行うので、回路規模が抑えられる。しかも利得可変ＬＮＡ４１での２つの信号経路の切り替えは、バイアス回路６ｋ，６ｑの動作状態を制御して増幅回路６ｊ，６ｐの動作状態を切り替えることにより行う。このため、信号経路中にスイッチ等の信号経路切り替え手段を新たに挿入することはなく、信号の損失が増大してしまうこともない。
【０２９８】
また第４の実施形態によれば、直交復調器４２では、cdma2000システム、UMTS-FDDシステムの信号およびUMTS-TDDシステムの信号とそれぞれ直交復調することが可能であるから、個別の直交復調器を備える場合に比べて回路規模が縮小される。なお、cdma2000システムの信号およびUMTS-FDDシステムの信号とUMTS-TDDシステムの信号とでは、直交復調器４２に至る信号経路がそれぞれ異なっているが、それらの信号の選択は、UMTS-TDDシステム用の増幅回路８ｃおよびバイアス回路８ｄとcdma2000システムおよびUMTS-FDDシステム用の増幅回路８ｇおよびバイアス回路８ｈとを個別に設け、バイアス回路８ｄ，８ｈの動作状態を制御して増幅回路８ｃ，８ｇを排他的に能動状態とすることにより行う。このため、信号経路中にスイッチ等の信号経路切り替え手段を新たに挿入することはなく、信号の損失が増大してしまうこともない。
【０２９９】
また第４の実施形態によれば、ベースバンドローパスフィルタ３８、ベースバンドＶＧＡ３９およびＡＤＣ４０は、GSM800システム、GSM1800システムおよびGSM1900システムで共用としているので、それらを個々に設ける場合に比べて回路規模が縮小できる。
【０３００】
（第５の実施形態）
図１１は第５の実施形態に係るマルチモード無線機のブロック図である。なお、図１１において図１、図６ならびに図８と同一部分には同一符号を付し、その詳細な説明は省略する。
【０３０１】
この第５の実施形態のマルチモード無線機は、PDC800システム、cdmaOne800システム、GSM900システム、PDC1500システム、GSM1800システム、GSM1900システム、cdmaOne1900システム、cdma2000システム、UMTS-FDDシステムおよびUMTS-TDDシステムの１０個の無線通信システムに対応したマルチモード無線機である。すなわち、第５の実施形態のマルチモード無線機は、日本、米国および欧州で使用することを想定している。
【０３０２】
図１１に示すように第５の実施形態のマルチモード無線機は、アンテナ１、ＲＦフィルタ３，７，１０，２０，３１，３５，５４、デュプレクサ４，１７，５１、入力端子５，５２、ベースバンドローパスフィルタ１３，２２，８６、入力端子１８、ベースバンドＶＧＡ２３，８７、ＡＤＣ２４，８８、マルチキャリア信号分割用ミキサ部２５、シンセサイザ２６，８３、利得可変ＬＮＡ４１，８１，８４、直交復調器４２，８５、アンテナスイッチ８０およびベースバンド部８９を含む。
【０３０３】
アンテナ１にて受信された受信信号は、アンテナスイッチ８０に入力される。アンテナスイッチ８０は、ベースバンド部８９から入力される制御信号に基づいてＲＦフィルタ３、デュプレクサ４、ＲＦフィルタ１０、デュプレクサ１７、ＲＦフィルタ３１、ＲＦフィルタ３５およびデュプレクサ５１のうちの１つを選択し、受信信号を与える。
【０３０４】
利得可変ＬＮＡ８１は、第１乃至第３の３つの入力端子を有する。そして第１の入力端子にはＲＦフィルタ３の出力信号が入力され、第２の入力端子にはデュプレクサ４の出力信号が入力され、第３の入力端子にはＲＦフィルタ３１の出力信号が入力される。利得可変ＬＮＡ８１は、ベースバンド部８９から入力される制御信号に基づいてこれらの３つの入力端子に入力される信号のいずれかを選択する。利得可変ＬＮＡ８１は、上記選択した信号を所望のレベルに増幅する。利得可変ＬＮＡ８１は、信号増幅の際の利得を上記制御信号に応じて可変設定する。利得可変ＬＮＡ８１は、第１および第２の２つの出力端子を有する。利得可変ＬＮＡ８１は、ベースバンド部８９から入力される制御信号に基づいてこれらの２つの出力端子のいずれか一方を選択する。利得可変ＬＮＡ８１は、選択した出力端子から増幅後の信号を出力する。第１の出力端子からの出力信号は直交復調器８２へ入力される。第２の出力端子からの出力信号はＲＦフィルタ７へ入力される。
【０３０５】
直交復調器８２は、第１および第２の２つの入力端子を有する。そして第１の入力端子には利得可変ＬＮＡ８１の第１の出力端子からの出力信号が入力され、第２の入力端子にはＲＦフィルタ７の出力信号が入力される。直交復調器８２は、ベースバンド部８９から入力される制御信号に基づいてこれらの２つの入力端子に入力される信号のいずれかを選択する。直交復調器８２は、シンセサイザ８３が発生するローカル信号を使用して上記選択した信号を直交復調する。直交復調器８２は、直交復調の結果として得られるＩ系列およびＱ系列の２系列のベースバンド信号をそれぞれ出力する。直交復調器８２の出力信号は、ベースバンドローパスフィルタ１３，１４にそれぞれ入力される。この直交復調器８２の回路構成は、直交復調器８と同様であり、図４に示すものである。なお、直交復調器８２における整合回路８ｂは、PDC800システムおよびGSM900システムの使用無線周波数帯である810.05〜827.95MHz、870.03〜884.95MHzおよび925〜960MHzに適応する特性とする。また整合回路８ｆは、cdmaOne800システムの使用周波数である832.75〜869.25MHzに適応する特性とする。
【０３０６】
シンセサイザ８３は、直交復調器４２，８２，８５で使用するためのローカル信号を発生する。シンセサイザ８３は、上記ローカル信号の周波数をベースバンド部８９から入力される制御信号で指示される周波数とする。
【０３０７】
利得可変ＬＮＡ８４は、第１乃至第３の３つの入力端子を有する。そして第１の入力端子にはＲＦフィルタ１０の出力信号が入力され、第２の入力端子にはデュプレクサ５１の出力信号が入力され、第３の入力端子にはＲＦフィルタ３５の出力信号が入力される。利得可変ＬＮＡ８４は、ベースバンド部８９から入力される制御信号に基づいてこれらの３つの入力端子に入力される信号のいずれかを選択する。利得可変ＬＮＡ８４は、上記選択した信号を所望のレベルに増幅する。利得可変ＬＮＡ８４は、信号増幅の際の利得を上記制御信号に応じて可変設定する。利得可変ＬＮＡ８４は、第１および第２の２つの出力端子を有する。利得可変ＬＮＡ８４は、ベースバンド部８９から入力される制御信号に基づいてこれらの２つの出力端子のいずれか一方を選択する。利得可変ＬＮＡ８４は、選択した出力端子から増幅後の信号を出力する。第１の出力端子からの出力信号は直交復調器８５へ入力される。第２の出力端子からの出力信号はＲＦフィルタ５４へ入力される。
【０３０８】
直交復調器８５は、第１および第２の２つの入力端子を有する。そして第１の入力端子には利得可変ＬＮＡ８４の第１の出力端子からの出力信号が入力され、第２の入力端子にはＲＦフィルタ５４の出力信号が入力される。直交復調器８５は、ベースバンド部８９から入力される制御信号に基づいてこれらの２つの入力端子に入力される信号のいずれかを選択する。直交復調器８５は、シンセサイザ８３が発生するローカル信号を使用して上記選択した信号を直交復調する。直交復調器８５は、直交復調の結果として得られるＩ系列およびＱ系列の２系列のベースバンド信号をそれぞれ出力する。直交復調器８５の出力信号は、ベースバンドローパスフィルタ１３，１４にそれぞれ入力される。この直交復調器８５の回路構成は、直交復調器８と同様であり、図４に示すものである。なお、直交復調器８５における整合回路８ｂは、PDC1500システム、GSM1800システムおよびGSM1900システムの使用無線周波数帯である1477.05〜1500.95MHz、1805〜1880MHzおよび1930〜1990MHzに適応する特性とする。また整合回路８ｆは、cdmaOne1900システムの使用周波数である1930〜1990MHzに適応する特性とする。
【０３０９】
ベースバンドローパスフィルタ８６へは、直交復調器８２および直交復調器８５の出力信号が入力される。ベースバンドローパスフィルタ８６は、GSMモードおよびcdmaOneモードの２つの動作モードを有する。ベースバンドローパスフィルタ８６は、ベースバンド部６３から入力される制御信号に基づいて上記の２つの動作モードのうちの１つを選択する。GSMモードにおいてベースバンドローパスフィルタ８６は、GSM900システム、GSM1800システムおよびGSM1900システムのベースバンドである0〜100KHzの成分は減衰させることなく通過させ、これ以外の不要な周波数成分を減衰させるという特性を有する。cdmaOneモードにおいてベースバンドローパスフィルタ８６は、cdmaOne1900システムおよびcdmaOne800システムのベースバンドである0〜614.4KHzの成分は減衰させることなく通過させ、これ以外の不要な周波数成分を減衰させるという特性を有する。なお、ベースバンドローパスフィルタ８６に必要とされる性能は、ベースバンド部８９の性能に依存して異なってくるため、ここでは詳細な検討は省略する。
【０３１０】
なおベースバンドローパスフィルタ８６は、ベースバンドローパスフィルタ１３とは排他的に能動状態となる。すなわち、ベースバンドローパスフィルタ１３，８６のいずれか一方が信号を出力するときには、他方は信号を出力しない。
【０３１１】
ベースバンドＶＧＡ８７へは、ベースバンドローパスフィルタ８６の出力信号が入力される。ベースバンドＶＧＡ８７は、上記の入力信号を所望のレベルに増幅する。ベースバンドＶＧＡ８７は、ベースバンド部８９から入力される制御信号により、入力された信号が所望のレベルに増幅されるように利得を設定する。
【０３１２】
ＡＤＣ８８へは、ベースバンドＶＧＡ８７の出力信号が入力される。ＡＤＣ８８は、入力信号をデジタル信号に変換する。ＡＤＣ８８は、ベースバンド部８９から入力される制御信号に応じて、サンプリング速度とビット数とを可変設定する。なおＡＤＣ８８の所要性能は、ベースバンド部８９の性能に依存して異なってくるため、ここでは詳細な検討は省略する。
【０３１３】
ベースバンド部８９へは、ＡＤＣ１６、ＡＤＣ２４およびマルチキャリア信号分割用ミキサ部２５の出力信号がそれぞれ入力される。ベースバンド部８９は、これらの入力信号に対して、各無線通信システムに応じた周知のベースバンド処理を施す。またベースバンド部８９は、いずれの無線通信システムの信号の受信を行うかに応じて、前述の各部の動作状態を制御する。なお、いずれの無線通信システムの信号の受信を行うかは、ユーザからの指示に応じて決定しても良いし、あるいは所定の条件に基づいて自動的に決定しても良い。
【０３１４】
図１２は利得可変ＬＮＡ８１および利得可変ＬＮＡ８４の回路図である。なお、図２と同一部分には同一符号を付し、その詳細な説明は省略する
図１２に示すように利得可変ＬＮＡ８１，８４は、入力端子６ａ，６ｅ，８１ａ、整合回路６ｂ，６ｆ，６ｍ，６ｒ，８１ｂ、増幅回路６ｃ，６ｇ，６ｊ，６ｐ，８１ｃ、バイアス回路６ｄ，６ｈ，６ｋ，６ｑ，８１ｄ、電流−電圧変換回路６ｉ、出力端子６ｎ，６ｓ、制御信号端子６ｔおよびロジック回路８１ｅを含む。
【０３１５】
すなわち利得可変ＬＮＡ８１，８４は、第１の実施形態における利得可変ＬＮＡ６に類似した構成を有する。ただし利得可変ＬＮＡ８１，８４は、加えて入力端子８１ａ、整合回路８１ｂ、増幅回路８１ｃおよびバイアス回路８１ｄを備えて入力側を３系統としている。
【０３１６】
整合回路６ｂへは、ＲＦフィルタ３の出力信号が入力端子６ａを介して入力される。整合回路６ｂは、ＲＦフィルタ３の通過周波数、すなわちPDC800システムの使用無線周波数である810.05〜827.95MHzおよび870.03〜884.95MHzを効率的に入力するために整合をとる。増幅回路６ｃは、バイアス回路６ｄが出力するバイアス電流を受けて能動状態となる。増幅回路６ｃは能動状態にあっては、整合回路６ｂの出力信号を増幅する。
【０３１７】
整合回路８１ｂは、入力端子８１ａへの入力信号を効率的に入力するために整合をとる。増幅回路８１ｃは、バイアス回路８１ｄが出力するバイアス電流を受けて能動状態となる。増幅回路８１ｃは能動状態にあっては、整合回路８１ｂの出力信号を増幅する。増幅回路８１ｃの出力は電流−電圧変換回路６ｉに入力される。
【０３１８】
なお、利得可変ＬＮＡ８１における整合回路６ｂは、PDC800システムの使用無線周波数帯である810.05〜827.95MHzおよび870.03〜884.95MHzに適応する特性とする。整合回路６ｆは、cdmaOne800システムの使用周波数帯域である832.75〜869.25MHzに適応する特性とする。整合回路８１ｃは、GSM900システムの使用無線周波数帯である925〜960MHzに適応する特性とする。整合回路６ｍは、PDC800システムおよびGSM900システムの使用無線周波数帯である810.05〜827.95MHz、870.03〜884.95MHzおよび925〜960MHzに適応する特性とする。整合回路６ｒは、cdmaOne800システムの使用周波数帯域である832.75〜869.25MHzに適応する特性とする。
【０３１９】
また、利得可変ＬＮＡ８４における整合回路６ｂは、PDC1500システムの使用無線周波数帯である1477.05〜1500.95MHzに適応する特性とする。整合回路６ｆは、GSM1900システムおよびcdmaOne1900システムの使用周波数帯域である1930〜1990MHzに適応する特性とする。整合回路８１ｃは、GSM1800システムの使用無線周波数帯である1805〜1880MHzに適応する特性とする。整合回路６ｍは、PDC1500システム、GSM1800システムおよびGSM1900システムの使用無線周波数帯である1477.05〜1500.95MHz、1805〜1880MHzおよび1930〜1990MHzに適応する特性とする。整合回路６ｒは、cdmaOne1900システムの使用周波数帯域である1930〜1990MHzに適応する特性とする。
【０３２０】
ロジック回路８１ｅへは、ベースバンド部８９から入力される制御信号が制御信号端子６ｔを介して入力される。ロジック回路８１ｅは、上記制御信号により指示されるモードに応じてバイアス回路６ｄ，６ｈ，８１ｄのうちのいずれか１つとバイアス回路６ｋ，６ｑのうちのいずれか１つとをそれぞれ能動状態とする制御信号を出力する。
【０３２１】
次に以上のように構成されたマルチモード無線機の動作につき説明する。
【０３２２】
＜PDC800モード＞
PDC800モードは、PDC800システム用無線機として動作するモードである。
【０３２３】
このPDC800モードを選択した場合にベースバンド部８９は、各種の制御信号により各部を以下のような状態に制御する。
アンテナスイッチ８０：ＲＦフィルタ３を選択。
利得可変ＬＮＡ８１：バイアス回路６ｄ，６ｋが能動状態。
直交復調器８２：バイアス回路８ｄが能動状態。
シンセサイザ８３：PDC800システム用のローカル周波数を発振。
直交復調器８５：非能動状態。
ベースバンドローパスフィルタ１３：能動状態。
ベースバンドローパスフィルタ８６：非能動状態。
ベースバンドＶＧＡ８７：能動状態。
ＡＤＣ８８：能動状態。
【０３２４】
さて、アンテナ１にて受信された受信信号は、アンテナスイッチ８０によりＲＦフィルタ３へ入力される。ＲＦフィルタ３では、受信信号からPDC800システムの使用無線周波数である810.05〜827.95MHzおよび870.03〜884.95MHzの周波数成分が抽出される。つまりＲＦフィルタ３では、種々の周波数成分が混在した受信信号から、PDC800システムの信号が抽出される。
【０３２５】
ＲＦフィルタ３の出力信号は、入力端子６ａから利得可変ＬＮＡ８１へ入力される。利得可変ＬＮＡ８１では、入力端子６ａから整合回路６ｂ、増幅回路６ｃ、電流−電圧変換回路６ｉ、増幅回路６ｊおよび整合回路６ｍを経由して出力端子６ｎへと至る経路のみが有効となっている。そしてこの経路により信号が所望のレベルに増幅される。
【０３２６】
利得可変ＬＮＡ８１の出力端子６ｎの出力信号は、入力端子８ａから直交復調器８２へ入力される。直交復調器８２は、入力端子８ａから、整合回路８ｂ、増幅回路８ｃおよび電流−電圧変換回路８ｉを経由してミキサ８ｊおよびミキサ８ｎへと至る経路のみが有効となっている。そしてこの経路を通った信号からミキサ８ｎおよびミキサ８ｊでＩ系列およびＱ系列のベースバンド信号がそれぞれ抽出される。そして利得可変ＬＮＡ８１の出力信号がベースバンドローパスフィルタ１３へ入力される。
【０３２７】
かくしてPDC800モードでは、ＲＦフィルタ３、利得可変ＬＮＡ８１、直交復調器８２、ベースバンドローパスフィルタ１３、ベースバンドＶＧＡ８７およびＡＤＣ８８よりなる経路によりPDC800システムに適応した受信処理が行われる。
【０３２８】
＜cdmaOne800モード＞
cdmaOne800モードは、cdmaOne800システム用無線機として動作するモードである。
【０３２９】
このcdmaOne800モードを選択した場合にベースバンド部８９は、各種の制御信号により各部を以下のような状態に制御する。
アンテナスイッチ８０：デュプレクサ４を選択。
利得可変ＬＮＡ８１：バイアス回路６ｈ，６ｑが能動状態。
直交復調器８２：バイアス回路８ｈが能動状態。
シンセサイザ８３：cdmaOne800システム用のローカル周波数を発振。
直交復調器８５：非能動状態。
ベースバンドローパスフィルタ１３：非能動状態。
ベースバンドローパスフィルタ８６：能動状態。cdmaOneモード。
ベースバンドＶＧＡ８７：能動状態。
ＡＤＣ８８：能動状態。
【０３３０】
さて、アンテナ１にて受信された受信信号は、アンテナスイッチ８０によりデュプレクサ４へ入力される。デュプレクサ４では、受信信号からcdmaOne800システムの使用無線周波数である832.75〜869.25MHzの周波数成分が抽出される。つまりデュプレクサ４では、種々の周波数成分が混在した受信信号から、cdmaOne800システムの信号が抽出される。
【０３３１】
デュプレクサ４の出力信号は、入力端子６ｅから利得可変ＬＮＡ８１へ入力される。利得可変ＬＮＡ８１では、入力端子６ｅから整合回路６ｆ、増幅回路６ｇ、電流−電圧変換回路６ｉ、増幅回路６ｐおよび整合回路６ｒを経由して出力端子６ｓへと至る経路のみが有効となっている。そしてこの経路により信号が所望のレベルに増幅される。
【０３３２】
利得可変ＬＮＡ８１の出力端子６ｓの出力信号は、ＲＦフィルタ７を介して入力端子８ｅから直交復調器８２へ入力される。直交復調器８２は、入力端子８ｅから、整合回路８ｆ、増幅回路８ｇおよび電流−電圧変換回路８ｉを経由してミキサ８ｊおよびミキサ８ｎへと至る経路のみが有効となっている。そしてこの経路を通った信号からミキサ８ｎおよびミキサ８ｊでＩ系列およびＱ系列のベースバンド信号がそれぞれ抽出される。そして利得可変ＬＮＡ８１の出力信号がベースバンドローパスフィルタ８６へ入力される。
【０３３３】
かくしてcdmaOne800モードでは、デュプレクサ４、利得可変ＬＮＡ８１、ＲＦフィルタ７、直交復調器８２、ベースバンドローパスフィルタ８６、ベースバンドＶＧＡ８７およびＡＤＣ８８よりなる経路によりcdmaOne800システムに適応した受信処理が行われる。
【０３３４】
＜GSM900モード＞
GSM900モードは、GSM900システム用無線機として動作するモードである。
【０３３５】
このGSM900モードを選択した場合にベースバンド部８９は、各種の制御信号により各部を以下のような状態に制御する。
アンテナスイッチ８０：ＲＦフィルタ３１を選択。
利得可変ＬＮＡ８１：バイアス回路８１ｄ，６ｋが能動状態。
直交復調器８２：バイアス回路８ｄが能動状態。
シンセサイザ８３：GSM900システム用のローカル周波数を発振。
直交復調器８５：非能動状態。
ベースバンドローパスフィルタ１３：非能動状態。
ベースバンドローパスフィルタ８６：能動状態。GSMモード。
ベースバンドＶＧＡ８７：能動状態。
ＡＤＣ８８：能動状態。
【０３３６】
さて、アンテナ１にて受信された受信信号は、アンテナスイッチ８０によりＲＦフィルタ３１へ入力される。ＲＦフィルタ３１では、受信信号からGSM900システムの使用無線周波数である925〜960MHzの周波数成分が抽出される。つまりＲＦフィルタ３１では、種々の周波数成分が混在した受信信号から、GSM900システムの信号が抽出される。
【０３３７】
ＲＦフィルタ３１の出力信号は、入力端子８１ａから利得可変ＬＮＡ８１へ入力される。利得可変ＬＮＡ８１では、入力端子８１ａから整合回路８１ｂ、増幅回路８１ｃ、電流−電圧変換回路６ｉ、増幅回路６ｊおよび整合回路６ｍを経由して出力端子６ｎへと至る経路のみが有効となっている。そしてこの経路により信号が所望のレベルに増幅される。
【０３３８】
利得可変ＬＮＡ８１の出力端子６ｎの出力信号は、入力端子８ａから直交復調器８２へ入力される。直交復調器８２は、入力端子８ａから、整合回路８ｂ、増幅回路８ｃおよび電流−電圧変換回路８ｉを経由してミキサ８ｊおよびミキサ８ｎへと至る経路のみが有効となっている。そしてこの経路を通った信号からミキサ８ｎおよびミキサ８ｊでＩ系列およびＱ系列のベースバンド信号がそれぞれ抽出される。そして利得可変ＬＮＡ８１の出力信号がベースバンドローパスフィルタ８６へ入力される。
【０３３９】
かくしてGSM900モードでは、ＲＦフィルタ３１、利得可変ＬＮＡ８１、直交復調器８２、ベースバンドローパスフィルタ８６、ベースバンドＶＧＡ８７およびＡＤＣ８８よりなる経路によりGSM900システムに適応した受信処理が行われる。
【０３４０】
＜PDC1500モード＞
PDC1500モードは、PDC1500システム用無線機として動作するモードである。
【０３４１】
このPDC1500モードを選択した場合にベースバンド部８９は、各種の制御信号により各部を以下のような状態に制御する。
アンテナスイッチ８０：ＲＦフィルタ１０を選択。
利得可変ＬＮＡ８４：バイアス回路６ｄ，６ｋが能動状態。
直交復調器８２：非能動状態。
シンセサイザ８３：PDC1500システム用のローカル周波数を発振。
直交復調器８５：バイアス回路８ｄが能動状態。
ベースバンドローパスフィルタ１３：能動状態。
ベースバンドローパスフィルタ８６：非能動状態。
ベースバンドＶＧＡ８７：能動状態。
ＡＤＣ８８：能動状態。
【０３４２】
さて、アンテナ１にて受信された受信信号は、アンテナスイッチ８０によりＲＦフィルタ１０へ入力される。ＲＦフィルタ１０では、受信信号からPDC1500システムの使用無線周波数である1477.05〜1500.95MHzの周波数成分が抽出される。つまりＲＦフィルタ１０では、種々の周波数成分が混在した受信信号から、PDC1500システムの信号が抽出される。
【０３４３】
ＲＦフィルタ１０の出力信号は、入力端子６ａから利得可変ＬＮＡ８４へ入力される。利得可変ＬＮＡ８４では、入力端子６ａから整合回路６ｂ、増幅回路６ｃ、電流−電圧変換回路６ｉ、増幅回路６ｊおよび整合回路６ｍを経由して出力端子６ｎへと至る経路のみが有効となっている。そしてこの経路により信号が所望のレベルに増幅される。
【０３４４】
利得可変ＬＮＡ８４の出力端子６ｎの出力信号は、入力端子８ａから直交復調器８５へ入力される。直交復調器８５は、入力端子８ａから、整合回路８ｂ、増幅回路８ｃおよび電流−電圧変換回路８ｉを経由してミキサ８ｊおよびミキサ８ｎへと至る経路のみが有効となっている。そしてこの経路を通った信号からミキサ８ｎおよびミキサ８ｊでＩ系列およびＱ系列のベースバンド信号がそれぞれ抽出される。そして利得可変ＬＮＡ８１の出力信号がベースバンドローパスフィルタ１３へ入力される。
【０３４５】
かくしてPDC1500モードでは、ＲＦフィルタ１０、利得可変ＬＮＡ８４、直交復調器８５、ベースバンドローパスフィルタ１３、ベースバンドＶＧＡ８７およびＡＤＣ８８よりなる経路によりPDC1500システムに適応した受信処理が行われる。
【０３４６】
＜cdmaOne1900モード＞
cdmaOne1900モードは、cdmaOne1900システム用無線機として動作するモードである。
【０３４７】
このcdmaOne1900モードを選択した場合にベースバンド部８９は、各種の制御信号により各部を以下のような状態に制御する。
アンテナスイッチ８０：デュプレクサ５１を選択。
利得可変ＬＮＡ８１：バイアス回路６ｈ，６ｑが能動状態。
直交復調器８２：非能動状態。
シンセサイザ８３：cdmaOne1900システム用のローカル周波数を発振。
直交復調器８５：バイアス回路８ｈが能動状態。
ベースバンドローパスフィルタ１３：非能動状態。
ベースバンドローパスフィルタ８６：能動状態。cdmaOneモード。
ベースバンドＶＧＡ８７：能動状態。
ＡＤＣ８８：能動状態。
【０３４８】
さて、アンテナ１にて受信された受信信号は、アンテナスイッチ８０によりデュプレクサ５１へ入力される。デュプレクサ５１では、受信信号からcdmaOne1900システムの使用無線周波数である1930〜1990MHzの周波数成分が抽出される。つまりデュプレクサ５１では、種々の周波数成分が混在した受信信号から、cdmaOne1900システムの信号が抽出される。
【０３４９】
デュプレクサ５１の出力信号は、入力端子６ｅから利得可変ＬＮＡ８４へ入力される。利得可変ＬＮＡ８４では、入力端子６ｅから整合回路６ｆ、増幅回路６ｇ、電流−電圧変換回路６ｉ、増幅回路６ｐおよび整合回路６ｒを経由して出力端子６ｓへと至る経路のみが有効となっている。そしてこの経路により信号が所望のレベルに増幅される。
【０３５０】
利得可変ＬＮＡ８４の出力端子６ｓの出力信号は、ＲＦフィルタ５４を介して入力端子８ｅから直交復調器８２へ入力される。直交復調器８２は、入力端子８ｅから、整合回路８ｆ、増幅回路８ｇおよび電流−電圧変換回路８ｉを経由してミキサ８ｊおよびミキサ８ｎへと至る経路のみが有効となっている。そしてこの経路を通った信号からミキサ８ｎおよびミキサ８ｊでＩ系列およびＱ系列のベースバンド信号がそれぞれ抽出される。そして直交復調器８５の出力信号がベースバンドローパスフィルタ８６へ入力される。
【０３５１】
かくしてcdmaOne1900モードでは、デュプレクサ５１、利得可変ＬＮＡ８４、ＲＦフィルタ５４、直交復調器８５、ベースバンドローパスフィルタ８６、ベースバンドＶＧＡ８７およびＡＤＣ８８よりなる経路により、cdmaOne1900システムに適応した受信処理が行われる。
【０３５２】
＜GSM1900モード＞
GSM1900モードは、GSM1900システム用無線機として動作するモードである。
【０３５３】
このGSM1900モードを選択した場合にベースバンド部８９は、各種の制御信号により各部を以下のような状態に制御する。
アンテナスイッチ８０：デュプレクサ５１を選択。
利得可変ＬＮＡ８１：バイアス回路６ｈ，６ｋが能動状態。
直交復調器８２：非能動状態。
シンセサイザ８３：GSM1900システム用のローカル周波数を発振。
直交復調器８５：バイアス回路８ｄが能動状態。
ベースバンドローパスフィルタ１３：非能動状態。
ベースバンドローパスフィルタ８６：能動状態。GSMモード。
ベースバンドＶＧＡ８７：能動状態。
ＡＤＣ８８：能動状態。
【０３５４】
さて、アンテナ１にて受信された受信信号は、アンテナスイッチ８０によりデュプレクサ５１へ入力される。デュプレクサ５１では、受信信号からGSM1900システムの使用無線周波数である1930〜1990MHzの周波数成分が抽出される。つまりデュプレクサ５１では、種々の周波数成分が混在した受信信号から、GSM1900システムの信号が抽出される。
【０３５５】
デュプレクサ５１の出力信号は、入力端子６ｅから利得可変ＬＮＡ８４へ入力される。利得可変ＬＮＡ８４では、入力端子６ｅから整合回路６ｆ、増幅回路６ｇ、電流−電圧変換回路６ｉ、増幅回路６ｊおよび整合回路６ｍを経由して出力端子６ｎへと至る経路のみが有効となっている。そしてこの経路により信号が所望のレベルに増幅される。
【０３５６】
利得可変ＬＮＡ８４の出力端子６ｎの出力信号は、入力端子８ａから直交復調器８２へ入力される。直交復調器８２は、入力端子８ａから、整合回路８ｂ、増幅回路８ｃおよび電流−電圧変換回路８ｉを経由してミキサ８ｊおよびミキサ８ｎへと至る経路のみが有効となっている。そしてこの経路を通った信号からミキサ８ｎおよびミキサ８ｊでＩ系列およびＱ系列のベースバンド信号がそれぞれ抽出される。そして直交復調器８５の出力信号がベースバンドローパスフィルタ８６へ入力される。
【０３５７】
かくしてGSM1900モードでは、デュプレクサ５１、利得可変ＬＮＡ８４、直交復調器８５、ベースバンドローパスフィルタ８６、ベースバンドＶＧＡ８７およびＡＤＣ８８よりなる経路により、GSM1900システムに適応した受信処理が行われる。
【０３５８】
＜GSM1800モード＞
GSM1800モードは、GSM1800システム用無線機として動作するモードである。
【０３５９】
このGSM1800モードを選択した場合にベースバンド部８９は、各種の制御信号により各部を以下のような状態に制御する。
アンテナスイッチ８０：ＲＦフィルタ３５を選択。
利得可変ＬＮＡ８１：非能動状態。
直交復調器８２：バイアス回路８ｄが能動状態。
シンセサイザ８３：GSM1800システム用のローカル周波数を発振。
直交復調器８５：バイアス回路８１ｄ，６ｋが能動状態。
ベースバンドローパスフィルタ１３：非能動状態。
ベースバンドローパスフィルタ８６：能動状態。GSMモード。
ベースバンドＶＧＡ８７：能動状態。
ＡＤＣ８８：能動状態。
【０３６０】
さて、アンテナ１にて受信された受信信号は、アンテナスイッチ８０によりＲＦフィルタ３５へ入力される。ＲＦフィルタ３５では、受信信号からGSM1800システムの使用無線周波数である1805〜1880MHzの周波数成分が抽出される。つまりＲＦフィルタ３５では、種々の周波数成分が混在した受信信号から、GSM1800システムの信号が抽出される。
【０３６１】
ＲＦフィルタ３５の出力信号は、入力端子８１ａから利得可変ＬＮＡ８１へ入力される。利得可変ＬＮＡ８１では、入力端子８１ａから整合回路８１ｂ、増幅回路８１ｃ、電流−電圧変換回路６ｉ、増幅回路６ｊおよび整合回路６ｍを経由して出力端子６ｎへと至る経路のみが有効となっている。そしてこの経路により信号が所望のレベルに増幅される。
【０３６２】
利得可変ＬＮＡ８１の出力端子６ｎの出力信号は、入力端子８ａから直交復調器８２へ入力される。直交復調器８２は、入力端子８ａから、整合回路８ｂ、増幅回路８ｃおよび電流−電圧変換回路８ｉを経由してミキサ８ｊおよびミキサ８ｎへと至る経路のみが有効となっている。そしてこの経路を通った信号からミキサ８ｎおよびミキサ８ｊでＩ系列およびＱ系列のベースバンド信号がそれぞれ抽出される。そして利得可変ＬＮＡ８１の出力信号がベースバンドローパスフィルタ８６へ入力される。
【０３６３】
かくしてGSM1800モードでは、ＲＦフィルタ３５、利得可変ＬＮＡ８４、直交復調器８５、ベースバンドローパスフィルタ８６、ベースバンドＶＧＡ８７およびＡＤＣ８８よりなる経路により、GSM1800システムに適応した受信処理が行われる。
【０３６４】
＜cdma2000シングルモード＞
cdma2000シングルモードは、cdma2000システム用無線機として動作し、かつcdma2000システムのシングルキャリア信号を受信するモードである。
【０３６５】
このcdma2000シングルモードを選択した場合にベースバンド部８９は、各種の制御信号により各部を以下のような状態に制御する。
アンテナスイッチ８０：デュプレクサ１７を選択。
シンセサイザ８３：cdma2000システム用のローカル周波数を発振。
利得可変ＬＮＡ４１：バイアス回路６ｑが能動状態。
【０３６６】
直交復調器４２：バイアス回路８ｈが能動状態。
ベースバンドローパスフィルタ２２：能動状態。cdma2000シングルモード。
ベースバンドＶＧＡ２３：能動状態。
ＡＤＣ２４：能動状態。
マルチキャリア信号分割用ミキサ部２５：非能動状態。
【０３６７】
この結果としてcdma2000シングルモードでは、デュプレクサ１７、利得可変ＬＮＡ４１、ＲＦフィルタ２０、直交復調器４２、ベースバンドローパスフィルタ２２、ベースバンドＶＧＡ２３およびＡＤＣ２４よりなる経路によりcdma2000システムのシングルキャリア信号に適応した受信処理が行われる。
【０３６８】
＜cdma2000マルチモード＞
cdma2000マルチモードは、cdma2000システム用無線機として動作し、かつcdma2000システムのマルチキャリア信号を受信するモードである。
【０３６９】
このcdma2000マルチモードを選択した場合にベースバンド部８９は、各種の制御信号により各部を以下のような状態に制御する。
アンテナスイッチ８０：デュプレクサ１７を選択。
シンセサイザ８３：cdma2000システム用のローカル周波数を発振。
利得可変ＬＮＡ４１：バイアス回路６ｑが能動状態。
【０３７０】
直交復調器４２：バイアス回路８ｈが能動状態。
ベースバンドローパスフィルタ２２：能動状態。cdma2000マルチモード。
【０３７１】
ベースバンドＶＧＡ２３：能動状態。
ＡＤＣ２４：能動状態。
マルチキャリア信号分割用ミキサ部２５：能動状態。
【０３７２】
この結果としてcdma2000マルチモードでは、デュプレクサ１７、利得可変ＬＮＡ４１、ＲＦフィルタ２０、直交復調器４２、ベースバンドローパスフィルタ２２、ベースバンドＶＧＡ２３およびＡＤＣ２４よりなる経路と、さらにマルチキャリア信号分割用ミキサ部２５を加えてなる経路とによりcdma2000システムのマルチキャリア信号に適応した受信処理が行われる。
【０３７３】
＜UMTS-FDDモード＞
UMTS-FDDモードは、UMTS-FDDシステム用無線機として動作するモードである。
【０３７４】
このUMTS-FDDモードを選択した場合にベースバンド部８９は、各種の制御信号により各部を以下のような状態に制御する。
アンテナスイッチ８０：デュプレクサ１７を選択。
シンセサイザ８３：UMTSシステム用のローカル周波数を発振。
利得可変ＬＮＡ４１：バイアス回路６ｑが能動状態。
【０３７５】
直交復調器４２：バイアス回路８ｈが能動状態。
ベースバンドローパスフィルタ４３：能動状態。
ベースバンドＶＧＡ２３：能動状態。
ＡＤＣ２４：能動状態。
マルチキャリア信号分割用ミキサ部２５：非能動状態。
【０３７６】
この結果としてUMTS-FDDモードでは、デュプレクサ１７、利得可変ＬＮＡ４１、ＲＦフィルタ２０、直交復調器４２、ベースバンドローパスフィルタ２２、ベースバンドＶＧＡ２３およびＡＤＣ２４よりなる経路によりUMTS-FDDシステムに適応した受信処理が行われる。
【０３７７】
＜UMTS-TDDモード＞
UMTS-TDDモードは、UMTS-TDDシステム用無線機として動作するモードである。
【０３７８】
このUMTS-TDDモードを選択した場合にベースバンド部８９は、各種の制御信号により各部を以下のような状態に制御する。
アンテナスイッチ８０：デュプレクサ１７を選択。
シンセサイザ８３：UMTSシステム用のローカル周波数を発振。
利得可変ＬＮＡ４１：バイアス回路６ｋが能動状態。
【０３７９】
直交復調器４２：バイアス回路８ｄが能動状態。
ベースバンドローパスフィルタ４３：能動状態。
ベースバンドＶＧＡ２３：能動状態。
ＡＤＣ２４：能動状態。
マルチキャリア信号分割用ミキサ部２５：非能動状態。
【０３８０】
この結果としてUMTS-TDDモードでは、デュプレクサ１７、利得可変ＬＮＡ４１、直交復調器４２、ベースバンドローパスフィルタ２２、ベースバンドＶＧＡ２３およびＡＤＣ２４よりなる経路によりUMTS-TDDシステムに適応した受信処理が行われる。
【０３８１】
なお、PDC800モード、PDC1500モード、cdmaOne800モード、cdmaOne1900モード、GSM900モード、GSM1800モードおよびGSM1900モードのいずれか１つと、cdma2000シングルモード、cdma2000マルチモード、UMTS-FDDモードおよびUMTS-TDDモードのいずれか１つとは、並列的に使用することも可能である。すなわち、PDC800システム、PDC1500システム、cdmaOne800システム、cdmaOne1900システム、GSM900システム、GSM1900システムおよびGSM1800システムのうちのいずれかのシステムの信号の受信と、cdma2000システムのシングルキャリア信号、cdma2000システムのマルチキャリア信号、UMTS-FDDシステムの信号およびUMTS-TDDシステムの信号のうちのいずれかの受信とを同時に行うことが可能である。
【０３８２】
このように第５の実施形態のマルチモード無線機によれば、PDC800システム用無線機、PDC1500システム用無線機、cdmaOne800システム用無線機、cdmaOne1900システム用無線機、GSM900システム用無線機、GSM1800システム用無線機、GSM1900システム用無線機、cdma2000システム用無線機、UMTS-FDDシステム用無線機およびUMTS-FDDシステム用無線機のいずれとしても機能する。
【０３８３】
そして第５の実施形態によれば、利得可変ＬＮＡ８１では、PDC800システム、cdmaOne800システムおよびGSM900システムのそれぞれに関する信号の電流−電圧変換を共通の電流−電圧変換回路６ｉにより行うので、回路規模が抑えられる。しかも利得可変ＬＮＡ８１での３つの信号経路の切り替えは、バイアス回路６ｄ，６ｈ，６ｋ，６ｑ，８１ｄの動作状態を制御して増幅回路６ｃ，６ｇ，６ｊ，６ｐ，８１ｃの動作状態を切り替えることにより行う。このため、信号経路中にスイッチ等の信号経路切り替え手段を新たに挿入することはなく、信号の損失が増大してしまうこともない。
【０３８４】
第５の実施形態において、利得可変ＬＮＡ８１における整合回路６ｂを通す信号はPDC800システムの信号であり、その周波数範囲は810.05〜827.95MHzおよび870.03〜884.95MHzである。従って、整合回路６ｂを通す信号の比帯域幅および中心周波数はそれぞれ約0.09および約846.67MHzとなる。
【０３８５】
また、利得可変ＬＮＡ８１における整合回路６ｆ，６ｒおよび直交復調器８２における整合回路８ｆを通す信号はcdmaOne800システムの信号であり、その周波数範囲は832.75〜869.25MHzである。従って、整合回路６ｆ，６ｒおよび整合回路８ｆを通す信号の比帯域幅および中心周波数はそれぞれ約0.04および約850.8MHzとなる。
【０３８６】
また、利得可変ＬＮＡ８１における整合回路８１ｂを通す信号はGSM900システムの信号であり、その周波数範囲は925〜960MHzである。従って、整合回路８１ｂを通す信号の比帯域幅および中心周波数はそれぞれ約0.04および約942.34MHzとなる。
【０３８７】
また、利得可変ＬＮＡ８１における整合回路６ｍおよび直交復調器８２における整合回路８ｂを通す信号はPDC800システムおよびGSM900システムの信号であり、その周波数範囲は810.05〜827.95MHz、870.03〜884.95MHzおよび925〜960MHzである。従って、整合回路６ｍおよび整合回路８１ｂを通す信号の比帯域幅および中心周波数はそれぞれ約0.17および約881.84MHzとなる。
【０３８８】
このように第５の実施形態によれば、利得可変ＬＮＡ８１の各整合回路６ｂ，６ｆ，６ｍ，６ｒ，８１ｂおよび直交復調器８２の各整合回路８ｂ，８ｆは、いずれも0.3以下の比帯域幅に適応できれれば良いから、容易に実現することができる。
【０３８９】
また第５の実施形態によれば、利得可変ＬＮＡ８４では、PDC1500システム、cdmaOne1900システムGSM1800システムおよびGSM1900システムのそれぞれに関する信号の電流−電圧変換を共通の電流−電圧変換回路６ｉにより行うので、回路規模が抑えられる。しかも利得可変ＬＮＡ８４での４つの信号経路の切り替えは、バイアス回路６ｄ，６ｈ，６ｋ，６ｑ，８１ｄの動作状態を制御して増幅回路６ｃ，６ｇ，６ｊ，６ｐ，８１ｃの動作状態を切り替えることにより行う。このため、信号経路中にスイッチ等の信号経路切り替え手段を新たに挿入することはなく、信号の損失が増大してしまうこともない。
【０３９０】
第５の実施形態において、利得可変ＬＮＡ８４における整合回路６ｂを通す信号はPDC1500システムの信号であり、その周波数範囲は1477.05〜1500.95MHzである。従って、整合回路６ｂを通す信号の比帯域幅および中心周波数はそれぞれ約0.02および約1488.95MHzとなる。
【０３９１】
また、利得可変ＬＮＡ８４における整合回路６ｆ，６ｒおよび直交復調器８５の整合回路８ｆを通す信号はGSM1900システムおよびcdmaOne1900システムの信号であり、その周波数範囲は1930〜1990MHzである。従って、整合回路６ｆ，６ｒおよび整合回路８ｆを通す信号の比帯域幅および中心周波数はそれぞれ約0.03および約1960MHzとなる。
【０３９２】
また、利得可変ＬＮＡ８４における整合回路８１ｂを通す信号はGSM1800システムの信号であり、その周波数範囲は1805〜1880MHzである。従って、整合回路８１ｂを通す信号の比帯域幅および中心周波数はそれぞれ約0.04および約1842MHzとなる。
【０３９３】
また、利得可変ＬＮＡ８４における整合回路６ｍおよび直交復調器８５における整合回路８ｂを通す信号はPDC1500システム、GSM1800システムおよびGSM1900システムの信号であり、その周波数範囲は1477.05〜1500.95MHz、1805〜1880MHzおよび1930〜1990MHzである。従って、整合回路６ｍおよび整合回路８ｂを通す信号の比帯域幅および中心周波数はそれぞれ約0.299および約1714.45MHzとなる。
【０３９４】
このように第５の実施形態によれば、利得可変ＬＮＡ８４の各整合回路６ｂ，６ｆ，６ｍ，６ｒ，８１ｂおよび直交復調器８５の各整合回路８ｂ，８ｆは、いずれも0.3以下の比帯域幅に適応できれれば良いから、容易に実現することができる。
【０３９５】
また第５の実施形態によれば、ベースバンドＶＧＡ８７およびＡＤＣ８８は、PDC800システム、PDC1500システム、cdmaOne800システム、cdmaOne1900システム、GSM900システム、GSM1800システムおよびGSM1900システムで共用としているので、それらを個々に設ける場合に比べて回路規模が縮小できる。
【０３９６】
なお、本発明は前記各実施形態に限定されるものではない。例えば、整合回路は、利得可変ＬＮＡや直交変調器に内蔵される必要は無く、外付け部品で構成されても良い。
【０３９７】
また、利得可変ＬＮＡの出力信号を通すべき信号経路が３つ以上ある場合には、利得可変ＬＮＡの出力側の増幅回路およびバイアス回路のセットを増設することで対応可能である。
【０３９８】
また、１つの直交復調器に入力するべき信号の経路が３つ以上ある場合には、直交復調器の入力側の増幅回路およびバイアス回路のセットを増設することで対応可能である。
【０３９９】
また、本発明が適用できるのは前記の各実施形態に示した無線通信システムには限らず、W-CDMAシステムのような他の無線通信システムを採用することも可能である。また採用する無線通信システムの組み合わせも前記各実施形態に挙げるものには限定されず、任意に組み替えが可能である。
【０４００】
このほか、本発明の要旨を逸脱しない範囲で種々の変形実施が可能である。
【０４０１】
【発明の効果】
本発明によれば、損失の増大を招くことなしに回路規模の縮小を図り得るマルチモード受信機を提供できる。
【図面の簡単な説明】
【図１】第１の実施形態に係るマルチモード無線機のブロック図。
【図２】図１中の利得可変ＬＮＡ６の回路図。
【図３】図２中のバイアス回路６ｄ，６ｈ，６ｋ，６ｑがそれぞれ有する電流源の回路図。
【図４】図１中の直交復調器８の回路図。
【図５】マルチキャリア信号の構成を示す図。
【図６】第２の実施形態に係るマルチモード無線機のブロック図。
【図７】図６中の利得可変ＬＮＡ４１の回路図。
【図８】第３の実施形態に係るマルチモード無線機のブロック図。
【図９】第４の実施形態に係るマルチモード無線機のブロック図。
【図１０】図９中の利得可変ＬＮＡ７１の回路図。
【図１１】第５の実施形態に係るマルチモード無線機のブロック図。
【図１２】図１１中の利得可変ＬＮＡ８１および利得可変ＬＮＡ８４の回路図。
【符号の説明】
１…アンテナ、２，３０，５０，７０，８０…アンテナスイッチ、３，３１，３５，５４…ＲＦフィルタ、４，１７，５１…デュプレクサ、５，６ａ，６ｅ，８ａ，８ｅ，１８，５２，８１ａ…入力端子、６，１１，１９，３２，３６，４１，５３，５７，７１，８１，８４…利得可変ＬＮＡ、６ｂ，６ｍ，６ｒ，８ｂ，８ｆ，８１ｂ…整合回路、６ｃ，６ｆ，６ｇ，６ｊ，６ｐ，８ｃ，８ｇ，８１ｃ…増幅回路、６ｄ，６ｈ，６ｋ，６ｑ，８ｄ，８ｈ，８１ｄ…バイアス回路、６ｉ，８ｉ…電流−電圧変換回路、６ｎ，６ｓ，８ｍ，８ｑ…出力端子、６ｔ，８ｒ…制御信号端子、６ｕ，８ｓ，４１ａ，７１ａ，８１ｅ…ロジック回路、７，１０，２０…フィルタ、８，１２，２１，３３，３７，４２，５５，５８，８２，８５…直交復調器、８ｊ，８ｎ…ミキサ、８ｋ…ローカル信号端子、８ｐ…移相器、９，２６，３４，５６，８３…シンセサイザ、１３，１４，２２，３８，４３，５９，６２，８６…ベースバンドローパスフィルタ、１５，２３，３９，６０，８７…ベースバンドＶＧＡ、１６，２４，４０，６１，８８…ＡＤＣ、２５…マルチキャリア信号分割用ミキサ部、２５ａ，２５ｂ，２５ｃ，２５ｄ…乗算器、２５ｅ…移相器、２５ｆ，２５ｇ，２５ｈ，２５ｉ…加算器、２７，４４，６３，７２，８９…ベースバンド部。
【図１】
2004201011.tif 000003
【図２】
2004201011.tif 000004
【図３】
2004201011.tif 000005
【図４】
2004201011.tif 000006
【図５】
2004201011.tif 000007
【図６】
2004201011.tif 000008
【図７】
2004201011.tif 000009
【図８】
2004201011.tif 000010
【図９】
2004201011.tif 000011
【図１０】
2004201011.tif 000012
【図１１】
2004201011.tif 000013
【図１２】
2004201011.tif 000014